(57)【要約】  仕様データ等を保持するレジスタや信号品質を調整するための素子等の電流消費部などの特定機能を持つケーブルの使用を良好に行い得るようにする。  第１の電子機器と第２の電子機器の間に接続されるケーブルである。判断部は第１の電子機器が対応電子機器であるか否かを判断する。制御部は、判断部の判断結果に基づき、第１の電子機器が対応電子機器であるときは対応モードで動作し、第１の電子機器が対応電子機器でないときは非対応モードで動作するように制御する。また、ケーブルを介して外部機器に接続される電子機器である。判断部は、ケーブルが対応ケーブルであるか否かを判断する。制御部は、判断部の判断結果に基づき、ケーブルが対応ケーブルであるときは対応モードで動作し、ケーブルが対応ケーブルでないときは非対応モードで動作するように制御する。
2019059151.tif 000002
【特許請求の範囲】
【請求項１】
第１の電子機器と第２の電子機器の間に接続されるケーブルであって、
上記第１の電子機器が対応電子機器であるか否かを判断する判断部と、
上記判断部の判断結果に基づき、上記第１の電子機器が対応電子機器であるときは対応モードで動作し、上記第１の電子機器が対応電子機器でないときは非対応モードで動作するように制御する制御部を備える
ケーブル。
【請求項２】
上記判断部は、所定電圧が分圧用抵抗を介して印加されている所定ラインの電圧モニタ結果に基づき上記第１の電子機器が対応電子機器であるか否かを判断する
請求項１に記載のケーブル。
【請求項３】
上記分圧用抵抗と直列に第１のスイッチが接続されており、
上記第１のスイッチは、上記判断が行われるときは短絡状態とされる
請求項２に記載のケーブル。
【請求項４】
上記所定ラインの上記電圧モニタを行う地点より上記第２の電子機器側に第２のスイッチが挿入されており、
上記第２のスイッチは、上記判断が行われるときは開放状態とされる
請求項３に記載のケーブル。
【請求項５】
上記制御部は、上記対応モードでは、上記電圧モニタで上記所定ラインの電圧が上記所定電圧となったとき、上記第１のスイッチを短絡状態から開放状態にした後に、上記第２のスイッチを開放状態から短絡状態にする
請求項４に記載のケーブル。
【請求項６】
通信ラインに接続されたレジスタをさらに備え、
上記通信ラインの上記レジスタが接続されている地点より上記第２の電子機器側に第３のスイッチが接続されており、
上記制御部は、上記対応モードでは、上記第１の電子機器から上記レジスタがアクセスされたことを確認した後に、上記第３のスイッチを開放状態から短絡状態にする
請求項１に記載のケーブル。
【請求項７】
上記制御部は、所定電圧が分圧用抵抗を介して印加されている所定ラインの電圧モニタ結果に基づき、上記第１の電子機器から上記レジスタがアクセスされたことを確認する
請求項６に記載のケーブル。
【請求項８】
電源ラインに第４のスイッチが挿入されており、
上記制御部は、上記対応モードでは、上記第３のスイッチを開放状態から短絡状態にした後に、上記第４のスイッチを開放状態から短絡状態にする
請求項６に記載のケーブル。
【請求項９】
上記制御部は、上記非対応モードでは、上記第１の電子機器から上記レジスタがアクセスされたことを確認することなく、上記第３のスイッチを開放状態から短絡状態にする
請求項６に記載のケーブル。
【請求項１０】
電源ラインに第４のスイッチが挿入されており、
上記制御部は、上記非対応モードでは、上記第３のスイッチを開放状態から短絡状態にした後に、上記第４のスイッチを開放状態から短絡状態にする
請求項９に記載のケーブル。
【請求項１１】
電源ラインに接続された電流消費部をさらに備え、
上記制御部は、上記対応モードでは、上記第１の電子機器で自身のケーブルが対応ケーブルであると判断されたことを確認した後に、上記電流消費部を電流非消費状態から電流消費状態にする
請求項１に記載のケーブル。
【請求項１２】
上記電源ラインに第５のスイッチが挿入されており、
上記制御部は、上記対応モードでは、上記第１の電子機器で自身のケーブルが対応ケーブルであると判断されたことを確認した後に、上記第５のスイッチを開放状態から短絡状態にする
請求項１１に記載のケーブル。
【請求項１３】
上記制御部は、所定電圧が分圧用抵抗を介して印加されている所定ラインの電圧モニタ結果に基づき、上記第１の電子機器で自身のケーブルが対応ケーブルであると判断されたことを確認する
請求項１１に記載のケーブル。
【請求項１４】
上記制御部は、上記非対応モードでは、上記第１の電子機器で自身のケーブルが対応ケーブルであると判断されたことを確認することなく、上記第５のスイッチを開放状態から短絡状態にする
請求項１２に記載のケーブル。
【請求項１５】
上記制御部は、上記第１の電子機器が対応電子機器であって、さらに上記第１の電子機器との間に電源ラインを分離する中継機器の介在がないとき、上記対応モードで動作するように制御する
請求項１に記載のケーブル。
【請求項１６】
上記制御部は、所定電圧が分圧用抵抗を介して印加されている所定ラインの電圧が第１の電圧となることで上記第１の電子機器が対応電子機器であると判断し、その後上記所定ラインの電圧が第２の電圧に変化することで上記第１の電子機器との間に上記中継機器の介在がないと判断する
請求項１５に記載のケーブル。
【請求項１７】
上記対応モードで動作するときに機能する、上記第１の電子機器との間で情報伝送を行う情報伝送部をさらに備える
請求項１に記載のケーブル。
【請求項１８】
上記情報伝送部は、
所定ラインに接続された可変抵抗回路を有し、
上記可変抵抗回路の抵抗値を変化させることで上記第１の電子機器に任意の情報を送信する
請求項１７に記載のケーブル。
【請求項１９】
上記情報伝送部は、
上記可変抵抗回路の抵抗値を所定値に固定した状態で上記所定ラインの電圧をモニタすることで上記第１の電子機器から所定の情報を受信する
請求項１８に記載のケーブル。
【請求項２０】
第１の電子機器と第２の電子機器の間に接続されるケーブルの制御方法であって、
判断部が、上記第１の電子機器が対応電子機器であるか否かを判断する判断ステップと、
制御部が、上記判断部の判断結果に基づき、上記第１の電子機器が対応電子機器であるときは対応モードで動作し、上記第１の電子機器が対応電子機器でないときは非対応モードで動作するように制御する制御ステップを有する
ケーブルの制御方法。
【請求項２１】
第１の電子機器と第２の電子機器の間に接続される接続装置であって、
上記第１の電子機器が対応電子機器であるか否かを判断する判断部と、
上記判断部の判断結果に基づき、上記第１の電子機器が対応電子機器であるときは対応モードで動作し、上記第１の電子機器が対応電子機器でないときは非対応モードで動作するように制御する制御部を備える
接続装置。
【請求項２２】
ケーブルを介して外部機器に接続される電子機器であって、
上記ケーブルが対応ケーブルであるか否かを判断する判断部と、
上記判断部の判断結果に基づき、上記ケーブルが対応ケーブルであるときは対応モードで動作し、上記ケーブルが対応ケーブルでないときは非対応モードで動作するように制御する制御部を備える
電子機器。
【請求項２３】
上記判断部は、所定電圧が分圧用抵抗を介して印加されている所定ラインの電圧モニタ結果に基づき上記ケーブルが対応ケーブルであるか否かを判断する
請求項２２に記載の電子機器。
【請求項２４】
上記分圧用抵抗と直列に第１のスイッチが接続されており、
上記第１のスイッチは、上記判断が行われるときは短絡状態とされる
請求項２３に記載の電子機器。
【請求項２５】
上記所定ラインの上記電圧モニタを行う地点の端子側とは反対側に第２のスイッチが挿入されており、
上記第２のスイッチは、上記判断が行われるときは開放状態とされる
請求項２４に記載の電子機器。
【請求項２６】
上記制御部は、上記対応モードでは、接続検知ラインがハイレベルになったことを検知した後に、上記第１のスイッチを短絡状態から開放状態にする
請求項２４に記載の電子機器。
【請求項２７】
上記制御部は、上記非対応モードでは、上記第１のスイッチを短絡状態から開放状態にする
請求項２４に記載の電子機器。
【請求項２８】
上記制御部は、上記対応モードでは、上記第１のスイッチを短絡状態から開放状態にする前に、通信ラインを通じて上記ケーブルのレジスタにアクセスする
請求項２４に記載の電子機器。
【請求項２９】
上記制御部は、上記対応モードでは、上記第１のスイッチを短絡状態から開放状態にする前に、電源ラインによる供給可能電流を第１の電流から該第１より高い第２の電流に変更する
請求項２４に記載の電子機器。
【請求項３０】
上記制御部は、上記ケーブルが対応ケーブルであって、さらに上記ケーブルとの間に電源ラインを分離する中継機器の介在がないとき、上記対応モードで動作するように制御する
請求項２２に記載の電子機器。
【請求項３１】
上記制御部は、所定電圧が分圧用抵抗を介して印加されている所定ラインの電圧が第１の電圧となることで上記ケーブルが対応ケーブルであると判断し、その後上記所定ラインの電圧が第２の電圧に変化することで上記ケーブルとの間に上記中継機器の介在がないと判断する
請求項３０に記載の電子機器。
【請求項３２】
上記対応モードで動作するときに機能する、上記ケーブルとの間で情報伝送を行う情報伝送部をさらに備える
請求項２２に記載の電子機器。
【請求項３３】
上記情報伝送部は、
所定ラインに接続された可変抵抗回路を有し、
上記可変抵抗回路の抵抗値を変化させることで上記ケーブルに任意の情報を送信する
請求項３２に記載の電子機器。
【請求項３４】
上記情報伝送部は、
上記可変抵抗回路の抵抗値を所定値に固定した状態で上記所定ラインの電圧をモニタすることで上記ケーブルから所定の情報を受信する
請求項３３に記載の電子機器。
【請求項３５】
ケーブルを介して外部機器に接続される電子機器の制御方法であって、
判断部が、上記ケーブルが対応ケーブルであるか否かを判断する判断ステップと、
制御部が、上記判断部の判断結果に基づき、上記ケーブルが対応ケーブルであるときは対応モードで動作し、上記ケーブルが対応ケーブルでないときは非対応モードで動作するように制御する制御ステップを有する
電子機器の制御方法。
【請求項３６】
接続装置を介して外部機器に接続される電子機器であって、
上記接続装置が対応接続装置であるか否かを判断する判断部と、
上記判断部の判断結果に基づき、上記接続装置が対応接続装置であるときは対応モードで動作し、上記接続装置が対応接続装置でないときは非対応モードで動作するように制御する制御部を備える
電子機器。
【発明の詳細な説明】
【技術分野】
【０００１】
本技術は、ケーブル、ケーブルの制御方法、接続装置、電子機器および電子機器の制御方法に関し、特に、仕様データ等を保持するレジスタや信号品質を調整するための素子等の電流消費部等の特定機能を持つケーブル等に関する。
【背景技術】
【０００２】
近年、ＣＥ（Consumer Electronics）機器をつなぐデジタルインタフェースとして、ＨＤＭＩ(High Definition Multimedia Interface)などが用いられている。例えば、特許文献１には、ＨＤＭＩ規格についての記載がある。このＨＤＭＩ規格においては、３データ差動ラインペア（TMDS Channel 0/1/2）を用いて、デジタル信号としてビデオ、オーディオ、コントロールの各信号の伝送を行っている。
【先行技術文献】
【特許文献】
【０００３】
【特許文献１】特開２０１５−１１１４１８号公報
【発明の概要】
【発明が解決しようとする課題】
【０００４】
例えば、デジタルインタフェースとしてＨＤＭＩを用いる場合、ＢＤ（Blu-ray Disc）プレーヤ等のソース（Source）機器とテレビ受信機（TV Receiver）等のシンク（Sink）機器は、ＨＤＭＩケーブルで接続される。ＨＤＭＩケーブルには、クロックラインを含む４つの高速信号ラインと、＋５Ｖ電源（+5V Power）ライン、ＤＤＣ(Display Data Channel)ライン、ＣＥＣ（Consumer Electronics Control）ライン、ＨＰＤ（Hot Plug Detect）ライン、ユーティリティ（Utility）ライン等がアサインされている。高速信号ラインではビデオ、オーディオ、コントロール等の各デジタル信号がＴＭＤＳデータで伝送される。この場合、シンク側の３．３Ｖに繋がった５０Ωの終端抵抗からソース側が電流を引く（Draw）ことで、データの“０”、“１”を伝送する電流駆動型が用いられる。なお、「Blu-ray」は登録商標である。【０００５】
ＨＤＭＩ規格ではＨＤＭＩケーブルを接続した際のシーケンスが規定されており、ケーブルのプラグ両端がそれぞれソース機器とシンク機器に接続されると、ソース機器からシンク機器へ＋５Ｖ電源ラインを介して５Ｖ電圧が伝わり、シンク機器内で５Ｖを検知するとＨＰＤラインを介してシンク機器からソース機器へ５Ｖを伝送することで正しくケーブルが繋がったことをソース機器へ知らせる。ソース機器は、ＨＰＤラインの５Ｖを検知すると、ケーブルが繋がったと判断し、シンク側のＥＤＩＤ（Extended Display Identification Data）を、ＤＤＣラインを使って読みに行く。その後、ＤＤＣラインなどの制御ラインを用いてＨＤＣＰ（High-bandwidth Digital Content Protection）などの信号のやり取りをソース機器とシンク機器とで開始し、ＴＭＤＳを用いた高速データ信号の送信が開始される。【０００６】
高速伝送の伝送品位を担保するため、ケーブルにも種々の仕様が策定されており、そのケーブルの仕様を判別する仕組みの一つとしてケーブル内にケーブルの仕様識別のために仕様データを保持するレジスタを持たせることが考えられている。この場合、ソース機器が、ＤＤＣラインなどを通じてケーブルのレジスタにアクセスする際、ケーブルを経由してシンク機器にも同時にアクセス情報が送信され、該当アドレスが定義されていないシンク機器で誤動作が生じてしまう可能性がある。【０００７】
また、ソース機器における＋５Ｖ電源ラインから出力する電流の保証値は最小５５ｍＡであり、通常のＨＤＭＩケーブルでは、ケーブル内での電力消費はほぼ無いため、５５ｍＡもあれば十分である。これに対して、銅線の代わりに光で通信するＡＯＣ(Active Optical Cable)の場合は、電気から光に変換するための回路および光から電気へ変換するための回路がケーブルのプラグ両端に必要になり、通常５５ｍＡで動作させることは難しい。このとき５５ｍＡしか保証しないソース機器からケーブルが５５ｍＡ以上の電流を引こうとした場合、ソース機器が過電流に耐えられず故障する可能性がある。なお、ケーブル内部に電気の５０Ω配線を駆動するための回路を内蔵するＡＣＣ（Active Copper Cable）でも同様に内部回路用に駆動電流が必要になる。【０００８】
本技術の目的は、仕様データ等を保持するレジスタや信号品質を調整するための素子等の電流消費部などの特定機能を持つケーブルの使用を良好に行い得るようにすることにある。
【課題を解決するための手段】
【０００９】
本技術の概念は、
第１の電子機器と第２の電子機器の間に接続されるケーブルであって、
上記第１の電子機器が対応電子機器であるか否かを判断する判断部と、
上記判断部の判断結果に基づき、上記第１の電子機器が対応電子機器であるときは対応モードで動作し、上記第１の電子機器が対応電子機器でないときは非対応モードで動作するように制御する制御部を備える
ケーブルにある。【００１０】
本技術において、ケーブルは、第１の電子機器と第２の電子機器の間に接続されるものである。例えば、ケーブルは、一般的に有線または無線で構成される接続装置で置き換えることが可能である。判断部により、第１の電子機器が対応電子機器であるか否かが判断される。例えば、判断部は、所定電圧が分圧用抵抗を介して印加されている所定ラインの電圧モニタ結果に基づき第１の電子機器が対応電子機器であるか否かを判断する、ようにされてもよい。この場合、所定ラインの電圧モニタをするだけで適格な判断が容易に可能となる。【００１１】
この場合、例えば、分圧用抵抗と直列に第１のスイッチが接続されており、この第１のスイッチは、判断が行われるときは短絡状態とされる、ようにされてもよい。これにより、判断時のみ、所定のラインに分圧用抵抗を介して所定電圧を印加することが可能となる。【００１２】
また、この場合、例えば、所定ラインの電圧モニタを行う地点より第２の電子機器側に第２のスイッチが挿入されており、第２のスイッチは、判断が行われるときは開放状態とされる、ようにされてもよい。これにより、判断時に、所定ラインに印加される所定電圧が第２の電子機器に供給され、影響を及ぼすことを回避可能となる。また、これにより、判断時に、所定ラインの電圧モニタを行う地点を第２の電子機器から遮断することができ、所定ラインの電圧モニタを精度よく行うことが可能となる。【００１３】
制御部により、判断部の判断結果に基づき、第１の電子機器が対応電子機器であるときは対応モードで動作し、第１の電子機器が対応電子機器でないときは非対応モードで動作するように制御される。例えば、制御部は、対応モードでは、電圧モニタで所定ラインの電圧が所定電圧となったとき、第１のスイッチを短絡状態から開放状態にした後に、第２のスイッチを開放状態から短絡状態にする、ようにされてもよい。これにより、第２の電子機器に所定電圧を供給して影響を及ぼすことなく、所定ラインを使用可能な状態に戻すことが可能となる。【００１４】
また、例えば、通信ラインに接続されたレジスタをさらに備え、この通信ラインのレジスタが接続されている地点より第２の電子機器側に第３のスイッチが接続されており、制御部は、対応モードでは、第１の電子機器からレジスタがアクセスされたことを確認した後に、第３のスイッチを開放状態から短絡状態にする、ようにされてもよい。これにより、第２の電子機器にレジスタのアクセス情報が送信されることを防止でき、該当アドレスが定義されていない第２の電子機器で誤動作が生じてしまうことを回避可能となる。【００１５】
この場合、例えば、制御部は、所定電圧が分圧用抵抗を介して印加されている所定ラインの電圧モニタ結果に基づき、第１の電子機器からレジスタがアクセスされたことを確認する、ようにされてもよい。この場合、第１の電子機器が自身のケーブルに対応しているか否かを判断するための電圧モニタ部を兼用することができ、ケーブルの構成の簡単化が可能となる。【００１６】
また、この場合、例えば、電源ラインに第４のスイッチが挿入されており、制御部は、対応モードでは、第３のスイッチを開放状態から短絡状態にした後に、第４のスイッチを開放状態から短絡状態にする、ようにされてもよい。これにより、第２の電子機器から第１の電子機器に接続検知信号を送られた後に第１の電子機器から通信ラインを通じて第２の電子機器に送られる通信信号が妨げられることを回避可能となる。【００１７】
また、この場合、例えば、制御部は、非対応モードでは、第１の電子機器からレジスタがアクセスされたことを確認することなく、第３のスイッチを開放状態から短絡状態にする、ようにされてもよい。この場合、第１の電子機器からレジスタにアクセスされることはなく、従って通信ラインを速やかに使用可能な状態に戻すことが可能となる。【００１８】
そして、この場合、例えば、電源ラインに第４のスイッチが挿入されており、制御部は、非対応モードでは、第３のスイッチを開放状態から短絡状態にした後に、第４のスイッチを開放状態から短絡状態にする、ようにされてもよい。これにより、第３のスイッチが開放状態から短絡状態にされた後に第２の電子機器から第１の電子機器に接続検知信号を送られ、その後に第１の電子機器から通信ラインを通じて第２の電子機器に送られる通信信号を妨げることを回避可能となる。【００１９】
また、例えば、電源ラインに接続された電流消費部をさらに備え、制御部は、対応モードでは、第１の電子機器で自身のケーブルが対応ケーブルであると判断されたことを確認した後に、上記電流消費部を電流非消費状態から電流消費状態にする、ようにされてもよい。この場合、例えば、電源ラインに第５のスイッチが挿入されており、制御部は、対応モードでは、第１の電子機器で自身のケーブルが対応ケーブルであると判断されたことを確認した後に、第５のスイッチを開放状態から短絡状態にする、ようにされてもよい。これにより、電流消費部は第１の電子機器から充分な電流を引いて消費でき、適切な動作が可能となる。また、この場合、第１の電子機器は、自身のケーブルの電流消費部で消費し得る電流を充分に供給できるものであることから、第１の電子機器が過電流に耐えられず故障を起こすことも回避可能となる。【００２０】
この場合、例えば、制御部は、所定電圧が分圧用抵抗を介して印加されている所定ラインの電圧モニタ結果に基づき、第１の電子機器で自身のケーブルが対応ケーブルであると判断されたことを確認する、ようにされてもよい。この場合、第１の電子機器が対応電子機器であるか否かを判断するための電圧モニタ部を兼用することができ、ケーブルの構成の簡単化が可能となる。【００２１】
また、この場合、例えば、制御部は、非対応モードでは、第１の電子機器で自身のケーブルが対応ケーブルであると判断されたことを確認することなく、第５のスイッチを開放状態から短絡状態にする、ようにされてもよい。この場合、何時まで待っても第１の電子機器で自身のケーブルが対応ケーブルであると判断されたことを確認できる状態になるということはなく、従って電源ラインを速やかに使用可能な状態に戻すことが可能となる。【００２２】
このように本技術においては、第１の電子機器が対応電子機器であるときは対応モードで動作し、第１の電子機器が対応電子機器でないときは非対応モードで動作するように制御される。そのため、仕様データ等を保持するレジスタや信号品質を調整するための素子等の電流消費部などの特定機能を持つケーブルの使用を良好に行い得る。【００２３】
また、例えば、制御部は、第１の電子機器が対応電子機器であって、さらに第１の電子機器との間に電源ラインを分離する中継機器の介在がないとき、対応モードで動作するように制御する、ようにされてもよい。この場合、例えば、制御部は、所定電圧が分圧用抵抗を介して印加されている所定ラインの電圧が第１の電圧となることで第１の電子機器が対応電子機器であると判断し、その後所定ラインの電圧が第２の電圧に変化することで第１の電子機器との間に中継機器の介在がないと判断する、ようにされてもよい。これにより、リピータ等の中継機器の介在があるときには、例えば電源ラインに接続された電流消費部の電流消費が抑制されることから、当該中継機器が過電流に耐えられず故障を起こすことを回避できる。【００２４】
また、例えば、対応モードで動作するときに機能する、第１の電子機器との間で情報伝送を行う情報伝送部をさらに備える、ようにされてもよい。この場合、例えば、情報伝送部は、所定ラインに接続された可変抵抗回路を有し、この可変抵抗回路の抵抗値を変化させることで第１の電子機器に任意の情報を送信する、ようにされてもよい。また、この場合、例えば、情報伝送部は、可変抵抗回路の抵抗値を所定値に固定した状態で所定ラインの電圧をモニタすることで第１の電子機器から所定の情報を受信する、ようにされてもよい。これにより、通信ライン上にレジスタが不要になり、第１の電子機器からのレジスタのアクセス情報が通信ラインを通じて第２の電子機器に送信されることがなく、該当アドレスが定義されていない第２の電子機器で誤動作を生じるということがなくなる。【００２５】
また、本技術の他の概念は、
ケーブルを介して外部機器に接続される電子機器であって、
上記ケーブルが対応ケーブルであるか否かを判断する判断部と、
上記判断部の判断結果に基づき、上記ケーブルが対応ケーブルであるときは対応モードで動作し、上記ケーブルが対応ケーブルでないときは非対応モードで動作するように制御する制御部を備える
電子機器にある。【００２６】
本技術の電子機器は、ケーブルを介して外部機器に接続されるものである。例えば、ケーブルは、一般的に有線または無線で構成される接続装置で置き換えることが可能である。判断部により、ケーブルが対応ケーブルであるか否かが判断される。例えば、判断部は、所定電圧が分圧用抵抗を介して印加されている所定ラインの電圧モニタ結果に基づきケーブルが対応ケーブルであるか否かを判断する、ようにされてもよい。この場合、所定ラインの電圧モニタをするだけで適格な判断が容易に可能となる。【００２７】
この場合、例えば、分圧用抵抗と直列に第１のスイッチが接続されており、第１のスイッチは、判断が行われるときは短絡状態とされる、ようにされてもよい。これにより、判断時のみ、所定のラインに分圧用抵抗を介して所定電圧を印加することが可能となる。【００２８】
また、この場合、所定ラインの電圧モニタを行う地点の端子側とは反対側に第２のスイッチが挿入されており、第２のスイッチは、判断が行われるときは開放状態とされる、ようにされてもよい。これにより、判断時に、所定ラインに印加される所定電圧が電子機器内部に供給され、影響を及ぼすことを回避可能となる。また、これにより、判断時に、所定ラインの電圧モニタを行う地点を電子機器内部から遮断することができ、所定ラインの電圧モニタを精度よく行うことが可能となる。【００２９】
制御部により、判断部の判断結果に基づき、ケーブルが対応ケーブルであるときは対応モードで動作し、ケーブルが対応ケーブルでないときは非対応モードで動作するように制御される。例えば、制御部は、対応モードでは、接続検知ラインがハイレベルになったことを検知した後に、第１のスイッチを短絡状態から開放状態にする、ようにされてもよい。これにより、接続検知ラインがハイレベルになることを待っている状態でケーブルが抜去された場合にそのことを検知でき、誤動作を起こさないようにスイッチを初期状態に戻す等の対処をすることが可能となる。【００３０】
また、例えば、制御部は、非対応モードでは、第１のスイッチを短絡状態から開放状態にし、さらに、第２のスイッチを短絡状態から開放状態にする、ようにされてもよい。この場合、電子機器内部に所定電圧を供給して影響を及ぼすことなく、所定ラインを使用可能な状態に戻すことが可能となる。【００３１】
また、例えば、制御部は、対応モードでは、第１のスイッチを短絡状態から開放状態にする前に、通信ラインを通じてケーブルのレジスタにアクセスする、ようにされてもよい。これにより、ケーブルで所定ラインが使用状態とされる前にケーブルのレジスタにアクセスでき、従って、外部機器にレジスタのアクセス情報が送信されることを防止でき、該当アドレスが定義されていない外部機器で誤動作を生じてしまうことを回避可能となる。【００３２】
また、例えば、制御部は、対応モードでは、第１のスイッチを短絡状態から開放状態にする前に、電源ラインによる供給可能電流を第１の電流からこの第１より高い第２の電流に変更する、ようにされてもよい。これにより、ケーブルが電流消費部を有する場合であって、その電流消費部が電流消費状態となる前に、当該ケーブルの電流消費部に十分な電流を供給し得る状態となる。このように電流供給量のモードを切り替えることで、電源回路部の電力削減を図ることが可能となる。【００３３】
また、例えば、制御部は、ケーブルが対応ケーブルであって、さらにケーブルとの間に電源ラインを分離する中継機器の介在がないとき、対応モードで動作するように制御する、ようにされてもよい。この場合、例えば、制御部は、所定電圧が分圧用抵抗を介して印加されている所定ラインの電圧が第１の電圧となることでケーブルが対応ケーブルであると判断し、その後所定ラインの電圧が第２の電圧に変化することでケーブルとの間に中継機器の介在がないと判断する、ようにされてもよい。【００３４】
また、例えば、対応モードで動作するときに機能する、ケーブルとの間で情報伝送を行う情報伝送部をさらに備える、ようにされてもよい。この場合、例えば、情報伝送部は、所定ラインに接続された可変抵抗回路を有し、この可変抵抗回路の抵抗値を変化させることでケーブルに任意の情報を送信する、ようにされてもよい。また、この場合、例えば、情報伝送部は、可変抵抗回路の抵抗値を所定値に固定した状態で所定ラインの電圧をモニタすることでケーブルから所定の情報を受信する、ようにされてもよい。これにより、ケーブルにおいて通信ライン上にレジスタが不要になり、レジスタへのアクセス情報が通信ラインを通じて外部機器に送信されることがなく、該当アドレスが定義されていない外部機器で誤動作を生じるということがなくなる。【００３５】
このように本技術においては、ケーブルが対応ケーブルであるときは対応モードで動作し、ケーブルが対応ケーブルでないときは非対応モードで動作するように制御される。そのため、仕様データ等を保持するレジスタや信号品質を調整するための素子等の電流消費部などの特定機能を持つケーブルの使用を良好に行い得る。
【発明の効果】
【００３６】
本技術によれば、仕様データ等を保持するレジスタや信号品質を調整するための素子等の電流消費部などの特定機能を持つケーブルの使用を良好に行い得る。なお、本明細書に記載された効果はあくまで例示であって限定されるものではなく、また付加的な効果があってもよい。
【図面の簡単な説明】
【００３７】
【図１】伝送システムの構成例を示す図である。
【図２】レジスタを持つ伝送システムの構成例を示す図である。
【図３】レジスタが接続されるＤＤＣラインにスイッチを配置した伝送システムの構成例を示す図である。
【図４】ＡＯＣであるＨＤＭＩケーブルを用いた場合の伝送システムの構成例を示す図である。
【図５】ＡＣＣであるＨＤＭＩケーブルを用いた場合の伝送システムの構成例を示す図である。
【図６】実施の形態の伝送システムを構成するソース機器およびＨＤＭＩケーブルの動作概要を示す図である。
【図７】対応ソース機器と対応ＨＤＭＩケーブル（レジスタ有り）を持つ伝送システムの構成例を示す図である。
【図８】図７の伝送システムの動作を説明するための図である。
【図９】図７の伝送システムの動作を説明するための図である。
【図１０】図７の伝送システムの動作を説明するための図である。
【図１１】非対応ソース機器と対応ＨＤＭＩケーブル（レジスタ有り）を持つ伝送システム（Ｕｔｉｌｉｔｙライン使用）の構成例を示す図である。
【図１２】対応ソース機器と非対応ＨＤＭＩケーブルを持つ伝送システム（Ｕｔｉｌｉｔｙライン使用）の構成例を示す図である。
【図１３】図７の伝送システムが持つ対応ソース機器のシーケンスの一例を示す図である。
【図１４】図７の伝送システムが持つ対応ＨＤＭＩケーブルのシーケンスの一例を示す図である。
【図１５】対応ソース機器と対応ＨＤＭＩケーブル（レジスタ有り）を持つ伝送システム（＋５Ｖ電源ライン使用）の構成例を示す図である。
【図１６】図１５の伝送システムの動作を説明するための図である。
【図１７】図１５の伝送システムの動作を説明するための図である。
【図１８】非対応ソース機器と対応ＨＤＭＩケーブル（レジスタ有り）を持つ伝送システム（＋５Ｖ電源ライン使用）の構成例を示す図である。
【図１９】対応ソース機器と非対応ＨＤＭＩケーブルを持つ伝送システム（＋５Ｖ電源ライン使用）の構成例を示す図である。
【図２０】図１９の伝送システムの不都合を回避する構成例を示す図である。
【図２１】図１５の伝送システムが持つ対応ソース機器のシーケンスの一例を示す図である。
【図２２】図１５の伝送システムが持つ対応ＨＤＭＩケーブルのシーケンスの一例を示す図である。
【図２３】対応ソース機器と対応ＨＤＭＩケーブル（電流消費部有り）を持つ伝送システムの構成例を示す図である。
【図２４】図２３の伝送システムの動作を説明するための図である。
【図２５】図２３の伝送システムの動作を説明するための図である。
【図２６】図２３の伝送システムの動作を説明するための図である。
【図２７】非対応ソース機器と対応ＨＤＭＩケーブル（電流消費部有り）を持つ伝送システム（Ｕｔｉｌｉｔｙライン使用）の構成例を示す図である。
【図２８】対応ソース機器と非対応ＨＤＭＩケーブルを持つ伝送システム（Ｕｔｉｌｉｔｙライン使用）の構成例を示す図である。
【図２９】図２３の伝送システムが持つ対応ソース機器のシーケンスの一例を示す図である。
【図３０】図２３の伝送システムが持つ対応ＨＤＭＩケーブルのシーケンスの一例を示す図である。
【図３１】対応ソース機器と対応ＨＤＭＩケーブル（電流消費部有り）を持つ伝送システム（＋５Ｖ電源ライン使用）の構成例を示す図である。
【図３２】図３１の伝送システムの動作を説明するための図である。
【図３３】図３１の伝送システムの動作を説明するための図である。
【図３４】非対応ソース機器と対応ＨＤＭＩケーブル（電流消費部有り）を持つ伝送システム（＋５Ｖ電源ライン使用）の構成例を示す図である。
【図３５】対応ソース機器と非対応ＨＤＭＩケーブルを持つ伝送システム（＋５Ｖ電源ライン使用）の構成例を示す図である。
【図３６】図３５の伝送システムの不都合を回避する構成例を示す図である。
【図３７】図３１の伝送システムが持つ対応ソース機器のシーケンスの一例を示す図である。
【図３８】図１５の伝送システムが持つ対応ＨＤＭＩケーブルのシーケンスの一例を示す図である。
【図３９】対応ソース機器と対応ＨＤＭＩケーブル（レジスタおよび電流消費部有り）を持つ伝送システム（Ｕｔｉｌｉｔｙライン使用）の構成例を示す図である。
【図４０】対応ソース機器と対応ＨＤＭＩケーブル（電流消費部有り）を持つ伝送システム（リピータ介在）の構成例を示す図である。
【図４１】実施の形態の伝送システムを構成するソース機器およびＨＤＭＩケーブルの動作概要を示す図である。
【図４２】リピータ介在に対応可能とした対応ソース機器と対応ＨＤＭＩケーブル（電流消費部有り）を持つ伝送システムの構成例を示す図である。
【図４３】図４２の伝送システムの動作を説明するための図である。
【図４４】図４２の伝送システムの動作を説明するための図である。
【図４５】図４２の伝送システムの動作を説明するための図である。
【図４６】図４２の伝送システムの動作を説明するための図である。
【図４７】非対応ソース機器とリピータ介在に対応可能とした対応ＨＤＭＩケーブル（電流消費部有り）を持つ伝送システムの構成例を示す図である。
【図４８】リピータ介在に対応可能とした対応ソース機器と非対応ＨＤＭＩケーブルを持つ伝送システム（電流消費部有り）の構成例を示す図である。
【図４９】リピータ介在に対応可能とした対応ソース機器と対応ＨＤＭＩケーブル（電流消費部有り）を持つ伝送システム（リピータ介在）の構成例を示す図である。
【図５０】図４９の伝送システムの動作を説明するための図である。
【図５１】図４９の伝送システムの動作を説明するための図である。
【図５２】図４９の伝送システムの動作を説明するための図である。
【図５３】図４９の伝送システムの動作を説明するための図である。
【図５４】図４９の伝送システムが持つ対応ソース機器のシーケンスの一例を示す図である。
【図５５】図４９の伝送システムが持つ対応ＨＤＭＩケーブルのシーケンスの一例を示す図である。
【図５６】リピータ介在に対応可能とした対応ソース機器と対応ＨＤＭＩケーブル（レジスタおよび電流消費部有り）を持つ伝送システムの構成例を示す図である。
【図５７】可変抵抗回路を備える対応ソース機器と対応ＨＤＭＩケーブルを持つ伝送システムの構成例を示す図である。
【図５８】ソース機器とＨＤＭＩケーブルとの間における情報送受信時における可変抵抗回路の動作の一例を説明するための図である。
【図５９】可変抵抗回路の他の構成例を示す図である。
【図６０】ソース機器とＨＤＭＩケーブルが共通に持つ情報テーブルの一例を示す図である。
【図６１】図５７の伝送システムの動作を説明するための図である。
【図６２】図５７の伝送システムの動作を説明するための図である。
【図６３】図５７の伝送システムの動作を説明するための図である。
【図６４】非対応ソース機器と可変抵抗回路を備える対応ＨＤＭＩケーブルを持つ伝送システムの構成例を示す図である。
【図６５】可変抵抗回路を備える対応ソース機器と非対応ＨＤＭＩケーブルを持つ伝送システムの構成例を示す図である。
【図６６】図５７の伝送システムが持つ対応ソース機器のシーケンスの一例を示す図である。
【図６７】図５７の伝送システムが持つ対応ＨＤＭＩケーブルのシーケンスの一例を示す図である。
【図６８】リピータ介在に対応可能とした、可変抵抗回路を備える対応ソース機器と対応ＨＤＭＩケーブル（電流消費部有り）を持つ伝送システムの構成例を示す図である。
【図６９】図６８の伝送システムの動作を説明するための図である。
【図７０】図６８の伝送システムの動作を説明するための図である。
【図７１】図６８の伝送システムの動作を説明するための図である。
【図７２】図６８の伝送システムの動作を説明するための図である。
【図７３】非対応ソース機器と可変抵抗回路を備える対応ＨＤＭＩケーブル（電流消費部有り）を持つ伝送システムの構成例を示す図である。
【図７４】可変抵抗回路を備える対応ソース機器と非対応ＨＤＭＩケーブル（電流消費部有り）を持つ伝送システムの構成例を示す図である。
【図７５】リピータ介在に対応可能とした対応ソース機器と対応ＨＤＭＩケーブル（電流消費部有り）を持つ伝送システム（リピータ介在）の構成例を示す図である。
【図７６】図６８の伝送システムが持つ対応ソース機器のシーケンスの一例を示す図である。
【図７７】図６８の伝送システムが持つ対応ＨＤＭＩケーブルのシーケンスの一例を示す図である。
【図７８】ケーブルが外部給電端子を持つ伝送システムの構成例を示す図である。
【図７９】ケーブルが外部給電端子を持つ伝送システムの改良した構成例を示す図である。
【図８０】リピータ介在に対応可能とした対応ソース機器と対応ＨＤＭＩケーブル（レジスタ有り）を持つ伝送システムの構成例を示す図である。
【図８１】図８０の伝送システムの動作を説明するための図である。
【図８２】図８０の伝送システムの動作を説明するための図である。
【図８３】図８０の伝送システムの動作を説明するための図である。
【図８４】図８０の伝送システムの動作を説明するための図である。
【図８５】図８０の伝送システムの動作を説明するための図である。
【図８６】図８０の伝送システムの動作を説明するための図である。
【図８７】図８０の伝送システムの動作を説明するための図である。
【図８８】図８０の伝送システムの動作を説明するための図である。
【図８９】図８０の伝送システムが持つ対応ソース機器のシーケンスの一例を示す図である。
【図９０】図８０の伝送システムが持つ対応ＨＤＭＩケーブルのシーケンスの一例を示す図である。
【図９１】リピータ介在に対応可能とした対応ソース機器と対応ＨＤＭＩケーブル（レジスタおよび電流消費部有り）を持つ伝送システムの構成例を示す図である。
【図９２】リピータ介在に対応可能とした対応ソース機器と対応ＨＤＭＩケーブル（レジスタ有り）を持つ伝送システムの構成例を示す図である。
【図９３】リピータ介在に対応可能とした対応ソース機器と対応ＨＤＭＩケーブル（レジスタおよび電流消費部有り）を持つ伝送システムの構成例を示す図である。
【図９４】リピータ介在に対応可能とした対応ソース機器と対応ＨＤＭＩケーブル（レジスタ有り）を持つ伝送システムの構成例を示す図である。
【図９５】リピータ介在に対応可能とした対応ソース機器と対応ＨＤＭＩケーブル（レジスタおよび電流消費部有り）を持つ伝送システムの構成例を示す図である。
【図９６】リピータ介在に対応可能とした対応ソース機器と対応ＨＤＭＩケーブル（レジスタ有り）を持つ伝送システムの構成例を示す図である。
【図９７】リピータ介在に対応可能とした対応ソース機器と対応ＨＤＭＩケーブル（レジスタおよび電流消費部有り）を持つ伝送システムの構成例を示す図である。
【図９８】「Ｄｉｓｐｌａｙ  Ｐｏｒｔ」および「Ｔｈｕｎｄｅｒｂｏｌｔ」におけるピン配置を示す図である。
【発明を実施するための形態】
【００３８】
以下、発明を実施するための形態（以下、「実施の形態」とする）について説明する。なお、説明を以下の順序で行う。
１．実施の形態
２．変形例
【００３９】
＜１．実施の形態＞
［伝送システムの構成］
図１は、伝送システム３０の構成例を示している。この伝送システム３０は、デジタルインタフェースとしてＨＤＭＩを用いたＨＤＭＩ伝送システムである。この伝送システム３０は、ＨＤＭ送信機であるソース機器３１０と、ＨＤＭＩ受信機であるシンク機器３２０と、これらを接続するＨＤＭＩケーブル３３０を有している。
【００４０】
伝送システム３０の伝送チャネルには、デジタル信号としてビデオ、オーディオ、コントロールの各信号をＴＭＤＳデータで伝送する３つのＴＭＤＳチャネルと、クロック信号を伝送する１つのＴＭＤＳクロックチャネルがある。ＴＭＤＳチャネルおよびＴＭＤＳクロックチャネルは、それぞれ、２本の差動信号ラインからなる。図示の例においては、１チャネル分のみを示している。
【００４１】
また、ＨＤＭＩシステムの制御信号レーンとして、ＤＤＣライン、ＣＥＣライン、ＨＰＤライン、ユーティリティ（Utility）ライン、＋５Ｖ電源ラインがある。ＤＤＣラインは、ＨＤＭＩケーブル３３０に含まれるＳＤＡラインおよびＳＣＬラインの２本の信号線からなる。ＤＤＣラインは、例えば、ソース機器３１０がシンク機器３２０からＥＤＩＤを読み出すために使用される。ＣＥＣラインは、ソース機器３１０とシンク機器３２０との間で制御用のデータの双方向通信を行うために用いられる。
【００４２】
ＴＭＤＳチャネルにおいては、シンク機器３２０側に繋がった５０Ω終端抵抗からソース機器３１０側に電流を引く（Draw）ことでデータの“０”、“１”を伝送する電流駆動型が用いられる。このとき、Ｄ，Ｄ（バー）の差動信号に基づいて信号が差動で伝送される。なお、図示の例では、ソース機器３１０側の５０Ω終端抵抗を使った例を示しているが、ＴＭＤＳではこの５０Ωを使わずに、シンク機器側の５０Ω終端抵抗のみで駆動することもできる。
【００４３】
ＨＤＭＩ規格では、ＨＤＭＩケーブル３３０を接続した際のシーケンスが規定されており、ＨＤＭＩケーブル３３０のプラグ両端がそれぞれソース機器３１０とシンク機器３２０に接続されると、ソース機器３１０からシンク機器３２０に＋５Ｖ電源ラインを介して５Ｖ電圧が伝わり、シンク機器３２０内で５Ｖを検知するとＨＰＤラインを介してシンク機器３２０からソース機器３１０へ５Ｖを伝送することで正しくケーブルが繋がったことをソース機器３１０へ知らせる。
【００４４】
ソース機器３１０の制御部３１１は、ＨＰＤラインの５Ｖを検知すると、ケーブルが繋がったと判断し、シンク機器３２０側のＥＤＩＤ  ＲＯＭ３２１にＤＤＣラインを使ってＥＤＩＤを読みにいく。その後、ＤＤＣラインなどの制御ラインを用いてＨＤＣＰ（High-bandwidth Digital Content Protection System）などの信号のやり取りをソース機器３１０とシンク機器３２０で開始し、ソース機器３１０からシンク機器３２０へ一方向に、ＴＭＤＳチャネルを用いたＴＭＤＳデータの送信が開始される。なお、シンク機器３２０側の制御部３２２に用意されたレジスタを用いることで、ソース機器３１０とシンク機器３２０は情報交換が可能である。
【００４５】
ケーブル３３０にレジスタを用意し、ソース機器３１０とケーブル３３０との間で情報のやり取りを行おうとした場合、図２の伝送システム３０Ａに示すように、ケーブル３３０Ａ内でＤＤＣラインにパラレルにレジスタ３３１を配置することが考えられる。この場合、レジスタ３３１が持つ情報として、ケーブルＩＤ、回路特性調整用パラメータ、ケーブルが消費する電流量、伝送可能データレートなどが考えられる。なお、図２において、図１と対応する部分には同一符号を付し、適宜、その詳細説明は省略する。
【００４６】
この構成の場合、ソース機器３１０は、ケーブル３３０Ａのレジスタ３３１の新アドレスにアクセスすると同時にシンク機器３２０へもアクセスしてしまう。意図しないアドレスへのアクセスがあった場合、シンク機器３２０は誤動作を起こす可能性がある。
【００４７】
これを回避するためには、図３に示す伝送システム３０Ｂに示すように、最も単純な方法として、ケーブル３３０Ｂ内でＤＤＣラインのレジスタ３３１が接続される地点よりシンク機器３２０側にスイッチＳＷ５を挿入し、ソース機器３１０からレジスタ３３１にリード/ライトのアクセスをする際に、アドレス情報がシンク機器３２０へ伝わらないようにする方法が考えられる。なお、図３において、図２と対応する部分には同一符号を付し、適宜、その詳細説明は省略する。
【００４８】
この場合、ケーブル３３０Ｂは、ソース機器３１０からいつアクセスがあっても良いように、スイッチＳＷ５の初期状態を開放状態としておく必要がある。ケーブル３３０Ｂはレジスタ３３１へのアクセス終了を検知したらスイッチＳＷ５を短絡状態として通常動作へ移行できる。しかし、ソース機器３１０がレガシー機器であった場合、このソース機器３１０はレジスタ３１１にアクセスをしないため、ケーブル３３０ＢのスイッチＳＷ５は開放状態のままとなり、通常のＤＤＣ通信を妨害する。
【００４９】
図４は、ＡＯＣであるＨＤＭＩケーブル３３０Ｃを用いた場合の伝送システム３０Ｃの構成例を示している。この図４において、図１と対応する部分には同一符号を付し、その詳細説明は省略する。
【００５０】
この伝送システム３０Ｃの場合、ＨＤＭＩケーブル３３０Ｃのソース側プラグ内には電気から光に変換する変換回路３３１Ａが存在し、また、そのシンク側プラグ内には光から電気に変換する変換回路３３１Ｂが存在する。これらの変換回路３３１Ａ，３３１Ｂに、＋５Ｖ電源ラインの＋５ＶからＬＤＯ（Low Drop Out）レギュレータ３３２Ａ，３３２Ｂで得られた３．３Ｖの電源が与えられる。なお、変換回路３３１Ａ，３３１Ｂは、データライン（ＴＭＤＳライン）に介在される信号品質を調整するための素子であって電流消費部を構成する。
【００５１】
また、ＨＤＭＩケーブル３３０Ｃのソース側プラグ内では、ＬＤＯレギュレータ３３２Ａで得られた３．３Ｖが５０Ωの終端抵抗を通じてデータライン（ＴＭＤＳライン）にバイアス電圧として印加される。さらに、ＨＤＭＩケーブル３３０Ｃのシンク側プラグ内には、変換回路３３１Ｂから得られる差動信号に基づいて信号を差動で伝送するための電流駆動部３３３Ｂが設けられている。
【００５２】
図５は、ＡＣＣであるＨＤＭＩケーブル３３０Ｄを用いた場合の伝送システム３０Ｄの構成例を示している。この図５において、図４と対応する部分には同一符号を付し、その詳細説明は省略する。
【００５３】
この伝送システム３０Ｄの場合、ＨＤＭＩケーブル３３０Ｄの両側のプラグ内には電気の５０Ω配線を駆動するための駆動回路３３４Ａ，３３４Ｂが存在する。これらの駆動回路３３４Ａ，３３４Ｂに、＋５Ｖ電源ラインの＋５ＶからＬＤＯレギュレータ３３５Ａ，３３５Ｂで得られた３．３Ｖの電源が与えられる。なお、これらの駆動回路３３４Ａ，３３４Ｂは、データライン（ＴＭＤＳライン）に介在される信号品質を調整するための素子であって電流消費部を構成する。
【００５４】
また、ＨＤＭＩケーブル３３０Ｄのソース側プラグ内では、ＬＤＯ３３５Ａで得られた３．３Ｖが５０Ωの終端抵抗を通じてデータライン（ＴＭＤＳライン）にバイアス電圧として印加される。さらに、ＨＤＭＩケーブル３３０Ｄのシンク側プラグ内には、変換回路３３４Ｂから得られる差動信号に基づいて信号を差動で伝送するための電流駆動部３３６Ｂが設けられている。
【００５５】
ソース機器３１０における＋５Ｖ電源ラインから出力する電流の保証値は最小５５ｍＡである。ＡＯＣであるＨＤＭＩケーブル３３０Ｃを用いる場合（図４参照）は、電気から光に変換するための回路および光から電気へ変換するための回路がケーブルのプラグ両端に必要になり、通常５５ｍＡで動作させることは難しい。このとき５５ｍＡしか保証しないソース機器からケーブルが５５ｍＡ以上の電流を引こうとした場合、ソース機器が過電流に耐えられず故障する可能性がある。ＡＣＣであるＨＤＭＩケーブル３３０Ｄを用いる場合（図５参照）も、同様のことが言える。
【００５６】
この実施の形態において、伝送システムを構成するソース機器およびＨＤＭＩケーブルは、図６に示すように、それぞれ、対応品であるか否か、さらには相手が対応品であるか否かによって異なる動作をする。
【００５７】
図６（ａ）に示すように、対応ソース機器（対応品であるソース機器）は、対応ケーブル（対応品であるＨＤＭＩケーブル）が接続される場合は対応モードで動作し、非対応ケーブルが接続される場合は非対応モードで動作し、非対応ソース機器は、対応ケーブルおよび非対応ケーブルのいずれが接続される場合も通常動作をする。また、図６（ｂ）に示すように、対応ケーブルは、対応ソース機器が接続される場合は対応モードで動作をし、非対応ソース機器が接続される場合は非対応モードで動作し、非対応ケーブルは、対応ソース機器および非対応ソース機器のいずれが接続される場合も通常動作をする。
【００５８】
「実施形態１」
図７は、伝送システム１０-1の構成例を示している。この伝送システム１０-1は、デジタルインタフェースとしてＨＤＭＩを用いたＨＤＭＩ伝送システムである。この伝送システム１０-1は、送信装置としてのソース機器１１０-1と、受信装置としてのシンク機器３２０と、これらを接続するＨＤＭＩケーブル１３０-1を有している。この図７において、図１と対応する部分には同一符号を付し、適宜、その詳細説明は省略する。
【００５９】
ＨＤＭＩケーブル１３０-1は、ケーブル仕様データが格納されたレジスタ１３１を有する対応ケーブルである。このＨＤＭＩケーブル１３０-1は、レジスタ１３１の他に、制御部１３２、電圧モニタ部１３３，１３４、スイッチＳＷ３，ＳＷ４，ＳＷ５、ＳＷ６および分圧用の抵抗Ｒ２を有している。
【００６０】
レジスタ１３１は、ＤＤＣラインの地点Ｐ１に接続されている。このＤＤＣラインの地点Ｐ１よりシンク機器３２０側に、スイッチＳＷ５が挿入されている。また、Ｕｔｉｌｉｔｙラインの地点Ｐ２と接地との間には、抵抗Ｒ２およびスイッチＳＷ３の直列回路が接続されている。これにより、Ｕｔｉｌｉｔｙラインの地点Ｐ２には、接地電圧である０Ｖが、抵抗Ｒ２およびスイッチＳＷ３の直列回路を介して印加される。このＵｔｉｌｉｔｙラインの地点Ｐ２よりシンク機器３２０側に、スイッチＳＷ４が挿入されている。また、＋５Ｖ電源ラインには、スイッチＳＷ６が挿入されている。
【００６１】
電圧モニタ部１３３は、Ｕｔｉｌｉｔｙラインの地点Ｐ２の電圧をモニタし、そのモニタ結果を制御部１３２に送る。電圧モニタ部１３４は、＋５Ｖの電源ラインのスイッチＳＷ６の挿入位置より端子側の地点Ｐ３の電圧をモニタし、そのモニタ結果を制御部１３２に送る。制御部１３２は、ＨＤＭＩケーブル１３０-1の各部の動作を制御する。
【００６２】
ソース機器１１０-1は、対応ソース機器である。このソース機器１１０-1は、各部の動作を制御する制御部１１１の他に、電圧モニタ部１１２、スイッチＳＷ１，ＳＷ２および分圧用の抵抗Ｒ１を有している。上述したＨＤＭＩケーブル１３０-1の抵抗Ｒ２とこのソース機器１１０-1の抵抗Ｒ１は、それぞれ、消費電流を少なくするためにはある程度大きな値であることが望ましい。以下、Ｒ１＝１００ｋΩ、Ｒ２＝４００ｋΩとして説明する。
【００６３】
＋５Ｖ電源ラインとＵｔｉｌｉｔｙラインの地点Ｑ１との間には、抵抗Ｒ１およびスイッチＳＷ１の直列回路が接続されている。これにより、Ｕｔｉｌｉｔｙラインの地点Ｑ１には、＋５Ｖが、抵抗Ｒ１およびスイッチＳＷ１の直列回路を介して印加される。Ｕｔｉｌｉｔｙラインの地点Ｑ１の端子側とは反対側にスイッチＳＷ２が挿入されている。電圧モニタ部１１２は、Ｕｔｉｌｉｔｙラインの地点Ｑ１の電圧をモニタし、そのモニタ結果を制御部１１１に送る。
【００６４】
図７に示す伝送システム１０-1において、ＨＤＭＩケーブル１３０-1は対応ケーブルであり、ソース機器１１０-1は対応ソース機器である。そのため、ソース機器１１０-1は、接続されているＨＤＭＩケーブルが対応ケーブルであると判断し、対応モードで動作する。同様に、ＨＤＭＩケーブル１３０-1は、接続されているソース機器が対応ソース機器であると判断し、対応モードで動作する。
【００６５】
ソース機器１１０-1およびＨＤＭＩケーブル１３０-1の動作の詳細を説明する。図７において、ソース機器１１０-1およびＨＤＭＩケーブル１３０-1は、初期状態を示している。ソース機器１１０-1において、初期状態では、スイッチＳＷ１は短絡状態とされており、スイッチＳＷ２は開放状態とされている。一方、ＨＤＭＩケーブル１３０-1において、初期状態では、スイッチＳＷ３は短絡状態とされており、スイッチＳＷ４，ＳＷ５，ＳＷ６は開放状態とされている。
【００６６】
この初期状態では、スイッチＳＷ１，ＳＷ３が短絡状態とされているので、ソース機器１１０-1の＋５Ｖ電源ラインとＨＤＭＩケーブル１３０-1の接地（０Ｖ）との間に、抵抗Ｒ１，Ｒ２が直列に接続され、Ｕｔｉｌｉｔｙラインの地点Ｑ１，Ｐ２には、抵抗分圧により、４Ｖの電圧が得られる。
【００６７】
ソース機器１１０-1の電圧モニタ部１１２は地点Ｑ１の電圧が４Ｖであることをモニタし、そのモニタ結果を制御部１１１に送る。制御部１１１は、このモニタ結果に基づいて、接続されているＨＤＭＩケーブルが対応ケーブルであると判断し、対応モードで動作するように制御する。
【００６８】
同様に、ＨＤＭＩケーブル１３０-1の電圧モニタ部１３３は地点Ｐ２の電圧が４Ｖであることをモニタし、そのモニタ結果を制御部１３２に送る。制御部１３２は、このモニタ結果に基づいて、接続されているソース機器が対応ソース機器であると判断し、対応モードで動作するように制御する。
【００６９】
ここで、ソース機器１１０-1において、スイッチＳＷ２が開放状態とされているので、４Ｖの電圧はソース機器１１０-1内部に伝搬されず、ソース機器１１０-1内部に影響を及ぼすことがない。同様に、ＨＤＭＩケーブル１３０-1において、スイッチＳＷ４は開放状態とされているので、４Ｖの電圧はシンク機器３２０に伝搬されず、シンク機器３２０に影響を及ぼすことがない。
【００７０】
ソース機器１１０-1は対応モードで動作するように制御されるので、制御部１１１は、ＤＤＣラインを介して、ＨＤＭＩケーブル１３０-1のレジスタ１３１にアクセス（リード/ライト）する。この場合、スイッチＳＷ５が開放状態にあるので、シンク機器３２０にレジスタ１３１のアクセス情報が送信されることを防止でき、該当アドレスが定義されていないシンク機器３２０で誤動作を生じてしまうことが回避される。
【００７１】
ソース機器１１０-1において、ＨＤＭＩケーブル１３０-1のレジスタ１３１へのアクセスが終了すると、図８に示すように、制御部１１１は、スイッチＳＷ１を開放状態とする。そのため、Ｕｔｉｌｉｔｙラインの地点Ｐ２の電圧は０Ｖとなる。ＨＤＭＩケーブル１３０-1において、電圧モニタ部１３３は地点Ｐ２の電圧が０Ｖであることをモニタし、そのモニタ結果を制御部１３２に送る。このように地点Ｐ２の電圧が０Ｖであることをモニタすることで、ソース機器からレジスタ１３１にアクセスされたことが確認される。
【００７２】
制御部１３２は、このモニタ結果に基づいて、ソース機器１１０-1によるレジスタ１３１へのアクセスが終了したと判断し、図９に示すように、各スイッチの状態を変更して、通常動作へと移行する。この場合、シンク機器３２０へ影響を与えないように、まずスイッチＳＷ３を開放状態とし、次にスイッチＳＷ４，ＳＷ５を短絡状態とし、最後にスイッチＳＷ６を短絡状態とする。
【００７３】
スイッチＳＷ６が短絡状態とされることで、ソース機器１１０-1からシンク機器３２０に＋５Ｖ電源ラインを通じて５Ｖ電圧が送られ、それに伴ってシンク機器３２０からソース機器１１０-1にＨＰＤラインを介して５Ｖ電圧（接続検知信号）が送られる。これにより、ソース機器１１０-1の制御部１１１は、ケーブルの準備が完了したことを認識し、図１０に示すように、スイッチＳＷ２を短絡状態とし、通常動作へと移行する。
【００７４】
このように図７に示す伝送システム１０-1においては、ソース機器１１０-1からＨＤＭＩケーブル１３０-1のレジスタ１３１へのアクセスが終了するまでは、スイッチＳＷ５が開放状態に置かれる。そのため、シンク機器３２０にレジスタ１３１のアクセス情報がＤＤＣラインを通じて送信されることがなく、該当アドレスが定義されていないシンク機器３２０で誤動作を生じてしまうことを回避できる。
【００７５】
また、図７に示す伝送システム１０-1においては、ソース機器１１０-1からＨＤＭＩケーブル１３０-1のレジスタ１３１へのアクセスが終了した後にスイッチＳＷ５が短絡状態に変更され、その後にスイッチＳＷ６が短絡状態に変更される。そのため、シンク機器３２０からソース機器１１０-1に接続検知信号を送られた後にソース機器１１０-1からＤＤＣラインを通じてシンク機器３２０に送られる通信信号が妨げられることを回避できる。
【００７６】
図１１は、伝送システム１０-1Aの構成例を示している。この伝送システム１０-1Aは、デジタルインタフェースとしてＨＤＭＩを用いたＨＤＭＩ伝送システムである。この伝送システム１０-1Aは、送信装置としてのソース機器３１０と、受信装置としてのシンク機器３２０と、これらを接続するＨＤＭＩケーブル１３０-1を有している。この図１１において、図１、図７と対応する部分には同一符号を付し、適宜、その詳細説明は省略する。
【００７７】
この伝送システム１０-1Aにおいては、ソース機器３１０はレガシーのような非対応ソース機器であり、ＨＤＭＩケーブル１３０-1は対応ケーブルである。この場合、ソース機器３１０は、通常動作をする（図６参照）。
【００７８】
また、ＨＤＭＩケーブル１３０-1は、ソース機器が非対応ソース機器であると判断し、非対応モードで動作する。この場合、初期状態において、Ｕｔｉｌｉｔｙラインの地点Ｐ２の電圧は０Ｖとなる。ＨＤＭＩケーブル１３０-1の電圧モニタ部１３３は地点Ｐ２の電圧が０Ｖであることをモニタし、そのモニタ結果を制御部１３２に送る。制御部１３２は、このモニタ結果と＋５Ｖ電源ラインがハイレベル（５Ｖ）にあることに基づいてソース機器が非対応ソース機器であると判断し、非対応モードで動作するように制御する。
【００７９】
この場合、制御部１３２は、各スイッチの状態を変更して、通常動作へと移行する。この場合、シンク機器３２０へ影響を与えないように、まずスイッチＳＷ３を開放状態とし、次にスイッチＳＷ４，ＳＷ５を短絡状態とし、最後にスイッチＳＷ６を短絡状態とする。
【００８０】
図１２は、伝送システム１０-1Bの構成例を示している。この伝送システム１０-1Bは、デジタルインタフェースとしてＨＤＭＩを用いたＨＤＭＩ伝送システムである。この伝送システム１０-1Bは、送信装置としてのソース機器１１０-1と、受信装置としてのシンク機器３２０と、これらを接続するＨＤＭＩケーブル３３０を有している。この図１２において、図１、図７と対応する部分には同一符号を付し、適宜、その詳細説明は省略する。
【００８１】
この伝送システム１０-1Bにおいては、ソース機器１１０-1は対応ソース機器であり、ＨＤＭＩケーブル３３０はレガシーのような非対応ケーブルある。この場合、ＨＤＭＩケーブル３３０は、通常動作をする（図６参照）。
【００８２】
ソース機器１１０-1は、ＨＤＭＩケーブルが非対応ケーブルであると判断し、非対応モードで動作する。この場合、初期状態において、Ｕｔｉｌｉｔｙラインの地点Ｑ１の電圧は５Ｖとなる。ソース機器１１０-1の電圧モニタ部１１２は地点Ｑ１の電圧が５Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。
【００８３】
この場合、制御部１１１は、各スイッチの状態を変更して、通常動作へと移行する。この場合、ソース機器１１０-1内部へ影響を与えないように、まずスイッチＳＷ１を開放状態とし、次にスイッチＳＷ２を短絡状態とする。
【００８４】
図１３は、対応ソース機器であるソース機器１１０-1のシーケンスの一例を示している。ステップＳＴ１において、例えば電源スイッチがオンとされて＋５Ｖが立ち上げられると、シーケンスが開始され、ステップＳＴ２に進む。このステップＳＴ２において、制御部１１１により、電圧モニタ部１１２で所定のバイアス電圧（４Ｖ）が検知されたか判断される。
【００８５】
所定のバイアス電圧（４Ｖ）が検知されたとき、ステップＳＴ３において、制御部１１１により、ＨＤＭＩケーブルは対応ケーブルであると判断される。そして、ステップＳＴ４において、制御部１１１により、ＨＤＭＩケーブルのレジスタへのアクセスが開始される。
【００８６】
次に、ステップＳＴ５において、ＨＤＭＩケーブルのレジスタへのアクセスが終了した後に、制御部１１１により、スイッチＳＷ１が短絡状態から開放状態に変更される。その後、ステップＳＴ６において、制御部１１１により、ＨＰＤラインがハイレベル（５Ｖ）になったことが検知されると、ステップＳＴ７において、制御部１１１により、スイッチＳＷ２が開放状態から短絡状態に変更される。そして、ステップＳＴ８において、シーケンスが終了される。
【００８７】
また、ステップＳＴ２で所定のバイアス電圧（４Ｖ）が検知されないとき、ステップＳＴ９において、制御部１１１により、ＨＰＤラインのハイレベル（５Ｖ）が検知されたか否かが判断される。ＨＰＤラインのハイレベル（５Ｖ）が検知されないとき、ステップＳＴ２に戻る。一方、ＨＰＤラインのハイレベル（５Ｖ）が検知されたとき、ステップＳＴ１０において、制御部１１１により、ＨＤＭＩケーブルは非対応ケーブルであると判断される。
【００８８】
そして、ステップＳＴ１１において、スイッチＳＷ１が短絡状態から開放状態に変更される。次に、ステップＳＴ７において、制御部１１１により、スイッチＳＷ２が開放状態から短絡状態に変更される。そして、ステップＳＴ８において、シーケンスが終了される。
【００８９】
図１４は、対応ケーブルであるＨＤＭＩケーブル１３０-1のシーケンスの一例を示している。ステップＳＴ２１において、電圧モニタ部１３４で５Ｖの電圧が検知されると、シーケンスが開始され、ステップＳＴ２２に進む。このステップＳＴ２２において、制御部１３２により、電圧モニタ部１３３で所定のバイアス電圧（４Ｖ）が検知されたか判断される。
【００９０】
所定のバイアス電圧（４Ｖ）が検知されたとき、ステップＳＴ２３において、制御部１３２により、ソース機器は対応ソース機器であると判断される。そして、ステップＳＴ２４において、電圧モニタ部１３３で０Ｖが検知されると、ステップＳＴ２５において、制御部１３２により、スイッチＳＷ３が短絡状態から開放状態に変更される。この場合、電圧モニタ部１３３で０Ｖが検知されることで、ソース機器からレジスタ１３１がアクセスされたことが確認される。
【００９１】
次に、ステップＳＴ２６において、制御部１３２により、スイッチＳＷ４、ＳＷ５が開放状態から短絡状態に変更され、次に、ステップＳＴ２７において、制御部１３２により、スイッチＳＷ６が開放状態から短絡状態に変更される。そして、ステップＳＴ２８において、シーケンスが終了される。
【００９２】
また、ステップＳＴ２２で所定のバイアス電圧（４Ｖ）が検知されないとき、ステップＳＴ２９において、制御部１３２により、ソース機器は非対応ソース機器であると判断される。そして、ステップＳＴ２５において、制御部１３２により、スイッチＳＷ３が短絡状態から開放状態に変更される。
【００９３】
次に、ステップＳＴ２６において、制御部１３２により、スイッチＳＷ４、ＳＷ５が開放状態から短絡状態に変更され、次に、ステップＳＴ２７において、制御部１３２により、スイッチＳＷ６が開放状態から短絡状態に変更される。そして、ステップＳＴ２８において、シーケンスが終了される。
【００９４】
なお、ソース機器１１０-1のスイッチＳＷ１，ＳＷ２およびＨＤＭＩケーブル１３０-1のスイッチＳＷ３，ＳＷ４，ＳＷ５，ＳＷ６は、＋５Ｖ電源ラインの電圧が落ちたら、初期状態にリセットされる。
【００９５】
ここで、図７に示す伝送システム１０-1において、ＨＤＭＩケーブル１３０-1とソース機器１１０-1との接続が外れた場合を考える。ＨＤＭＩケーブル１３０-1においては、＋５Ｖ電源ラインの電圧が電圧モニタ部１３４で常にモニタされている。接続が外れた場合には、＋５Ｖ電源ラインの電圧が５Ｖから低下するので、制御部１３２は、接続が外れたと判断し、各スイッチの状態を初期状態とする。
【００９６】
また、図７に示す伝送システム１０-1において、ソース機器１１０-1のスイッチＳＷ２とＨＤＭＩケーブル１３０-1のスイッチＳＷ４について考える。ソース機器１１０-1とシンク機器３２０へのバイアス電圧伝搬が問題なければ、またはソース機器１１０-1とシンク機器３２０のＵｔｉｌｉｔｙラインの出力/入力回路がバイアス電圧へ影響を与えないのであれば、これらのスイッチＳＷ２，ＳＷ４はなくても動作可能である。
【００９７】
また、図７に示す伝送システム１０-1において、ＨＤＭＩケーブル１３０-1の各部を動作させるための電源について考える。電圧モニタ部１３３，１３４レジスタ１３１、スイッチＳＷ３，ＳＷ４，ＳＷ５，ＳＷ６および制御部１３２を動作させるための電源を、＋５Ｖ電源ラインを介してソース機器１１０-1から与えるか、あるいはＨＤＭＩケーブル１３０-1内に持つ図示しないバッテリーから与えるか、ケーブルプラグ内にもつＨＤＭＩ端子とは別の外部電源端子から与えることが考えられる。なお、このＨＤＭＩケーブルの各部を動作させるための電源についての考えは、以下の各ケーブルにおいても同様に適用し得るものである。
【００９８】
「実施形態２」
図１５は、伝送システム１０-2の構成例を示している。この伝送システム１０-2は、デジタルインタフェースとしてＨＤＭＩを用いたＨＤＭＩ伝送システムである。この伝送システム１０-2は、送信装置としてのソース機器１１０-2と、受信装置としてのシンク機器３２０と、これらを接続するＨＤＭＩケーブル１３０-2を有している。
【００９９】
上述の図７に示す伝送システム１０-1では、Ｕｔｉｌｉｔｙラインを用いてソース機器とＨＤＭＩケーブルが対応品か否かを判断するものであったが、この伝送システム１０-2では、＋５Ｖ電源ラインを用いて判断するものである。この図１５において、図１、図７と対応する部分には同一符号を付し、適宜、その詳細説明は省略する。
【０１００】
ＨＤＭＩケーブル１３０-2は、ケーブル仕様データが格納されたレジスタ１３１を有する対応ケーブルである。このＨＤＭＩケーブル１３０-2は、レジスタ１３１の他に、制御部１３２、電圧モニタ部１３３、スイッチＳＷ１３，ＳＷ１４，ＳＷ１５および分圧用の抵抗Ｒ２を有している。レジスタ１３１は、ＤＤＣラインの地点Ｐ１１に接続されている。このＤＤＣラインの地点Ｐ１１よりシンク機器３２０側に、スイッチＳＷ１４が挿入されている。
【０１０１】
また、＋５Ｖ電源ラインの地点Ｐ１２と接地との間には、抵抗Ｒ２およびスイッチＳＷ１３の直列回路が接続されている。これにより、＋５Ｖ電源ラインの地点Ｐ１２には、接地電圧である０Ｖが、抵抗Ｒ２およびスイッチＳＷ１３の直列回路を介して印加される。この＋５Ｖ電源ラインの地点Ｐ１２よりシンク機器３２０側に、スイッチＳＷ１５が挿入されている。電圧モニタ部１３３は、＋５Ｖ電源ラインの地点Ｐ１２の電圧をモニタし、そのモニタ結果を制御部１３２に送る。制御部１３２は、ＨＤＭＩケーブル１３０-2の各部の動作を制御する。
【０１０２】
ソース機器１１０-2は、対応ソース機器である。このソース機器１１０-2は、各部の動作を制御する制御部１１１の他に、電圧モニタ部１１２、スイッチＳＷ１１，ＳＷ１２および分圧用の抵抗Ｒ１を有している。上述したＨＤＭＩケーブル１３０-2の抵抗Ｒ２とこのソース機器１１０-2の抵抗Ｒ１は、それぞれ、消費電流を少なくするためにはある程度大きな値であることが望ましい。以下、Ｒ１＝１００ｋΩ、Ｒ２＝４００ｋΩとして説明する。
【０１０３】
＋５Ｖ電源ラインの地点Ｑ１１には、５Ｖの電圧が抵抗Ｒ１およびスイッチＳＷ１１の直列回路を介して印加される。＋５Ｖ電源ラインの地点Ｑ１１の端子側とは反対側にスイッチＳＷ１２が挿入されている。電圧モニタ部１１２は、＋５Ｖ電源ラインの地点Ｑ１１の電圧をモニタし、そのモニタ結果を制御部１１１に送る。
【０１０４】
図１５に示す伝送システム１０-2において、ＨＤＭＩケーブル１３０-2は対応ケーブルであり、ソース機器１１０-2は対応ソース機器である。そのため、ソース機器１１０-2は、接続されているＨＤＭＩケーブルが対応ケーブルであると判断し、対応モードで動作する。同様に、ＨＤＭＩケーブル１３０-2は、接続されているソース機器が対応ソース機器であると判断し、対応モードで動作する。
【０１０５】
ソース機器１１０-2およびＨＤＭＩケーブル１３０-2の動作の詳細を説明する。図１５において、ソース機器１１０-2およびＨＤＭＩケーブル１３０-2は、初期状態を示している。ソース機器１１０-2において、初期状態では、スイッチＳＷ１１は短絡状態とされており、スイッチＳＷ１２は開放状態とされている。一方、ＨＤＭＩケーブル１３０-2において、初期状態では、スイッチＳＷ１３は短絡状態とされており、スイッチＳＷ１４，ＳＷ１５は開放状態とされている。
【０１０６】
この初期状態では、スイッチＳＷ１１，ＳＷ１３が短絡状態とされているので、抵抗Ｒ１，Ｒ２が直列に接続され、スイッチＳＷ１２とスイッチＳＷ１５の間に挟まれた＋５Ｖ電源ラインの地点Ｑ１１，Ｐ１２には、抵抗分圧により、４Ｖの電圧が得られる。
【０１０７】
ソース機器１１０-2の電圧モニタ部１１２は地点Ｑ１１の電圧が４Ｖであることをモニタし、そのモニタ結果を制御部１１１に送る。制御部１１１は、このモニタ結果に基づいて、接続されているＨＤＭＩケーブルが対応ケーブルであると判断し、対応モードで動作するように制御する。
【０１０８】
同様に、ＨＤＭＩケーブル１３０-2の電圧モニタ部１３３は地点Ｐ１２の電圧が４Ｖであることをモニタし、そのモニタ結果を制御部１３２に送る。制御部１３２は、このモニタ結果に基づいて、接続されているソース機器が対応ソース機器であると判断し、対応モードで動作するように制御する。
【０１０９】
ソース機器１１０-2は対応モードで動作するように制御されるので、制御部１１１は、ＤＤＣラインを介して、ＨＤＭＩケーブル１３０-2のレジスタ１３１にアクセス（リード/ライト）する。この場合、スイッチＳＷ１４が開放状態にあるので、シンク機器３２０にレジスタ１３１のアクセス情報が送信されることを防止でき、該当アドレスが定義されていないシンク機器３２０で誤動作を生じてしまうことが回避される。
【０１１０】
ソース機器１１０-2において、ＨＤＭＩケーブル１３０-2のレジスタ１３１へのアクセスが終了すると、図１６に示すように、制御部１１１は、スイッチＳＷ１２を短絡状態とし、さらにスイッチＳＷ１１を開放状態とする。そのため、＋５Ｖ電源ラインの地点Ｐ１２の電圧は５Ｖとなる。ＨＤＭＩケーブル１３０-2において、電圧モニタ部１３３は地点Ｐ１２の電圧が５Ｖであることをモニタし、そのモニタ結果を制御部１３２に送る。このように地点Ｐ１２の電圧が５Ｖであることをモニタすることで、ソース機器からレジスタ１３１にアクセスされたことが確認される。
【０１１１】
制御部１３２は、このモニタ結果に基づいて、ソース機器１１０-2によるレジスタ１３１へのアクセスが終了したと判断し、図１７に示すように、各スイッチの状態を変更して、通常動作へと移行する。この場合、まずスイッチＳＷ１３を開放状態、スイッチＳＷ１４を短絡状態とした後に、スイッチＳＷ１５を短絡状態とする。
【０１１２】
スイッチＳＷ１５が短絡状態とされることで、ソース機器１１０-2からシンク機器３２０に＋５Ｖ電源ラインを通じて５Ｖ電圧が送られ、それに伴ってシンク機器３２０からソース機器１１０-2にＨＰＤラインを介して５Ｖ電圧（接続検知信号）が送られる。これにより、ソース機器１１０-2の制御部１１１は、ケーブルの準備が完了したことを認識し、通常動作へと移行する。
【０１１３】
このように図１５に示す伝送システム１０-2においては、ソース機器１１０-2からＨＤＭＩケーブル１３０-2のレジスタ１３１へのアクセスが終了するまでは、スイッチＳＷ１４が開放状態に置かれる。そのため、シンク機器３２０にレジスタ１３１のアクセス情報がＤＤＣラインを通じて送信されることがなく、該当アドレスが定義されていないシンク機器３２０で誤動作を生じてしまうことを回避できる。
【０１１４】
また、図１５に示す伝送システム１０-2においては、ソース機器１１０-2からＨＤＭＩケーブル１３０-2のレジスタ１３１へのアクセスが終了した後にスイッチＳＷ１４が短絡状態に変更され、その後にスイッチＳＷ１５が短絡状態に変更される。そのため、シンク機器３２０からソース機器１１０-2に接続検知信号を送られた後にソース機器１１０-2からＤＤＣラインを通じてシンク機器３２０に送られる通信信号が妨げられることを回避できる。
【０１１５】
図１８は、伝送システム１０-2Aの構成例を示している。この伝送システム１０-2Aは、デジタルインタフェースとしてＨＤＭＩを用いたＨＤＭＩ伝送システムである。この伝送システム１０-2Aは、送信装置としてのソース機器３１０と、受信装置としてのシンク機器３２０と、これらを接続するＨＤＭＩケーブル１３０-2を有している。この図１８において、図１、図１５と対応する部分には同一符号を付し、適宜、その詳細説明は省略する。
【０１１６】
この伝送システム１０-2Aにおいては、ソース機器３１０はレガシーのような非対応ソース機器であり、ＨＤＭＩケーブル１３０-2は対応ケーブルである。この場合、ソース機器３１０は、通常動作をする（図６参照）。
【０１１７】
また、ＨＤＭＩケーブル１３０-2は、ソース機器が非対応ソース機器であると判断し、非対応モードで動作する。この場合、初期状態において、＋５Ｖ電源ラインの地点Ｐ１２の電圧は５Ｖとなる。ＨＤＭＩケーブル１３０-2の電圧モニタ部１３３は地点Ｐ１２の電圧が５Ｖであることをモニタし、そのモニタ結果を制御部１３２に送る。制御部１３２は、このモニタ結果に基づいてソース機器が非対応ソース機器であると判断し、非対応モードで動作するように制御する。
【０１１８】
この場合、制御部１３２は、各スイッチの状態を変更して、通常動作へと移行する。この場合、まずスイッチＳＷ１３を開放状態、スイッチＳＷ１４を短絡状態とし、その後にスイッチＳＷ１５を短絡状態として、通常動作へと移行する。
【０１１９】
図１９は、伝送システム１０-2Bの構成例を示している。この伝送システム１０-2Bは、デジタルインタフェースとしてＨＤＭＩを用いたＨＤＭＩ伝送システムである。この伝送システム１０-2Bは、送信装置としてのソース機器１１０-2と、受信装置としてのシンク機器３２０と、これらを接続するＨＤＭＩケーブル３３０を有している。この図１９において、図１、図１５と対応する部分には同一符号を付し、適宜、その詳細説明は省略する。
【０１２０】
この伝送システム１０-2Bにおいては、ソース機器１１０-2は対応ソース機器であり、ＨＤＭＩケーブル３３０はレガシーのような非対応ケーブルある。この場合、ＨＤＭＩケーブル３３０は、通常動作をする（図６参照）。
【０１２１】
ソース機器１１０-2は、ＨＤＭＩケーブルが非対応ケーブルであると判断し、非対応モードで動作する。この場合、初期状態において、＋５Ｖ電源ラインの地点Ｑ１１の電圧は５Ｖとなる。ソース機器１１０-2の電圧モニタ部１１２は地点Ｑ１１の電圧が５Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。この場合、制御部１１１は、スイッチＳＷ１２を短絡状態とし、さらにスイッチＳＷ１１を開放状態として、通常動作へと移行する。
【０１２２】
ここで、シンク機器３２０は、５Ｖを検知した段階で５０ｍＡを引き始める可能性がある。図１９の初期状態で１００ｋΩの抵抗Ｒ１を介して５０ｍＡが引かれると、スイッチＳＷ１２からシンク機器３２０側の＋５Ｖ電源ラインの電圧は５Ｖから著しく低下し、定められたスペック範囲から大きく外れることが予想される。
【０１２３】
これを回避する方法として、図２０に示すように、例えば抵抗Ｒ１とスイッチＳＷ１１の間に電流計１１３を配置し、図１５のソース機器とＨＤＭＩケーブルの双方が対応品である場合に流れる電流量Ｉ（= 5V/(R1+R2)=5V/500KΩ=10μA）から増加する方向に電流を検知したら、スイッチＳＷ１１、ＳＷ１２を速やかに切り替え、ソース機器１１０-2の＋５Ｖ電源ラインの大元から５０ｍＡをシンク機器３２０へ渡すようにすればよい。
【０１２４】
図２１は、対応ソース機器であるソース機器１１０-2のシーケンスの一例を示している。ステップＳＴ３１において、例えば電源スイッチがオンとされて＋５Ｖが立ち上げられると、シーケンスが開始され、ステップＳＴ３２に進む。このステップＳＴ３２において、制御部１１１により、電圧モニタ部１１２で所定のバイアス電圧（４Ｖ）が検知されたか判断される。
【０１２５】
所定のバイアス電圧（４Ｖ）が検知されたとき、ステップＳＴ３３において、制御部１１１により、ＨＤＭＩケーブルは対応ケーブルであると判断される。そして、ステップＳＴ３４において、制御部１１１により、ＨＤＭＩケーブルのレジスタへのアクセスが開始される。
【０１２６】
次に、ステップＳＴ３５において、ＨＤＭＩケーブルのレジスタへのアクセスが終了した後に、制御部１１１により、スイッチＳＷ１２が開放状態から短絡状態に変更されると共に、スイッチＳＷ１１が短絡状態から解放状態に変更される。そして、ステップＳＴ３６において、制御部１１１により、ＨＰＤラインがハイレベル（５Ｖ）になったことが検知されると、ステップＳＴ３７において、シーケンスが終了される。
【０１２７】
また、ステップＳＴ３２で所定のバイアス電圧（４Ｖ）が検知されないとき、ステップＳＴ３８において、制御部１１１により、ＨＰＤラインのハイレベル（５Ｖ）が検知されたか否かが判断される。ＨＰＤラインのハイレベル（５Ｖ）が検知されないとき、ステップＳＴ３２に戻る。一方、ＨＰＤラインのハイレベル（５Ｖ）が検知されたときステップＳＴ３９において、制御部１１１により、ＨＤＭＩケーブルは非対応ケーブルであると判断される。
【０１２８】
そして、ステップＳＴ４０において、制御部１１１により、スイッチＳＷ１２が開放状態から短絡状態に変更されると共に、スイッチＳＷ１１が短絡状態から解放状態に変更される。そして、ステップＳＴ３７において、シーケンスが終了される。
【０１２９】
図２２は、対応ケーブルであるＨＤＭＩケーブル１３０-2のシーケンスの一例を示している。ステップＳＴ５１において、電圧モニタ部１３３で＋５Ｖ電源ラインに５Ｖまたは４Ｖの電圧が検知されると、シーケンスが開始され、ステップＳＴ５２に進む。このステップＳＴ５２において、制御部１３２により、電圧モニタ部１３３で所定のバイアス電圧（４Ｖ）が検知されたか判断される。
【０１３０】
所定のバイアス電圧（４Ｖ）が検知されたとき、ステップＳＴ５３において、制御部１３２により、ソース機器は対応ソース機器であると判断される。そして、ステップＳＴ５４において、電圧モニタ部１３３で５Ｖが検知されると、ステップＳＴ５５において、制御部１３２により、スイッチＳＷ１３が短絡状態から開放状態に変更されると共に、スイッチＳＷ１４が開放状態から短絡状態に変更される。この場合、電圧モニタ部１３３で５Ｖが検知されることで、ソース機器からレジスタ１３１にアクセスされたことが確認される。そして、ステップＳＴ５６において、制御部１３２により、スイッチＳＷ１５が開放状態から短絡状態に変更され、ステップＳＴ５７において、シーケンスが終了される。
【０１３１】
また、ステップＳＴ５２で所定のバイアス電圧（４Ｖ）が検知されないとき、ステップＳＴ５８において、制御部１３２により、ソース機器は非対応ソース機器であると判断される。そして、ステップＳＴ５５において、制御部１３２により、スイッチＳＷ１３が短絡状態から開放状態に変更されると共に、スイッチＳＷ１４が開放状態から短絡状態に変更される。そして、ステップＳＴ５６において、制御部１３２により、スイッチＳＷ１５が開放状態から短絡状態に変更され、ステップＳＴ５７において、シーケンスが終了される。
【０１３２】
なお、ソース機器１１０-2のスイッチＳＷ１１，ＳＷ１２およびＨＤＭＩケーブル１３０-2のスイッチＳＷ１３，ＳＷ１４，ＳＷ１５は、＋５Ｖ電源ラインの電圧が落ちたら、初期状態にリセットされる。
【０１３３】
「実施形態３」
図２３は、伝送システム１０-3の構成例を示している。この伝送システム１０-3は、デジタルインタフェースとしてＨＤＭＩを用いたＨＤＭＩ伝送システムである。この伝送システム１０-3は、送信装置としてのソース機器１１０-3と、受信装置としてのシンク機器３２０と、これらを接続するＡＯＣであるＨＤＭＩケーブル１３０-3を有している。この図２３において、図４と対応する部分には同一符号を付し、適宜、その詳細説明は省略する。
【０１３４】
ＨＤＭＩケーブル１３０-3は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３，１３４、スイッチＳＷ２３，ＳＷ２４，ＳＷ２６および分圧用の抵抗Ｒ２を有している。
【０１３５】
Ｕｔｉｌｉｔｙラインの地点Ｐ２２と接地との間には、抵抗Ｒ２およびスイッチＳＷ２３の直列回路が接続されている。これにより、Ｕｔｉｌｉｔｙラインの地点Ｐ２２には、接地電圧である０Ｖが、抵抗Ｒ２およびスイッチＳＷ２３の直列回路を介して印加される。このＵｔｉｌｉｔｙラインの地点Ｐ２２よりシンク機器３２０側に、スイッチＳＷ２４が挿入されている。また、＋５Ｖ電源ラインには、スイッチＳＷ２６が挿入されている。
【０１３６】
電圧モニタ部１３３は、Ｕｔｉｌｉｔｙラインの地点Ｐ２２の電圧をモニタし、そのモニタ結果を制御部１３２に送る。電圧モニタ部１３４は、＋５Ｖの電源ラインのスイッチＳＷ２６の挿入位置より端子側の地点Ｐ２３の電圧をモニタし、そのモニタ結果を制御部１３２に送る。ＬＤＯレギュレータ３３２Ａ、３３２Ｂには、＋５Ｖの電源ラインのスイッチＳＷ２６の挿入位置よりシンク機器３２０側の地点から電源が供給される。制御部１３２は、ＨＤＭＩケーブル１３０-3の各部の動作を制御する。
【０１３７】
ソース機器１１０-3は、対応ソース機器である。このソース機器１１０-3は、各部の動作を制御する制御部１１１の他に、電圧モニタ部１１２、スイッチＳＷ２１，ＳＷ２２および分圧用の抵抗Ｒ１を有している。上述したＨＤＭＩケーブル１３０-3の抵抗Ｒ２とこのソース機器１１０-3の抵抗Ｒ１は、それぞれ、消費電流を少なくするためにはある程度大きな値であることが望ましい。以下、Ｒ１＝１００ｋΩ、Ｒ２＝４００ｋΩとして説明する。
【０１３８】
＋５Ｖ電源ラインとＵｔｉｌｉｔｙラインの地点Ｑ２１との間には、抵抗Ｒ１およびスイッチＳＷ２１の直列回路が接続されている。これにより、Ｕｔｉｌｉｔｙラインの地点Ｑ２１には、＋５Ｖが抵抗Ｒ１およびスイッチＳＷ２１の直列回路を介して印加される。Ｕｔｉｌｉｔｙラインの地点Ｑ２１の端子側とは反対側にスイッチＳＷ２２が挿入されている。電圧モニタ部１１２は、Ｕｔｉｌｉｔｙラインの地点Ｑ２１の電圧をモニタし、そのモニタ結果を制御部１１１に送る。
【０１３９】
図２３に示す伝送システム１０-3において、ＨＤＭＩケーブル１３０-3は対応ケーブルであり、ソース機器１１０-3は対応ソース機器である。そのため、ソース機器１１０-3は、接続されているＨＤＭＩケーブルが対応ケーブルであると判断し、対応モードで動作する。同様に、ＨＤＭＩケーブル１３０-3は、接続されているソース機器が対応ソース機器であると判断し、対応モードで動作する。
【０１４０】
ソース機器１１０-3およびＨＤＭＩケーブル１３０-3の動作の詳細を説明する。図２３において、ソース機器１１０-3およびＨＤＭＩケーブル１３０-3は、初期状態を示している。ソース機器１１０-3において、初期状態では、スイッチＳＷ２１は短絡状態とされており、スイッチＳＷ２２は開放状態とされている。一方、ＨＤＭＩケーブル１３０-3において、初期状態では、スイッチＳＷ２３は短絡状態とされており、スイッチＳＷ２４，ＳＷ２６は開放状態とされている。
【０１４１】
この初期状態では、ＳＷ２１，ＳＷ２３が短絡状態とされているので、ソース機器１１０-3の＋５Ｖ電源ラインとＨＤＭＩケーブル１３０-3の接地（０Ｖ）との間に、抵抗Ｒ１，Ｒ２が直列に接続され、Ｕｔｉｌｉｔｙラインの地点Ｑ２１，Ｐ２２には、抵抗分圧により、４Ｖの電圧が得られる。
【０１４２】
ソース機器１１０-3の電圧モニタ部１１２は地点Ｑ２１の電圧が４Ｖであることをモニタし、そのモニタ結果を制御部１１１に送る。制御部１１１は、このモニタ結果に基づいて、接続されているＨＤＭＩケーブルが対応ケーブルであると判断し、対応モードで動作するように制御する。
【０１４３】
同様に、ＨＤＭＩケーブル１３０-3の電圧モニタ部１３３は地点Ｐ２２の電圧が４Ｖであることをモニタし、そのモニタ結果を制御部１３２に送る。制御部１３２は、このモニタ結果に基づいて、接続されているソース機器が対応ソース機器であると判断し、対応モードで動作するように制御する。
【０１４４】
ここで、ソース機器１１０-3において、スイッチＳＷ２２が開放状態とされているので、４Ｖの電圧はソース機器１１０-3内部に伝搬されず、ソース機器１１０-3内部に影響を及ぼすことがない。同様に、ＨＤＭＩケーブル１３０-3において、スイッチＳＷ２４は開放状態とされているので、４Ｖの電圧はシンク機器３２０に伝搬されず、シンク機器３２０に影響を及ぼすことがない。
【０１４５】
ソース機器１１０-3は対応モードで動作するように制御されるので、制御部１１１は、図２４に示すように、スイッチＳＷ２１を開放状態とする。そのため、Ｕｔｉｌｉｔｙラインの地点Ｐ２２の電圧は０Ｖとなる。ＨＤＭＩケーブル１３０-3において、電圧モニタ部１３３は地点Ｐ２２の電圧が０Ｖであることをモニタし、そのモニタ結果を制御部１３２に送る。このように地点Ｐ２２の電圧が０Ｖであることをモニタすることで、ソース機器で自身のケーブルが対応ケーブルであると判断されたことが確認される。
【０１４６】
制御部１３２は、このモニタ結果に基づいて、図２５に示すように、各スイッチの状態を変更して、通常動作へと移行する。この場合、シンク機器３２０へ影響を与えないように、まずスイッチＳＷ２３を開放状態とし、次にスイッチＳＷ２４を短絡状態とし、最後にスイッチＳＷ２６を短絡状態とする。その後、制御部１３２は、ＬＤＯレギュレータ３３２Ａ，３３２Ｂをオンとしてアクティブ回路である変換回路３３１Ａ，３３１Ｂに３．３Ｖの電源を与え、これらの変換回路３３１Ａ，３３１Ｂを動作状態（Enable）とする。
【０１４７】
スイッチＳＷ２６が短絡状態とされることで、ソース機器１１０-3からシンク機器３２０に＋５Ｖ電源ラインを通じて５Ｖ電圧が送られ、それに伴ってシンク機器３２０からソース機器１１０-3にＨＰＤラインを介して５Ｖ電圧（接続検知信号）が送られる。これにより、ソース機器１１０-3の制御部１１１は、ケーブルの準備が完了したことを認識し、図２６に示すように、スイッチＳＷ２２を短絡状態とし、通常動作へと移行する。
【０１４８】
なお、対応ソース機器１１０-3は常に＋５Ｖ電源ラインによる供給可能電流が５５ｍＡ以上であって対応ケーブルであるＨＤＭＩケーブル１３０-3のアクティブ回路に電流を供給可能に構成されていてもよいが、ソース機器１１０-3の制御部１１１は、接続されたＨＤＭＩケーブルが対応ケーブルであると判断したとき、＋５Ｖ電源ラインによる供給可能電流を５５ｍＡ以上とするモードに変更するようにされてもよい。電流供給量のモードを切り替えることで、ソース機器１１０-3は電源回路部の電力削減を図ることができる。この場合、制御部１１１は、ＨＤＭＩケーブルが対応ケーブルであると判断した後、スイッチＳＷ２１を開放状態とする前に、供給可能電流を５５ｍＡ以上とするモードに変更する。
【０１４９】
このように図２３に示す伝送システム１０-3においては、対応ケーブルであるＨＤＭＩケーブル１３０-3は、接続されたソース機器が、自身のアクティブ回路に十分に電流を供給し得る対応ソース機器であると判断した場合に、自身のアクティブ回路を動作状態とする。そのため、ＨＤＭＩケーブル１３０-3のアクティブ回路では適切な動作が可能となり、また、ソース機器が過電流に耐えられず故障を起こすことを回避できる。
【０１５０】
図２７は、伝送システム１０-3Aの構成例を示している。この伝送システム１０-3Aは、デジタルインタフェースとしてＨＤＭＩを用いたＨＤＭＩ伝送システムである。この伝送システム１０-3Aは、送信装置としてのソース機器３１０と、受信装置としてのシンク機器３２０と、これらを接続するＨＤＭＩケーブル１３０-3を有している。この図２７において、図４、図２３と対応する部分には同一符号を付し、適宜、その詳細説明は省略する。
【０１５１】
この伝送システム１０-3Aにおいては、ソース機器３１０はレガシーのような非対応ソース機器であり、ＨＤＭＩケーブル１３０-3は対応ケーブルである。この場合、ソース機器３１０は、通常動作をする（図６参照）。
【０１５２】
また、ＨＤＭＩケーブル１３０-3は、ソース機器が非対応ソース機器であると判断し、非対応モードで動作する。この場合、初期状態において、Ｕｔｉｌｉｔｙラインの地点Ｐ２２の電圧は０Ｖとなる。ＨＤＭＩケーブル１３０-3の電圧モニタ部１３３は地点Ｐ２２の電圧が０Ｖであることをモニタし、そのモニタ結果を制御部１３２に送る。制御部１３２は、このモニタ結果に基づいてソース機器が非対応ソース機器であると判断し、非対応モードで動作するように制御する。
【０１５３】
この場合、制御部１３２は、各スイッチの状態を変更して、通常動作へと移行する。この場合、シンク機器３２０へ影響を与えないように、まずスイッチＳＷ２３を開放状態とし、次にスイッチＳＷ２４を短絡状態とし、最後にスイッチＳＷ２６を短絡状態とする。また、この場合、制御部１３２は、ＬＤＯレギュレータ３３２Ａ，３３２Ｂをオフのままとし、アクティブ回路である変換回路３３１Ａ，３３１Ｂを非動作状態（Disable）のままとする。これにより、ＨＤＭＩケーブル１３０-3はソース機器３１０から５５ｍＡ以上の電流を引くということがなく、ソース機器３１０が過電流に耐えられず故障を起こすことを回避できる。
【０１５４】
図２８は、伝送システム１０-3Bの構成例を示している。この伝送システム１０-3Bは、デジタルインタフェースとしてＨＤＭＩを用いたＨＤＭＩ伝送システムである。この伝送システム１０-3Bは、送信装置としてのソース機器１１０-3と、受信装置としてのシンク機器３２０と、これらを接続するＨＤＭＩケーブル３３０Ｃを有している。この図２８において、図４、図２３と対応する部分には同一符号を付し、適宜、その詳細説明は省略する。
【０１５５】
この伝送システム１０-3Bにおいては、ソース機器１１０-3は対応ソース機器であり、ＨＤＭＩケーブル３３０Ｃはレガシーのような非対応ケーブルある。この場合、ＨＤＭＩケーブル３３０Ｃは、通常動作をする（図６参照）。
【０１５６】
ソース機器１１０-3は、ＨＤＭＩケーブルが非対応ケーブルであると判断し、非対応モードで動作する。この場合、初期状態において、Ｕｔｉｌｉｔｙラインの地点Ｑ２１の電圧は５Ｖとなる。ソース機器１１０-3の電圧モニタ部１１２は地点Ｑ２１の電圧が５Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。
【０１５７】
この場合、制御部１１１は、各スイッチの状態を変更して、通常動作へと移行する。この場合、ソース機器１１０-3内部へ影響を与えないように、まずスイッチＳＷ２１を開放状態とし、次にスイッチＳＷ２２を短絡状態とする。
【０１５８】
図２９は、対応ソース機器であるソース機器１１０-3のシーケンスの一例を示している。ステップＳＴ６１において、例えば電源スイッチがオンとされて＋５Ｖが立ち上げられると、シーケンスが開始され、ステップＳＴ６２に進む。このステップＳＴ６２において、制御部１１１により、電圧モニタ部１１２で所定のバイアス電圧（４Ｖ）が検知されたか判断される。
【０１５９】
所定のバイアス電圧（４Ｖ）が検知されたとき、ステップＳＴ６３において、制御部１１１により、ＨＤＭＩケーブルは対応ケーブルであると判断される。そして、ステップＳＴ６４において、制御部１１１によりスイッチＳＷ２１が短絡状態から開放状態に変更される。その後、ステップＳＴ６５において、制御部１１１により、ＨＰＤラインがハイレベル（５Ｖ）になったことが検知されると、ステップＳＴ６６において、制御部１１１により、スイッチＳＷ２２が開放状態から短絡状態に変更される。そして、ステップＳＴ６７において、シーケンスが終了される。
【０１６０】
また、ステップＳＴ６２で所定のバイアス電圧（４Ｖ）が検知されないとき、ステップＳＴ６８において、制御部１１１により、ＨＰＤラインのハイレベル（５Ｖ）が検知されたか否かが判断される。ＨＰＤラインのハイレベル（５Ｖ）が検知されないとき、ステップＳＴ６２に戻る。一方、ＨＰＤラインのハイレベル（５Ｖ）が検知されたとき、ステップＳＴ６９において、制御部１１１により、ＨＤＭＩケーブルは非対応ケーブルであると判断される。
【０１６１】
そして、ステップＳＴ７０において、スイッチＳＷ２１が短絡状態から開放状態に変更される。次に、ステップＳＴ６６において、制御部１１１により、スイッチＳＷ２２が開放状態から短絡状態に変更される。そして、ステップＳＴ６７において、シーケンスが終了される。
【０１６２】
図３０は、対応ケーブルであるＨＤＭＩケーブル１３０-3のシーケンスの一例を示している。ステップＳＴ８１において、電圧モニタ部１３４で５Ｖの電圧が検知されると、シーケンスが開始され、ステップＳＴ８２に進む。このステップＳＴ８２において、制御部１３２により、電圧モニタ部１３３で所定のバイアス電圧（４Ｖ）が検知されたか判断される。
【０１６３】
所定のバイアス電圧（４Ｖ）が検知されたとき、ステップＳＴ８３において、制御部１３２により、ソース機器は対応ソース機器であると判断される。そして、ステップＳＴ８４において、電圧モニタ部１３３で０Ｖが検知されると、ステップＳＴ８５において、制御部１３２により、スイッチＳＷ２３が短絡状態から開放状態に変更される。この場合、電圧モニタ部１３３で０Ｖが検知されることで、ソース機器で自身のケーブルが対応ケーブルであると判断されたことが確認される。
【０１６４】
次に、ステップＳＴ８６において、制御部１３２により、スイッチＳＷ２４が開放状態から短絡状態に変更され、次に、ステップＳＴ８７において、制御部１３２により、スイッチＳＷ２６が開放状態から短絡状態に変更される。そして、ステップＳＴ８８において、ＬＤＯレギュレータ３３２Ａ，３３２Ｂがオンとされてアクティブ回路が動作状態（Enable）とされた後に、ステップＳＴ８９において、シーケンスが終了される。
【０１６５】
また、ステップＳＴ８２で所定のバイアス電圧（４Ｖ）が検知されないとき、ステップＳＴ９０において、制御部１３２により、ソース機器は非対応ソース機器であると判断される。そして、ステップＳＴ９１において、制御部１３２により、スイッチＳＷ２３が短絡状態から開放状態に変更される。
【０１６６】
次に、ステップＳＴ９２において、制御部１３２により、スイッチＳＷ２４が開放状態から短絡状態に変更され、次に、ステップＳＴ９３において、制御部１３２により、スイッチＳＷ２６が開放状態から短絡状態に変更される。そして、ステップＳＴ８９において、シーケンスが終了される。
【０１６７】
なお、ソース機器１１０-3のスイッチＳＷ２１，ＳＷ２２およびＨＤＭＩケーブル１３０-3のスイッチＳＷ２３，ＳＷ２４，ＳＷ２６は、＋５Ｖ電源ラインの電圧が落ちたら、初期状態にリセットされる。
【０１６８】
上述では、対応ケーブルであるＨＤＭＩケーブル１３０-3は、ソース機器が対応機器であるか非対応機器であるかによってＬＤＯレギュレータ３３２Ａ，３３２Ｂのオンオフを制御するものであった。しかし、この場合、ソース機器が非対応機器である場合にはＬＤＯレギュレータ３３２Ａ，３３２Ｂがオフとなってアクティブ回路が非動作状態となるので、データ送信ができない状態となる。
【０１６９】
従って、ソース機器が非対応ソース機器である場合、ＨＤＭＩケーブル１３０-3は、ＬＤＯレギュレータ３３２Ａ，３３２Ｂをオフの状態におくのではなく、データレートを落とすことで、ソース機器から引く電流を５５ｍＡ以下に保証する、ようにされてもよい。これにより、ソース機器が非対応ソース機器であっても、データ送信が可能となる。
【０１７０】
「実施形態４」
図３１は、伝送システム１０-4の構成例を示している。この伝送システム１０-4は、デジタルインタフェースとしてＨＤＭＩを用いたＨＤＭＩ伝送システムである。この伝送システム１０-4は、送信装置としてのソース機器１１０-4と、受信装置としてのシンク機器３２０と、これらを接続するＨＤＭＩケーブル１３０-4を有している。
【０１７１】
上述の図２３に示す伝送システム１０-3では、Ｕｔｉｌｉｔｙラインを用いてソース機器とＨＤＭＩケーブルが対応品か否かを判断するものであったが、この伝送システム１０-4では、＋５Ｖ電源ラインを用いて判断するものである。この図３１において、図４、図２３と対応する部分には同一符号を付し、適宜、その詳細説明は省略する。
【０１７２】
ＨＤＭＩケーブル１３０-4は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３、スイッチＳＷ３３，ＳＷ３５および分圧用の抵抗Ｒ２を有している。
【０１７３】
＋５Ｖ電源ラインの地点Ｐ３２と接地との間には、抵抗Ｒ２およびスイッチＳＷ３３の直列回路が接続されている。これにより、＋５Ｖ電源ラインの地点Ｐ３２には、接地電圧である０Ｖが、抵抗Ｒ２およびスイッチＳＷ３３の直列回路を介して印加される。この＋５Ｖ電源ラインの地点Ｐ３２よりシンク機器３２０側に、スイッチＳＷ３５が挿入されている。電圧モニタ部１３３は、＋５Ｖ電源ラインの地点Ｐ３２の電圧をモニタし、そのモニタ結果を制御部１３２に送る。制御部１３２は、ＨＤＭＩケーブル１３０-4の各部の動作を制御する。
【０１７４】
ソース機器１１０-4は、対応ソース機器である。このソース機器１１０-4は、各部の動作を制御する制御部１１１の他に、電圧モニタ部１１２、スイッチＳＷ３１，ＳＷ３２および分圧用の抵抗Ｒ１を有している。上述したＨＤＭＩケーブル１３０-4の抵抗Ｒ２とこのソース機器１１０-4の抵抗Ｒ１は、それぞれ、消費電流を少なくするためにはある程度大きな値であることが望ましい。以下、Ｒ１＝１００ｋΩ、Ｒ２＝４００ｋΩとして説明する。
【０１７５】
＋５Ｖ電源ラインの地点Ｑ３１には、５Ｖの電圧が抵抗Ｒ１およびスイッチＳＷ３１の直列回路を介して印加される。＋５Ｖ電源ラインの地点Ｑ３１の端子側とは反対側にスイッチＳＷ３２が挿入されている。電圧モニタ部１１２は、＋５Ｖ電源ラインの地点Ｑ３１の電圧をモニタし、そのモニタ結果を制御部１１１に送る。
【０１７６】
図３１に示す伝送システム１０-4において、ＨＤＭＩケーブル１３０-4は対応ケーブルであり、ソース機器１１０-4は対応ソース機器である。そのため、ソース機器１１０-4は、接続されているＨＤＭＩケーブルが対応ケーブルであると判断し、対応モードで動作する。同様に、ＨＤＭＩケーブル１３０-4は、接続されているソース機器が対応ソース機器であると判断し、対応モードで動作する。
【０１７７】
ソース機器１１０-4およびＨＤＭＩケーブル１３０-4の動作の詳細を説明する。図３１において、ソース機器１１０-4およびＨＤＭＩケーブル１３０-4は、初期状態を示している。ソース機器１１０-4において、初期状態では、スイッチＳＷ３１は短絡状態とされており、スイッチＳＷ３２は開放状態とされている。一方、ＨＤＭＩケーブル１３０-4において、初期状態では、スイッチＳＷ３３は短絡状態とされており、スイッチＳＷ３５は開放状態とされている。
【０１７８】
この初期状態では、スイッチＳＷ３１，ＳＷ３３が短絡状態とされているので、抵抗Ｒ１，Ｒ２が直列に接続され、スイッチＳＷ３２とスイッチＳＷ３５の間に挟まれた＋５Ｖ電源ラインの地点Ｑ３１，Ｐ３２には、抵抗分圧により、４Ｖの電圧が得られる。
【０１７９】
ソース機器１１０-4の電圧モニタ部１１２は地点Ｑ３１の電圧が４Ｖであることをモニタし、そのモニタ結果を制御部１１１に送る。制御部１１１は、このモニタ結果に基づいて、接続されているＨＤＭＩケーブルが対応ケーブルであると判断し、対応モードで動作するように制御する。
【０１８０】
同様に、ＨＤＭＩケーブル１３０-4の電圧モニタ部１３３は地点Ｐ３２の電圧が４Ｖであることをモニタし、そのモニタ結果を制御部１３２に送る。制御部１３２は、このモニタ結果に基づいて、接続されているソース機器が対応ソース機器であると判断し、対応モードで動作するように制御する。
【０１８１】
ソース機器１１０-4は対応モードで動作するように制御される。図３２に示すように、制御部１１１は、スイッチＳＷ３２を短絡状態とし、さらにスイッチＳＷ３１を開放状態とする。そのため、＋５Ｖ電源ラインの地点Ｐ３２の電圧は５Ｖとなる。ＨＤＭＩケーブル１３０-4において、電圧モニタ部１３３は地点Ｐ３２の電圧が５Ｖであることをモニタし、そのモニタ結果を制御部１３２に送る。このように地点Ｐ３２の電圧が５Ｖであることをモニタすることで、ソース機器で自身のケーブルが対応ケーブルであると判別されたことが確認される。
【０１８２】
制御部１３２は、このモニタ結果に基づいて、図３３に示すように、各スイッチの状態を変更して、通常動作へと移行する。この場合、ソース機器１１０-4やシンク機器３２０へ影響を与えないように、まずスイッチＳＷ３３を開放状態とし、次にスイッチＳＷ３５を短絡状態とする。その後、制御部１３２は、ＬＤＯレギュレータ３３２Ａ，３３２Ｂをオンとしてアクティブ回路である変換回路３３１Ａ，３３１Ｂに３．３Ｖの電源を与え、これらの変換回路３３１Ａ，３３１Ｂを動作状態（Enable）とする。
【０１８３】
スイッチＳＷ３５が短絡状態とされることで、ソース機器１１０-3からシンク機器３２０に＋５Ｖ電源ラインを通じて５Ｖ電圧が送られ、それに伴ってシンク機器３２０からソース機器１１０-1にＨＰＤラインを介して５Ｖ電圧（接続検知信号）が送られる。これにより、ソース機器１１０-4の制御部１１１は、ケーブルの準備が完了したことを認識し、通常動作へと移行する。
【０１８４】
なお、対応ソース機器１１０-4は常に＋５Ｖ電源ラインによる供給可能電流が５５ｍＡ以上であって対応ケーブルであるＨＤＭＩケーブル１３０-4のアクティブ回路に電流を供給可能に構成されていてもよいが、ソース機器１１０-4の制御部１１１は、接続されたＨＤＭＩケーブルが対応ケーブルであると判断したとき、＋５Ｖ電源ラインによる供給可能電流を５５ｍＡ以上とするモードに変更するようにされてもよい。電流供給量のモードを切り替えることで、ソース機器１１０-4は電源回路部の電力削減を図ることができる。この場合、制御部１１１は、ＨＤＭＩケーブルが対応ケーブルであると判断した後、スイッチＳＷ３１を開放状態とする前に、供給可能電流を５５ｍＡ以上とするモードに変更する。
【０１８５】
このように図３１に示す伝送システム１０-4においては、対応ケーブルであるＨＤＭＩケーブル１３０-3は、接続されたソース機器が、自身のアクティブ回路に十分に電流を供給し得る対応ソース機器であると判断した場合に、自身のアクティブ回路を動作状態とする。そのため、ＨＤＭＩケーブル１３０-4のアクティブ回路では適切な動作が可能となり、また、ソース機器が過電流に耐えられず故障を起こすことを回避できる。
【０１８６】
図３４は、伝送システム１０-4Aの構成例を示している。この伝送システム１０-4Aは、デジタルインタフェースとしてＨＤＭＩを用いたＨＤＭＩ伝送システムである。この伝送システム１０-4Aは、送信装置としてのソース機器３１０と、受信装置としてのシンク機器３２０と、これらを接続するＨＤＭＩケーブル１３０-4を有している。この図３４において、図４、図３１と対応する部分には同一符号を付し、適宜、その詳細説明は省略する。
【０１８７】
この伝送システム１０-4Aにおいては、ソース機器３１０はレガシーのような非対応ソース機器であり、ＨＤＭＩケーブル１３０-4は対応ケーブルである。この場合、ソース機器３１０は、通常動作をする（図６参照）。
【０１８８】
また、ＨＤＭＩケーブル１３０-4は、ソース機器が非対応ソース機器であると判断し、非対応モードで動作する。この場合、初期状態において、＋５Ｖ電源ラインの地点Ｐ３２の電圧は５Ｖとなる。ＨＤＭＩケーブル１３０-4の電圧モニタ部１３３は地点Ｐ３２の電圧が５Ｖであることをモニタし、そのモニタ結果を制御部１３２に送る。制御部１３２は、このモニタ結果に基づいてソース機器が非対応ソース機器であると判断し、非対応モードで動作するように制御する。
【０１８９】
この場合、制御部１３２は、各スイッチの状態を変更して、通常動作へと移行する。この場合、シンク機器３２０へ影響を与えないように、まずスイッチＳＷ３３を開放状態とし、次にスイッチＳＷ３５を短絡状態とする。また、この場合、制御部１３２は、ＬＤＯレギュレータ３３２Ａ，３３２Ｂをオフのままとし、アクティブ回路である変換回路３３１Ａ，３３１Ｂを非動作状態（Disable）のままとする。これにより、ＨＤＭＩケーブル１３０-4はソース機器３１０から５５ｍＡ以上の電流を引くということがなく、ソース機器３１０が過電流に耐えられず故障を起こすことを回避できる。
【０１９０】
図３５は、伝送システム１０-3Bの構成例を示している。この伝送システム１０-4Bは、デジタルインタフェースとしてＨＤＭＩを用いたＨＤＭＩ伝送システムである。この伝送システム１０-4Bは、送信装置としてのソース機器１１０-4と、受信装置としてのシンク機器３２０と、これらを接続するＨＤＭＩケーブル３３０Ｃを有している。この図３５において、図４、図３１と対応する部分には同一符号を付し、適宜、その詳細説明は省略する。
【０１９１】
この伝送システム１０-4Bにおいては、ソース機器１１０-4は対応ソース機器であり、ＨＤＭＩケーブル３３０Ｃはレガシーのような非対応ケーブルある。この場合、ＨＤＭＩケーブル３３０Ｃは、通常動作をする（図６参照）。
【０１９２】
ソース機器１１０-4は、ＨＤＭＩケーブルが非対応ケーブルであると判断し、非対応モードで動作する。この場合、初期状態において、＋５Ｖ電源ラインの地点Ｑ３１の電圧は５Ｖとなる。ソース機器１１０-4の電圧モニタ部１１２は地点Ｑ３１の電圧が５Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。この場合、制御部１１１は、スイッチＳＷ３２を短絡状態とし、スイッチＳＷ３１を開放状態として、通常動作へと移行する。
【０１９３】
ここで、シンク機器３２０は、５Ｖを検知した段階で５０ｍＡを引き始める可能性がある。図３５の初期状態で１００ｋΩの抵抗Ｒ１を介して５０ｍＡが引かれると、スイッチＳＷ３２からシンク機器３２０側の＋５Ｖ電源ラインの電圧は５Ｖから著しく低下し、定められたスペック範囲から大きく外れることが予想される。
【０１９４】
これを回避する方法として、図３６に示すように、例えば抵抗Ｒ１とスイッチＳＷ３１の間に電流計１１３を配置し、図３１のソース機器とＨＤＭＩケーブルの双方が対応品である場合に流れる電流量Ｉ（= 5V/(R1+R2)=5V/500KΩ=10μA）から増加する方向に電流を検知したら、スイッチＳＷ３１、ＳＷ３２を速やかに切り替え、ソース機器１１０-4の＋５Ｖ電源ラインの大元から５０ｍＡをシンク機器３２０へ渡すようにすればよい。
【０１９５】
図３７は、対応ソース機器であるソース機器１１０-4のシーケンスの一例を示している。ステップＳＴ１０１において、例えば電源スイッチがオンとされて＋５Ｖが立ち上げられると、シーケンスが開始され、ステップＳＴ１０２に進む。このステップＳＴ１０２において、制御部１１１により、電圧モニタ部１１２で所定のバイアス電圧（４Ｖ）が検知されたか判断される。
【０１９６】
所定のバイアス電圧（４Ｖ）が検知されたとき、ステップＳＴ１０３において、制御部１１１により、ＨＤＭＩケーブルは対応ケーブルであると判断される。そして、ステップＳＴ１０４において、制御部１１１により、スイッチＳＷ３２が開放状態から短絡状態に変更されると共に、スイッチＳＷ３１が短絡状態から開放状態に変更される。そして、ステップＳＴ１０５において、制御部１１１により、ＨＰＤラインがハイレベル（５Ｖ）になったことが検知されると、ステップＳＴ１０６において、シーケンスが終了される。
【０１９７】
また、ステップＳＴ１０２で所定のバイアス電圧（４Ｖ）が検知されないとき、ステップＳＴ１０７において、制御部１１１により、ＨＰＤラインのハイレベル（５Ｖ）が検知されたか否かが判断される。ＨＰＤラインのハイレベル（５Ｖ）が検知されないとき、ステップＳＴ１０２に戻る。一方、ＨＰＤラインのハイレベル（５Ｖ）が検知されたときステップＳＴ１０８において、制御部１１１により、ＨＤＭＩケーブルは非対応ケーブルであると判断される。
【０１９８】
そして、ステップＳＴ１０９において、制御部１１１により、スイッチＳＷ３２が開放状態から短絡状態に変更されると共に、スイッチＳＷ３１が短絡状態から開放状態に変更される。そそして、ステップＳＴ１０６において、シーケンスが終了される。
【０１９９】
図３８は、対応ケーブルであるＨＤＭＩケーブル１３０-4のシーケンスの一例を示している。ステップＳＴ１１１において、電圧モニタ部１３３で＋５Ｖ電源ラインに５Ｖまたは４Ｖの電圧が検知されると、シーケンスが開始され、ステップＳＴ１１２に進む。このステップＳＴ１１２において、制御部１３２により、電圧モニタ部１３３で所定のバイアス電圧（４Ｖ）が検知されたか判断される。
【０２００】
所定のバイアス電圧（４Ｖ）が検知されたとき、ステップＳＴ１１３において、制御部１３２により、ソース機器は対応ソース機器であると判断される。そして、ステップＳＴ１１４において、電圧モニタ部１３３で５Ｖが検知されると、ステップＳＴ１１５において、制御部１３２により、スイッチＳＷ３３が短絡状態から開放状態に変更される。この場合、電圧モニタ部１３３で５Ｖが検知されることで、ソース機器で自身のケーブルが対応ケーブルであると判断されたことが確認される。
【０２０１】
次に、ステップＳＴ１１６において、制御部１３２により、スイッチＳＷ３５が開放状態から短絡状態に変更される。そして、ステップＳＴ１１７において、ＬＤＯレギュレータ３３２Ａ，３３２Ｂがオンとされてアクティブ回路が動作状態（Enable）とされた後に、ステップＳＴ１１８において、シーケンスが終了される。
【０２０２】
また、ステップＳＴ１１２で所定のバイアス電圧（４Ｖ）が検知されないとき、ステップＳＴ１１９において、制御部１３２により、ソース機器は非対応ソース機器であると判断される。次に、ステップＳＴ１２０において、制御部１３２により、スイッチＳＷ３３が短絡状態から開放状態に変更される。そして、ステップＳＴ１２１において、制御部１３２により、スイッチＳＷ３５が開放状態から短絡状態に変更され、ステップＳＴ１１８において、シーケンスが終了される。
【０２０３】
なお、ソース機器１１０-4のスイッチＳＷ３１，ＳＷ３２およびＨＤＭＩケーブル１３０-4のスイッチＳＷ３３，ＳＷ３５は、＋５Ｖ電源ラインの電圧が落ちたら、初期状態にリセットされる。
【０２０４】
なお、上述では、対応ケーブルであるＨＤＭＩケーブル１３０-4は、ソース機器が対応機器であるか非対応機器であるかによってＬＤＯレギュレータ３３２Ａ，３３２Ｂのオンオフを制御するものであった。しかし、この場合、ソース機器が非対応機器である場合にはＬＤＯレギュレータ３３２Ａ，３３２Ｂがオフとなってアクティブ回路が非動作状態となるので、データ送信ができない状態となる。
【０２０５】
従って、ソース機器が非対応ソース機器である場合、ＨＤＭＩケーブル１３０-4は、ＬＤＯレギュレータ３３２Ａ，３３２Ｂをオフの状態におくのではなく、データレートを落とすことで、ソース機器から引く電流を５５ｍＡ以下に保証する、ようにされてもよい。これにより、ソース機器が非対応ソース機器であっても、データ送信が可能となる。
【０２０６】
「実施形態５」
図３９は、伝送システム１０-5の構成例を示している。この伝送システム１０-5は、デジタルインタフェースとしてＨＤＭＩを用いたＨＤＭＩ伝送システムである。この伝送システム１０-5は、送信装置としてのソース機器１１０-5と、受信装置としてのシンク機器３２０と、これらを接続するＨＤＭＩケーブル１３０-5を有している。
【０２０７】
上述の図２３の伝送システム１０-3におけるＨＤＭＩケーブル１３０-3はレジスタを有していないが、伝送システム１０-5におけるＨＤＭＩケーブル１３０-5では、上述の図７の伝送システム１０-1におけるＨＤＭＩケーブル１３０-1と同様のレジスタ１３１を有している。この図３９において、図７、図２３と対応する部分には同一符号を付し、適宜、その詳細説明は省略する。
【０２０８】
ＨＤＭＩケーブル１３０-5は、対応ケーブルである。このＨＤＭＩケーブル１３０-5は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３，１３４、スイッチＳＷ３，ＳＷ４，ＳＷ５および分圧用の抵抗Ｒ２を有している。
【０２０９】
ソース機器１１０-5は、対応ソース機器である。このソース機器１１０-5は、各部の動作を制御する制御部１１１の他に、電圧モニタ部１１２、スイッチＳＷ１，ＳＷ２および分圧用の抵抗Ｒ１を有している。上述したＨＤＭＩケーブル１３０-5の抵抗Ｒ２とこのソース機器１１０-5の抵抗Ｒ１は、それぞれ、消費電流を少なくするためにはある程度大きな値であることが望ましい。以下、Ｒ１＝１００ｋΩ、Ｒ２＝４００ｋΩとして説明する。
【０２１０】
図３９に示す伝送システム１０-5において、ＨＤＭＩケーブル１３０-5は対応ケーブルであり、ソース機器１１０-5は対応ソース機器である。そのため、ソース機器１１０-5は、接続されているＨＤＭＩケーブルが対応ケーブルであると判断し、対応モードで動作する。同様に、ＨＤＭＩケーブル１３０-5は、接続されているソース機器が対応ソース機器であると判断し、対応モードで動作する。
【０２１１】
ソース機器１１０-5およびＨＤＭＩケーブル１３０-5の動作について説明する。詳細説明は省略するが、上述の図７の伝送システム１０-1におけるソース機器１１０-1およびＨＤＭＩケーブル１３０-1と同様に動作し、ソース機器１１０-5の制御部１１１からＨＤＭＩケーブル１３０-5のレジスタ１３１へのアクセス（リード/ライト）を経た後に、それぞれ、通常動作に移行する。
【０２１２】
ソース機器１１０-5の制御部１１１は、レジスタ１３１へのアクセス時に、自身が５５ｍＡ以上電流を引いても良いことをレジスタ１３１に書き込むことができる。ＨＤＭＩケーブル１３０-5の制御部１３２は、通常動作に移行した後に、レジスタ１３１の情報に基づいて、ＬＤＯレギュレータ３３２Ａ，３３２Ｂをオンとして、＋５Ｖの電源ラインから５５ｍＡ以上を引くことができる。つまり、図３９の伝送システム１０-5の場合、ソース機器１１０-5は、自身が５５ｍＡ以上電流を引いても良いことを、レジスタ１３１を通して、ＨＤＭＩケーブル１３０-5に通達できる。
【０２１３】
なお、図３９に示す伝送システム１０-5では、Ｕｔｉｌｉｔｙラインを用いてソース機器とＨＤＭＩケーブルが対応品か否かを判断するものであったが、＋５Ｖ電源ラインを用いてソース機器とＨＤＭＩケーブルが対応品か否かを判断するものも同様に構成できる（図１５、図３１参照）。
【０２１４】
図３９に示す伝送システム１０-5においては、ソース機器１１０-5からＨＤＭＩケーブル１３０-5のレジスタ１３１へのアクセスが終了するまでは、スイッチＳＷ５が開放状態に置かれる。そのため、シンク機器３２０にレジスタ１３１のアクセス情報がＤＤＣラインを通じて送信されることがなく、該当アドレスが定義されていないシンク機器３２０で誤動作を生じてしまうことを回避できる。
【０２１５】
また、図３９に示す伝送システム１０-5においては、ソース機器１１０-5からＨＤＭＩケーブル１３０-5のレジスタ１３１へのアクセスが終了した後にスイッチＳＷ５が短絡状態に変更され、その後にスイッチＳＷ６が短絡状態に変更される。そのため、シンク機器３２０からソース機器１１０-5に接続検知信号を送られた後にソース機器１１０-5からＤＤＣラインを通じてシンク機器３２０に送られる通信信号が妨げられることを回避できる。
【０２１６】
また、図３９に示す伝送システム１０-5においては、ＨＤＭＩケーブル１３０-5の制御部１３２は、ソース機器１１０-5からレジスタ１３１を通して通達される、自身が５５ｍＡ以上電流を引いても良いという情報に基づいて、ＬＤＯレギュレータ３３２Ａ，３３２Ｂをオンとして、＋５Ｖの電源ラインから５５ｍＡ以上を引くように制御する。そのため、ＨＤＭＩケーブル１３０-5のアクティブ回路では適切な動作が可能となり、また、ソース機器が過電流に耐えられず故障を起こすことを回避できる。
【０２１７】
「実施形態６」
図４０は、伝送システム１０-3Cの構成例を示している。この伝送システム１０-3Cは、デジタルインタフェースとしてＨＤＭＩを用いたＨＤＭＩ伝送システムである。この伝送システム１０-3Cは、送信装置としてのソース機器１１０-3と、中継器としてのリピータ１４０と、受信装置としてのシンク機器３２０と、ソース機器１１０-3とリピータ１４０を接続するＨＤＭＩケーブル３３０と、リピータ１４０とシンク機器３２０を接続するＨＤＭＩケーブル１３０-3を有している。
【０２１８】
上述の図２３の伝送システム１０-3では、対応ソース機器であるソース機器１１０-3とシンク機器３２０が対応ケーブルであるＨＤＭＩケーブル１３０-3を介して直接接続されているが、図４０の伝送システム１０-3Cでは、さらに、ソース機器１１０-3とＨＤＭＩケーブル１３０-3の間にＨＤＭＩケーブル３３０およびリピータ１４０が直列に挿入されるものである。この図４０において、図１、図２３と対応する部分には同一符号を付して示している。
【０２１９】
ここで、リピータ１４０はデータライン上に増幅器１４１を持っている。また、リピータ１４０は、ソース機器１１０-3から供給される＋５Ｖ電源ラインとは別系統で電源を持っており、シンク機器３２０には、この別系統の電源から＋５Ｖ電源ラインを通じて５Ｖが供給される。この場合、ソース機器１１０-3とＨＤＭＩケーブル１３０-3の間では、リピータ１４０により、＋５Ｖ電源ラインが分離されたものとなる。また、ここで、リピータ１４０のＵｔｉｌｉｔｙ等の制御線のインプットとアウトプットは低インピーダンスで接続されているものとする。
【０２２０】
図４０の伝送システム伝送システム１０-3Cの場合、ソース機器１１０-3とＨＤＭＩケーブル１３０-3の間では、Ｕｔｉｌｉｔｙラインが、非対応ケーブルであるＨＤＭＩケーブル３３０とリピータ１４０を介して接続されることになる。ソース機器１１０-3とＨＤＭＩケーブル１３０-3は、リピータ１４０が存在するにも関わらず互いに対応品としてシーケンス動作をする。
【０２２１】
この場合、ＨＤＭＩケーブル１３０-3の電圧モニタ部１３３は地点Ｐ２２の電圧が４Ｖであることをモニタし、そのモニタ結果を制御部１３２に送る。制御部１３２は、このモニタ結果に基づいてソース機器が対応ソース機器であると判断し、対応モードで動作するように制御する。従って、スイッチＳＷ２６は短絡状態とされ、ＬＤＯレギュレータ３３２Ａ，３３２Ｂがオンとされ、変換回路３３１Ａ，３３１Ｂが動作状態とされ、電流を＋５Ｖラインから引き始める。
【０２２２】
この場合、実際の電流の供給元は、ソース機器１１０-3の＋５Ｖ電源ラインではなく、リピータ１４０の＋５Ｖ電源ラインである。この際、リピータ１４０が５５ｍＡ以上の電流供給に対応していない場合は、故障する可能性がある。
【０２２３】
この実施の形態においては、このようなリピータ１４０の故障を回避するために、伝送システムを構成するソース機器およびＨＤＭＩケーブルは、図４１（ａ），（ｂ）に示すように、それぞれ、リピータの介在があるが否かを考慮しつつ、対応品であるか否か、さらには相手が対応品であるか否かによって異なる動作をする。
【０２２４】
対応ソース機器（対応品であるソース機器）および非対応ソース機器は、図４１（ａ）に示すように動作する。すなわち、対応ソース機器は、対応ケーブル（対応品であるＨＤＭＩケーブル）が接続される場合は、非対応リピータの介在があるときは非対応モードで動作し、リピータの介在がないときは対応モードで動作をする。また、対応ソース機器は、非対応ケーブルが接続される場合は非対応モードで動作する。また、非対応ソース機器は、対応ケーブルおよび非対応ケーブルのいずれが接続される場合も通常動作をする。
【０２２５】
また、対応ケーブルおよび非対応ケーブルは、図４１（ｂ）に示すように動作する。すなわち、対応ケーブルは、対応ソース機器が接続される場合は、非対応リピータの介在があるときは非対応モードで動作し、リピータの介在がないときは対応モードで動作をする。また、対応ケーブルは、非対応ソース機器が接続される場合は非対応モードで動作する。また、非対応ケーブルは、対応ソース機器および非対応ソース機器のいずれが接続される場合も通常動作をする。
【０２２６】
また、図４１（ｃ），（ｄ）は、対応/非対応のリピータと対応/非対応のケーブル２の動作関係を示す。対応リピータの場合、ソース機器とリピータの間では、リピータはシンク機器の受け口と同等に動き、上述の図６のモードが成り立つ。リピータとシンク機器の間では、リピータがソース機器の出し口と同等に動き、すなわち対応ソース機器と同じように分圧用の抵抗ＲやスイッチＳＷを持つので、図４１（ｃ），（ｄ）のモードとなる。このとき、対応ケーブルはリピータの介在を判断するわけではなく、あたかもソース機器と繋がったと判断して動作するが、対応リピータは５５ｍＡ以上流せるため問題はない。
【０２２７】
図４２は、伝送システム１０-6の構成例を示している。この伝送システム１０-6は、デジタルインタフェースとしてＨＤＭＩを用いたＨＤＭＩ伝送システムである。この伝送システム１０-6は、送信装置としてのソース機器１１０-6と、受信装置としてのシンク機器３２０と、これらを接続するＡＯＣであるＨＤＭＩケーブル１３０-6を有している。この図４２において、図２３と対応する部分には同一符号を付し、適宜、その詳細説明は省略する。
【０２２８】
ＨＤＭＩケーブル１３０-6は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３，１３４、スイッチＳＷ４３，ＳＷ４４，ＳＷ４６および分圧用の抵抗Ｒ２を有している。
【０２２９】
Ｕｔｉｌｉｔｙラインの地点Ｐ４２と＋５Ｖ電源ラインの地点Ｐ４４との間には、抵抗Ｒ２およびスイッチＳＷ４３の直列回路が接続されている。これにより、Ｕｔｉｌｉｔｙラインの地点Ｐ４２には、５Ｖが、抵抗Ｒ２およびスイッチＳＷ４３の直列回路を介して印加される。このＵｔｉｌｉｔｙラインの地点Ｐ４２よりシンク機器３２０側に、スイッチＳＷ４４が挿入されている。また、＋５Ｖ電源ラインの地点Ｐ４４よりシンク機器３２０側に、スイッチＳＷ４６が挿入されている。
【０２３０】
電圧モニタ部１３３は、Ｕｔｉｌｉｔｙラインの地点Ｐ４２の電圧をモニタし、そのモニタ結果を制御部１３２に送る。電圧モニタ部１３４は、＋５Ｖの電源ラインのスイッチＳＷ４６の挿入位置より端子側の地点Ｐ４３の電圧をモニタし、そのモニタ結果を制御部１３２に送る。ＬＤＯレギュレータ３３２Ａ、３３２Ｂには、＋５Ｖの電源ラインのスイッチＳＷ４６の挿入位置よりシンク機器３２０側の地点から電源が供給される。制御部１３２は、ＨＤＭＩケーブル１３０-6の各部の動作を制御する。
【０２３１】
ソース機器１１０-6は、対応ソース機器である。このソース機器１１０-6は、各部の動作を制御する制御部１１１の他に、電圧モニタ部１１２、スイッチＳＷ４１，ＳＷ４２，ＳＷ４７，ＳＷ４８および分圧用の抵抗Ｒ１，Ｒ３を有している。上述したＨＤＭＩケーブル１３０-6の抵抗Ｒ２とこのソース機器１１０-6の抵抗Ｒ１，Ｒ３は、それぞれ、消費電流を少なくするためにはある程度大きな値であることが望ましい。以下、Ｒ１＝４００ｋΩ、Ｒ２＝１００ｋΩ、Ｒ３＝５００ｋΩとして説明する。
【０２３２】
接地とＵｔｉｌｉｔｙラインの地点Ｑ４１との間には、抵抗Ｒ１およびスイッチＳＷ４１の直列回路が接続されている。これにより、Ｕｔｉｌｉｔｙラインの地点Ｑ４１には、接地電圧である０Ｖが抵抗Ｒ１およびスイッチＳＷ４１の直列回路を介して印加される。Ｕｔｉｌｉｔｙラインの地点Ｑ４１の端子側とは反対側にスイッチＳＷ４２が挿入されている。電圧モニタ部１１２は、Ｕｔｉｌｉｔｙラインの地点Ｑ４１の電圧をモニタし、そのモニタ結果を制御部１１１に送る。また、＋５Ｖ電源ラインの地点Ｑ４２には、５Ｖの電圧が抵抗Ｒ３およびスイッチＳＷ４７の直列回路を介して印加される。＋５Ｖ電源ラインの地点Ｑ４２の端子側とは反対側にスイッチＳＷ４８が挿入されている。
【０２３３】
図４２に示す伝送システム１０-6において、ＨＤＭＩケーブル１３０-6は対応ケーブルであり、ソース機器１１０-6は対応ソース機器である。そのため、ソース機器１１０-6は、接続されているＨＤＭＩケーブルが対応ケーブルであると判断し、対応モードで動作する。同様に、ＨＤＭＩケーブル１３０-6は、接続されているソース機器が対応ソース機器であると判断し、対応モードで動作する。
【０２３４】
ソース機器１１０-6およびＨＤＭＩケーブル１３０-6の動作の詳細を説明する。図４２において、ソース機器１１０-6およびＨＤＭＩケーブル１３０-6は、初期状態を示している。ソース機器１１０-6において、初期状態では、スイッチＳＷ４１，ＳＷ４８は短絡状態とされており、スイッチＳＷ４２，ＳＷ４７は開放状態とされている。一方、ＨＤＭＩケーブル１３０-6において、初期状態では、スイッチＳＷ４３は短絡状態とされており、スイッチＳＷ４４，ＳＷ４６は開放状態とされている。
【０２３５】
この初期状態では、ＳＷ４１，ＳＷ４３が短絡状態とされているので、ソース機器１１０-6の接地（０Ｖ）とＨＤＭＩケーブル１３０-6の＋５Ｖ電源ラインとの間に、抵抗Ｒ１，Ｒ２が直列に接続され、Ｕｔｉｌｉｔｙラインの地点Ｑ４１，Ｐ４２には、抵抗分圧により、４Ｖの電圧が得られる。
【０２３６】
ソース機器１１０-6の電圧モニタ部１１２は地点Ｑ４１の電圧が４Ｖであることをモニタし、そのモニタ結果を制御部１１１に送る。制御部１１１は、このモニタ結果に基づいて、対応ケーブルであるＨＤＭＩケーブルの接続があると判断する。
【０２３７】
同様に、ＨＤＭＩケーブル１３０-6の電圧モニタ部１３３は地点Ｐ４２の電圧が４Ｖであることをモニタし、そのモニタ結果を制御部１３２に送る。制御部１３２は、このモニタ結果に基づいて、対応ソース機器であるソース機器の接続があると判断する。
【０２３８】
ここで、ソース機器１１０-6において、スイッチＳＷ４２が開放状態とされているので、４Ｖの電圧はソース機器１１０-6内部に伝搬されず、ソース機器１１０-6内部に影響を及ぼすことがない。同様に、ＨＤＭＩケーブル１３０-6において、スイッチＳＷ４４は開放状態とされているので、４Ｖの電圧はシンク機器３２０に伝搬されず、シンク機器３２０に影響を及ぼすことがない。
【０２３９】
ソース機器１１０-6の制御部１１１は、電圧モニタ部１３３による４Ｖのモニタ結果に基づいて、図４３に示すように、スイッチＳＷ４７を短絡状態とし、その後にスイッチＳＷ４８を開放状態とする。ここで、抵抗Ｒ１，Ｒ２に直列に抵抗Ｒ３が接続され、Ｕｔｉｌｉｔｙラインの地点Ｑ４１，Ｐ４２には、抵抗分圧により、２Ｖの電圧が得られる。
【０２４０】
このとき、ソース機器１１０-6とＨＤＭＩケーブル１３０-6の間に、リピータ１４０（図４０参照）等のように＋５Ｖ電源ラインを分離する中継機器が接続されている場合、抵抗Ｒ３による発生電圧の変化は起きない。よって、Ｕｔｉｌｉｔｙラインの地点Ｑ４１，Ｐ４２に２Ｖの電圧が得られるということは、リピータ等の中継機器が接続されていないこととなる。
【０２４１】
ソース機器１１０-6の電圧モニタ部１１２は地点Ｑ４１の電圧が２Ｖになったことをモニタし、そのモニタ結果を制御部１１１に送る。制御部１１１は、このモニタ結果に基づいて、対応ケーブルとの間に＋５Ｖ電源ラインを分離するリピータ等の中継機器の接続はないと判断し、対応モードで動作するように制御する。
【０２４２】
同様に、ＨＤＭＩケーブル１３０-6の電圧モニタ部１３３は地点Ｐ４２の電圧が２Ｖになったことをモニタし、そのモニタ結果を制御部１３２に送る。制御部１３２は、このモニタ結果に基づいて、対応ソース機器との間に＋５Ｖ電源ラインを分離するリピータ等の中継機器の接続はないと判断し、対応モードで動作するように制御する。
【０２４３】
ソース機器１１０-6は対応モードで動作するように制御されるので、制御部１１１は、図４４に示すように、スイッチＳＷ４８を短絡状態とし、スイッチＳＷ４７を開放状態とし、さらにスイッチＳＷ４１を開放状態とする。そのため、Ｕｔｉｌｉｔｙラインの地点Ｐ４２の電圧は５Ｖとなる。ＨＤＭＩケーブル１３０-6において、電圧モニタ部１３３は地点Ｐ４２の電圧が５Ｖであることをモニタし、そのモニタ結果を制御部１３２に送る。このように地点Ｐ４２の電圧が５Ｖであることをモニタすることで、ソース機器において自身のケーブルが対応ケーブルであると共に＋５Ｖ電源ラインを分離するリピータ等の中継機器の介在はないと判断されたことが確認される。
【０２４４】
制御部１３２は、このモニタ結果に基づいて、図４５に示すように、各スイッチの状態を変更して、通常動作へと移行する。この場合、シンク機器３２０へ影響を与えないように、まずスイッチＳＷ４３を開放状態とし、次にスイッチＳＷ４４を短絡状態とし、最後にスイッチＳＷ４６を短絡状態とする。その後、制御部１３２は、ＬＤＯレギュレータ３３２Ａ，３３２Ｂをオンとしてアクティブ回路である変換回路３３１Ａ，３３１Ｂに３．３Ｖの電源を与え、これらの変換回路３３１Ａ，３３１Ｂを動作状態（Enable）とする。
【０２４５】
スイッチＳＷ４６が短絡状態とされることで、ソース機器１１０-6からシンク機器３２０に＋５Ｖ電源ラインを通じて５Ｖ電圧が送られ、それに伴ってシンク機器３２０からソース機器１１０-6にＨＰＤラインを介して５Ｖ電圧（接続検知信号）が送られる。これにより、ソース機器１１０-6の制御部１１１は、ケーブルの準備が完了したことを認識し、図４６に示すように、スイッチＳＷ４２を短絡状態とし、通常動作へと移行する。
【０２４６】
なお、図４３の時点で、Ｕｔｉｌｉｔｙラインの地点Ｑ４１，Ｐ４２に４Ｖの電圧が得られたままである場合、ソース機器１１０-6およびＨＤＭＩケーブル１３０-6は、それぞれ、以下のように動作する。この場合、ソース機器１１０-6の制御部１１１は＋５Ｖ電源ラインを分離するリピータ等の中継機器の介在があると判断し、非対応モードで動作するように制御する。すなわち、制御部１１１は、スイッチＳＷ４８を短絡状態とし、スイッチＳＷ４７を開放状態とし、スイッチＳＷ４１を開放状態とし、さらにスイッチＳＷ４２を短絡状態として、通常動作へと移行する。
【０２４７】
また、この場合、ＨＤＭＩケーブル１３０-6の制御部１１１は＋５Ｖ電源ラインを分離するリピータ等の中継機器の介在があると判断し、非対応モードで動作するように制御する。すなわち、制御部１３２は、スイッチＳＷ４３を開放状態とし、スイッチＳＷ４４を短絡状態とし、さらにスイッチＳＷ４６を短絡状態として、通常動作へと移行する。
【０２４８】
なお、ソース機器１１０-6は常に＋５Ｖ電源ラインによる供給可能電流が５５ｍＡ以上であって対応ケーブルであるＨＤＭＩケーブル１３０-6のアクティブ回路に電流を供給可能に構成されていてもよいが、ソース機器１１０-6の制御部１１１は、接続されたＨＤＭＩケーブルが対応ケーブルであると共に＋５Ｖ電源ラインを分離するリピータ等の中継機器の介在はないと判断したとき、＋５Ｖ電源ラインによる供給可能電流を５５ｍＡ以上とするモードに変更するようにされてもよい。電流供給量のモードを切り替えることで、ソース機器１１０-6は電源回路部の電力削減を図ることができる。例えば、制御部１１１は、上述したようにスイッチＳＷ４１を開放状態とする前に、供給可能電流を５５ｍＡ以上とするモードに変更する。
【０２４９】
このように図４２に示す伝送システム１０-6において、対応ケーブルであるＨＤＭＩケーブル１３０-6は、接続されたソース機器が、自身のアクティブ回路に十分に電流を供給し得る対応ソース機器であると判断すると共に＋５Ｖ電源ラインを分離するリピータ等の中継機器の介在はないと判断した場合に、自身のアクティブ回路を動作状態とする。そのため、ＨＤＭＩケーブル１３０-6のアクティブ回路では適切な動作が可能となり、また、ソース機器やリピータ等の中継機器が過電流に耐えられず故障を起こすことを回避できる。
【０２５０】
図４７は、伝送システム１０-6Aの構成例を示している。この伝送システム１０-6Aは、デジタルインタフェースとしてＨＤＭＩを用いたＨＤＭＩ伝送システムである。この伝送システム１０-6Aは、送信装置としてのソース機器３１０と、受信装置としてのシンク機器３２０と、これらを接続するＨＤＭＩケーブル１３０-6を有している。この図４７において、図４、図４２と対応する部分には同一符号を付し、適宜、その詳細説明は省略する。
【０２５１】
この伝送システム１０-6Aにおいては、ソース機器３１０はレガシーのような非対応ソース機器であり、ＨＤＭＩケーブル１３０-6は対応ケーブルである。この場合、ソース機器３１０は、通常動作をする（図４１参照）。
【０２５２】
また、ＨＤＭＩケーブル１３０-6は、ソース機器が非対応ソース機器であると判断し、非対応モードで動作する。この場合、初期状態において、Ｕｔｉｌｉｔｙラインの地点Ｐ４２の電圧は５Ｖとなる。ＨＤＭＩケーブル１３０-6の電圧モニタ部１３３は地点Ｐ４２の電圧が５Ｖであることをモニタし、そのモニタ結果を制御部１３２に送る。制御部１３２は、電圧モニタ部１３４で５Ｖが検知されているにもかかわらず、地点Ｐ４２の電圧が５Ｖのままであるときは、非対応ソース機器が繋がったと判断し、非対応モードで動作するように制御する。
【０２５３】
この場合、制御部１３２は、各スイッチの状態を変更して、通常動作へと移行する。この場合、シンク機器３２０へ影響を与えないように、まずスイッチＳＷ４３を開放状態とし、次にスイッチＳＷ４４を短絡状態とし、最後にスイッチＳＷ４６を短絡状態とする。また、この場合、制御部１３２は、＋５Ｖ電源ラインから５５ｍＡ以上電流を引かないようにアクティブ回路を制御する。例えば、ＬＤＯレギュレータ３３２Ａ，３３２Ｂをオフのままとし、アクティブ回路である変換回路３３１Ａ，３３１Ｂを非動作状態（Disable）のままとする。これにより、ＨＤＭＩケーブル１３０-6はソース機器３１０から５５ｍＡ以上の電流を引くということがなく、ソース機器３１０が過電流に耐えられず故障を起こすことを回避できる。
【０２５４】
なお、上述では、対応ケーブルであるＨＤＭＩケーブル１３０-6は、ソース機器が対応機器であるか非対応機器であるかによってＬＤＯレギュレータ３３２Ａ，３３２Ｂのオンオフを制御するものであった。しかし、この場合、ソース機器が非対応機器である場合にはＬＤＯレギュレータ３３２Ａ，３３２Ｂがオフとなってアクティブ回路が非動作状態となるので、データ送信ができない状態となる。
【０２５５】
従って、ソース機器が非対応ソース機器である場合、ＨＤＭＩケーブル１３０-6は、ＬＤＯレギュレータ３３２Ａ，３３２Ｂをオフの状態におくのではなく、データレートを落とすことで、ソース機器から引く電流を５５ｍＡ以下に保証する、ようにされてもよい。これにより、ソース機器が非対応ソース機器であっても、データ送信が可能となる。
【０２５６】
図４８は、伝送システム１０-6Bの構成例を示している。この伝送システム１０-6Bは、デジタルインタフェースとしてＨＤＭＩを用いたＨＤＭＩ伝送システムである。この伝送システム１０-6Bは、送信装置としてのソース機器１１０-6と、受信装置としてのシンク機器３２０と、これらを接続するＨＤＭＩケーブル３３０Ｃを有している。この図４８において、図４、図４２と対応する部分には同一符号を付し、適宜、その詳細説明は省略する。
【０２５７】
この伝送システム１０-6Bにおいては、ソース機器１１０-6は対応ソース機器であり、ＨＤＭＩケーブル３３０Ｃはレガシーのような非対応ケーブルある。この場合、ＨＤＭＩケーブル３３０Ｃは、通常動作をする（図４１参照）。
【０２５８】
ソース機器１１０-6は、ＨＤＭＩケーブルが非対応ケーブルであると判断し、非対応モードで動作する。この場合、初期状態において、Ｕｔｉｌｉｔｙラインの地点Ｑ４１の電圧は０Ｖとなる。ソース機器１１０-6の電圧モニタ部１１２は地点Ｑ４１の電圧が０Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。
【０２５９】
この場合、制御部１１１は、各スイッチの状態を変更して、通常動作へと移行する。この場合、ソース機器１１０-6内部へ影響を与えないように、まずスイッチＳＷ４１を開放状態とし、次にスイッチＳＷ４２を短絡状態とする。
【０２６０】
図４９は、伝送システム１０-6Cの構成例を示している。この伝送システム１０-6Cは、デジタルインタフェースとしてＨＤＭＩを用いたＨＤＭＩ伝送システムである。この伝送システム１０-6Cは、送信装置としてのソース機器１１０-6と、中継器としてのリピータ１４０と、受信装置としてのシンク機器３２０と、ソース機器１１０-6とリピータ１４０を接続するケーブル３３０と、リピータ１４０とシンク機器３２０を接続するＨＤＭＩケーブル１３０-6を有している。
【０２６１】
上述の図４２の伝送システム１０-6では、対応ソース機器であるソース機器１１０-6とシンク機器３２０が対応ケーブルであるＨＤＭＩケーブル１３０-6を介して直接接続されているが、伝送システム１０-6Cでは、さらに、ソース機器１１０-6とＨＤＭＩケーブル１３０-6の間にＨＤＭＩケーブル３３０およびリピータ１４０が直列に挿入されるものである。この図４９において、図４０、図４２と対応する部分には同一符号を付し、適宜、その詳細説明は省略する。なお、制御ラインは、リピータ１４０内でインとアウトが接続された状態にあるとする。
【０２６２】
図４９に示す伝送システム１０-6Cにおいて、ＨＤＭＩケーブル１３０-6は対応ケーブルであり、ソース機器１１０-6は対応ソース機器である。そのため、ソース機器１１０-6は、対応ケーブルであるＨＤＭＩケーブルの接続があると判断するが、＋５Ｖ電源ラインを分離するリピータ１４０の介在を認識し、非対応モードで動作する。同様に、ＨＤＭＩケーブル１３０-6は、対応ソース機器であるソース機器の接続があると判断するが、リピータ１４０の介在を認識し、非対応モードで動作する。
【０２６３】
図４９の伝送システム１０-6Cにおけるソース機器１１０-6およびＨＤＭＩケーブル１３０-6の動作の詳細を説明する。図４９において、ソース機器１１０-6およびＨＤＭＩケーブル１３０-6は、初期状態を示している。ソース機器１１０-6において、初期状態では、スイッチＳＷ４１，ＳＷ４８は短絡状態とされており、スイッチＳＷ４２，ＳＷ４７は開放状態とされている。一方、ＨＤＭＩケーブル１３０-6において、初期状態では、スイッチＳＷ４３は短絡状態とされており、スイッチＳＷ４４，ＳＷ４６は開放状態とされている。
【０２６４】
この初期状態では、ＳＷ４１，ＳＷ４３が短絡状態にあり、かつＵｔｉｌｉｔｙラインはソース機器１１０-6とＨＤＭＩケーブル１３０-6の間でＨＤＭＩケーブル３３０およびリピータ１４０を通じて接続されているので、ソース機器１１０-6の接地（０Ｖ）とＨＤＭＩケーブル１３０-6の＋５Ｖ電源ラインとの間に、抵抗Ｒ１，Ｒ２が直列に接続され、Ｕｔｉｌｉｔｙラインの地点Ｑ４１，Ｐ４２には、抵抗分圧により、４Ｖの電圧が得られる。
【０２６５】
ソース機器１１０-6の電圧モニタ部１１２は地点Ｑ４１の電圧が４Ｖであることをモニタし、そのモニタ結果を制御部１１１に送る。制御部１１１は、このモニタ結果に基づいて、対応ケーブルであるＨＤＭＩケーブルの接続があると判断する。
【０２６６】
同様に、ＨＤＭＩケーブル１３０-6の電圧モニタ部１３３は地点Ｐ４２の電圧が４Ｖであることをモニタし、そのモニタ結果を制御部１３２に送る。制御部１３２は、このモニタ結果に基づいて、対応ソース機器であるソース機器の接続があると判断する。
【０２６７】
ソース機器１１０-6の制御部１１１は、電圧モニタ部１１２による４Ｖのモニタ結果に基づいて、図５０に示すように、スイッチＳＷ４７を短絡状態とし、その後にスイッチＳＷ４８を開放状態とする。このとき、ソース機器１１０-6の＋５Ｖ電源ラインとＨＤＭＩケーブル１３０-6の＋５Ｖ電源ラインがリピータ１４０内で分離されているので、抵抗Ｒ３は抵抗Ｒ１，Ｒ２に直列に繋がらず、よってＵｔｉｌｉｔｙラインの地点Ｑ４１，Ｐ４２の電圧は４Ｖから変動しない。
【０２６８】
ソース機器１１０-6の制御部１１１は、電圧モニタ部１１２による４Ｖのモニタ結果に基づいて、自身と対応ケーブルの間にリピータの存在があると判断し、非対応モードで動作するように制御する。同様に、ＨＤＭＩケーブル１３０-6の制御部１３２は、電圧モニタ部１３３による４Ｖのモニタ結果に基づいて、自身と対応ソース機器の間にリピータの存在があると判断し、非対応モードで動作するように制御する。
【０２６９】
ソース機器１１０-6の制御部１１１は、図５１に示すように、スイッチＳＷ４８を短絡状態とし、スイッチＳＷ４７を開放状態とし、さらにスイッチＳＷ４１を開放状態とする。そのため、Ｕｔｉｌｉｔｙラインの地点Ｐ４２の電圧は５Ｖとなる。ＨＤＭＩケーブル１３０-6において、電圧モニタ部１３３は地点Ｐ４２の電圧が５Ｖであることをモニタし、そのモニタ結果を制御部１３２に送る。このように地点Ｐ４２の電圧が５Ｖであることをモニタすることで、ソース機器において自身のケーブルが対応ケーブルであると共に＋５Ｖ電源ラインを分離するリピータ等の中継機器の介在があると判断されたことが確認される。
【０２７０】
制御部１３２は、このモニタ結果に基づいて、図５２に示すように、各スイッチの状態を変更して、通常動作へと移行する。この場合、まずスイッチＳＷ４３を開放状態とし、次にスイッチＳＷ４４を短絡状態とし、最後にスイッチＳＷ４６を短絡状態とする。また、この場合、制御部１３２は、＋５Ｖ電源ラインから５５ｍＡ以上電流を引かないようにアクティブ回路を制御する。例えば、ＬＤＯレギュレータ３３２Ａ，３３２Ｂをオフのままとし、アクティブ回路である変換回路３３１Ａ，３３１Ｂを非動作状態（Disable）のままとする。これにより、ＨＤＭＩケーブル１３０-6はリピータ１４０から５５ｍＡ以上の電流を引くということがなく、リピータ１４０が過電流に耐えられず故障を起こすことを回避できる。
【０２７１】
また、スイッチＳＷ４６が短絡状態とされることで、リピータ１４０からシンク機器３２０に＋５Ｖ電源ラインを通じて５Ｖ電圧が送られ、それに伴ってシンク機器３２０からソース機器１１０-6にＨＰＤラインを介して５Ｖ電圧（接続検知信号）が送られる。これにより、ソース機器１１０-6の制御部１１１は、ケーブルの準備が完了したことを認識し、図５３に示すように、スイッチＳＷ４２を短絡状態とし、通常動作へと移行する。
【０２７２】
図５４は、対応ソース機器であるソース機器１１０-6のシーケンスの一例を示している。ステップＳＴ１３１において、例えば電源スイッチがオンとされて＋５Ｖが立ち上げられると、シーケンスが開始され、ステップＳＴ１３２に進む。このステップＳＴ１３２において、制御部１１１により、電圧モニタ部１１２で第１のバイアス電圧（４Ｖ）が検知されたか判断される。
【０２７３】
第１のバイアス電圧（４Ｖ）が検知されたとき、ステップＳＴ１３３において、制御部１１１により、対応ケーブルであるＨＤＭＩケーブルの接続があると判断される。そして、ステップＳＴ１３４において、制御部１１１により、スイッチＳＷ４７が開放状態から短絡状態に変更され、その後にスイッチＳＷ４８が短絡状態から開放状態に変更される。
【０２７４】
次に、ステップＳＴ１３５において、制御部１１１により、電圧モニタ部１１２で第２のバイアス電圧（２Ｖ）が検知されたか判断される。第２のバイアス電圧（２Ｖ）が検知されたとき、制御部１１１により、ＨＤＭＩケーブルとの間に＋５Ｖ電源ラインを分離するリピータ等の中継機器の介在はないと判断され、ステップＳＴ１３６に進む。このステップＳＴ１３６において、制御部１１１により、スイッチＳＷ４８が開放状態から短絡状態に変更され、スイッチＳＷ４７が短絡状態から開放状態に変更され、さらに、スイッチＳＷ４１が短絡状態から開放状態に変更される。
【０２７５】
次に、ステップＳＴ１３７において、制御部１１１により、ＨＰＤラインがハイレベル（５Ｖ）になったことが検知されると、ステップＳＴ１３８において、制御部１１１により、スイッチＳＷ４２が開放状態から短絡状態に変更される。そして、ステップＳＴ１３９において、シーケンスが終了される。
【０２７６】
また、ステップＳＴ１３５で第２のバイアス電圧（２Ｖ）が検知されないとき、制御部１１１により、ＨＤＭＩケーブルとの間に＋５Ｖ電源ラインを分離するリピータ等の中継機器の介在があると判断され、ステップＳＴ１４０に進む。このステップＳＴ１４０において、制御部１１１により、スイッチＳＷ４８が開放状態から短絡状態に変更され、スイッチＳＷ４７が短絡状態から開放状態に変更され、さらに、スイッチＳＷ４１が短絡状態から開放状態に変更される。そして、ステップＳＴ１３８において、制御部１１１により、スイッチＳＷ４２が開放状態から短絡状態に変更される。そして、ステップＳＴ１３９において、シーケンスが終了される。
【０２７７】
また、ステップＳＴ１３２で第１のバイアス電圧（４Ｖ）が検知されないとき、ステップＳＴ１４１において、制御部１１１により、ＨＰＤラインのハイレベル（５Ｖ）が検知されたか否かが判断される。ＨＰＤラインのハイレベル（５Ｖ）が検知されないとき、ステップＳＴ１３２に戻る。一方、ＨＰＤラインのハイレベル（５Ｖ）が検知されたとき、ステップＳＴ１４２において、制御部１１１により、非対応ケーブルであるＨＤＭＩケーブルの接続があると判断される。
【０２７８】
そして、ステップＳＴ１４３において、スイッチＳＷ４１が短絡状態から開放状態に変更される。次に、ステップＳＴ１３８において、制御部１１１により、スイッチＳＷ４２が開放状態から短絡状態に変更される。そして、ステップＳＴ１３９において、シーケンスが終了される。
【０２７９】
図５５は、対応ケーブルであるＨＤＭＩケーブル１３０-6のシーケンスの一例を示している。ステップＳＴ１５１において、電圧モニタ部１３４で５Ｖの電圧が検知されると、シーケンスが開始され、ステップＳＴ１５２に進む。このステップＳＴ１５２において、制御部１３２により、電圧モニタ部１３３で第１のバイアス電圧（４Ｖ）が検知されたか判断される。
【０２８０】
第１のバイアス電圧（４Ｖ）が検知されたとき、ステップＳＴ１５３において、制御部１３２により、対応ソース機器であるソース機器の接続があると判断される。そして、ステップＳＴ１５４において、制御部１３２により、電圧モニタ部１３３で第２のバイアス電圧（２Ｖ）が検知されたか判断される。
【０２８１】
第２のバイアス電圧（２Ｖ）が検知されたとき、制御部１３２により、ソース機器との間に＋５Ｖ電源ラインを分離するリピータ等の中継機器の介在はないと判断され、ステップＳＴ１５５に進む。このステップＳＴ１５５において、電圧モニタ部１３３で５Ｖが検知されると、ステップＳＴ１５６において、制御部１３２により、スイッチＳＷ４３が短絡状態から開放状態に変更され、スイッチＳＷ４４が開放状態から短絡状態に変更され、さらにスイッチＳＷ４６が開放状態から短絡状態に変更される。
【０２８２】
次に、ステップＳＴ１５７において、ＬＤＯレギュレータ３３２Ａ，３３２Ｂがオンとされてアクティブ回路が動作状態（Enable）とされた後に、ステップＳＴ１５８において、シーケンスが終了される。
【０２８３】
また、ステップＳＴ１５４で第２のバイアス電圧（２Ｖ）が検知されないとき、制御部１３２により、ソース機器との間に＋５Ｖ電源ラインを分離するリピータ等の中継機器の介在があると判断され、ステップＳＴ１５９に進む。このステップＳＴ１５９において、制御部１３２により、スイッチＳＷ４３が短絡状態から開放状態に変更され、スイッチＳＷ４４が開放状態から短絡状態に変更され、さらにスイッチＳＷ４６が開放状態から短絡状態に変更される。そして、ステップＳＴ１５８において、シーケンスが終了される。
【０２８４】
また、ステップＳＴ１５２で第１のバイアス電圧（４Ｖ）が検知されないとき、ステップＳＴ１６０において、制御部１３２により、非対応ソース機器であるソース機器の接続があると判断される。そして、ステップＳＴ１５９において、制御部１３２により、スイッチＳＷ４３が短絡状態から開放状態に変更され、スイッチＳＷ４４が開放状態から短絡状態に変更され、さらにスイッチＳＷ４６が開放状態から短絡状態に変更される。そして、ステップＳＴ１５８において、シーケンスが終了される。
【０２８５】
なお、ソース機器１１０-6のスイッチＳＷ４１，ＳＷ４２，ＳＷ４７，ＳＷ４８およびＨＤＭＩケーブル１３０-6のスイッチＳＷ４３，ＳＷ４４，ＳＷ４６は、＋５Ｖ電源ラインの電圧が落ちたら、初期状態にリセットされる。
【０２８６】
「実施形態７」
図５６は、伝送システム１０-7の構成例を示している。この伝送システム１０-7は、デジタルインタフェースとしてＨＤＭＩを用いたＨＤＭＩ伝送システムである。この伝送システム１０-7は、送信装置としてのソース機器１１０-7と、受信装置としてのシンク機器３２０と、これらを接続するＨＤＭＩケーブル１３０-7を有している。
【０２８７】
上述の図４２の伝送システム１０-6におけるＨＤＭＩケーブル１３０-6はレジスタを有していないが、図５６の伝送システム１０-7におけるＨＤＭＩケーブル１３０-7では、上述の図７の伝送システム１０-1におけるＨＤＭＩケーブル１３０-1と同様のレジスタ１３１を有している。この図５６において、図７、図４２と対応する部分には同一符号を付し、適宜、その詳細説明は省略する。
【０２８８】
ＨＤＭＩケーブル１３０-7は、対応ケーブルである。このＨＤＭＩケーブル１３０-7は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３，１３４、スイッチＳＷ３，ＳＷ４，ＳＷ５，ＳＷ６および分圧用の抵抗Ｒ２を有している。
【０２８９】
ソース機器１１０-7は、対応ソース機器である。このソース機器１１０-7は、各部の動作を制御する制御部１１１の他に、電圧モニタ部１１２、スイッチＳＷ１，ＳＷ２，ＳＷ７，ＳＷ８および分圧用の抵抗Ｒ１，Ｒ３を有している。上述したＨＤＭＩケーブル１３０-7の抵抗Ｒ２とこのソース機器１１０-7の抵抗Ｒ１，Ｒ３は、それぞれ、消費電流を少なくするためにはある程度大きな値であることが望ましい。以下、Ｒ１＝４００ｋΩ、Ｒ２＝１００ｋΩ、Ｒ３＝５００ｋΩとして説明する。
【０２９０】
図５６に示す伝送システム１０-7において、ＨＤＭＩケーブル１３０-7は対応ケーブルであり、ソース機器１１０-7は対応ソース機器である。そのため、ソース機器１１０-7は、接続されているＨＤＭＩケーブルが対応ケーブルであると判断し、対応モードで動作する。同様に、ＨＤＭＩケーブル１３０-7は、接続されているソース機器が対応ソース機器であると判断し、対応モードで動作する。
【０２９１】
ソース機器１１０-7およびＨＤＭＩケーブル１３０-7の動作について説明する。詳細説明は省略するが、上述の図７の伝送システム１０-1におけるソース機器１１０-1およびＨＤＭＩケーブル１３０-1と同様に動作し、ソース機器１１０-7の制御部１１１からＨＤＭＩケーブル１３０-7のレジスタ１３１へのアクセス（リード/ライト）を経た後に、それぞれ、通常動作に移行する。
【０２９２】
ソース機器１１０-7の制御部１１１は、レジスタ１３１へのアクセス時に、自身が５５ｍＡ以上電流を引いても良いことをレジスタ１３１に書き込むことができる。ＨＤＭＩケーブル１３０-7の制御部１３２は、通常動作に移行した後に、レジスタ１３１の情報に基づいて、アクティブ回路を動作状態（Enable）として、＋５Ｖの電源ラインから５５ｍＡ以上を引く状態とにすることが可能である。つまり、図５６の伝送システム１０-7の場合、ソース機器１１０-7は、自身が５５ｍＡ以上電流を引いても良いことを、レジスタ１３１を通して、ＨＤＭＩケーブル１３０-7に通達できる。
【０２９３】
また、詳細説明は省略するが、ソース機器１１０-7およびＨＤＭＩケーブル１３０-7は、図４２の伝送システム１０-6におけるソース機器１１０-6およびＨＤＭＩケーブル１３０-6と同様に動作する。これにより、ソース機器１１０-7の制御部１１１は対応ケーブルとの間に＋５Ｖ電源ラインを分離するリピータ等の中継機器の介在の有無を認識する。同様に、ＨＤＭＩケーブル１３０-7の制御部１３２は対応ソース機器との間に＋５Ｖ電源ラインを分離するリピータ等の中継機器の介在の有無を認識する。
【０２９４】
上述したように、ＨＤＭＩケーブル１３０-7の制御部１３２は、通常動作に移行した後に、レジスタ１３１の情報に基づいて、アクティブ回路を動作状態（Enable）として、＋５Ｖ電源ラインから５５ｍＡ以上を引く状態とにすることが可能である。しかし、対応ソース機器との間に＋５Ｖ電源ラインを分離するリピータ等の中継機器の介在があると認識されている場合、＋５Ｖ電源ラインから５５ｍＡ以上電流を引かないようにアクティブ回路を制御することで、介在されているリピータ等の中継機器が過電流に耐えられず故障を起こすことを回避できる。
【０２９５】
図５６に示す伝送システム１０-7においては、ソース機器１１０-7からＨＤＭＩケーブル１３０-7のレジスタ１３１へのアクセスが終了するまでは、スイッチＳＷ５が開放状態に置かれる。そのため、シンク機器３２０にレジスタ１３１のアクセス情報がＤＤＣラインを通じて送信されることがなく、該当アドレスが定義されていないシンク機器３２０で誤動作を生じてしまうことを回避できる。
【０２９６】
また、図５６に示す伝送システム１０-7においては、ソース機器１１０-7からＨＤＭＩケーブル１３０-7のレジスタ１３１へのアクセスが終了した後にスイッチＳＷ５が短絡状態に変更され、その後にスイッチＳＷ６が短絡状態に変更される。そのため、シンク機器３２０からソース機器１１０-7に接続検知信号を送られた後にソース機器１１０-7からＤＤＣラインを通じてシンク機器３２０に送られるため、その通信信号が妨げられることを回避できる。
【０２９７】
また、図５６に示す伝送システム１０-7においては、ＨＤＭＩケーブル１３０-7の制御部１３２は、ソース機器１１０-7からレジスタ１３１を通して通達される、自身が５５ｍＡ以上電流を引いても良いという情報に基づいて、ＬＤＯレギュレータ３３２Ａ，３３２Ｂをオンとして、＋５Ｖ電源ラインから５５ｍＡ以上を引くように制御する。そのため、ＨＤＭＩケーブル１３０-7のアクティブ回路では適切な動作が可能となり、また、ソース機器が過電流に耐えられず故障を起こすことを回避できる。
【０２９８】
また、図５６に示す伝送システム１０-7においては、ソース機器１１０-7とＨＤＭＩケーブル１３０-7の間に＋５Ｖ電源ラインを分離するリピータ等の中継機器の介在がある場合には、それを認識し、＋５Ｖ電源ラインから５５ｍＡ以上電流を引かないようにＨＤＭＩケーブル１３０-7のアクティブ回路を制御でき、当該中継機器が過電流に耐えられず故障を起こすことを回避できる。
【０２９９】
なお、図４２の伝送システム１０-6などでは、また、＋５Ｖ電源ラインの地点Ｑ４２に５Ｖの電圧が抵抗Ｒ３およびスイッチＳＷ４７の直列回路を介して印加される構成を設けることで第２の電圧（２Ｖ）を生成している。しかし、抵抗Ｒ３をなくして、５Ｖ電位を直接変動して第２の電圧（２Ｖ）を生成する構成も考えられる。
【０３００】
「実施形態８」
図５７は、伝送システム１０-8の構成例を示している。この伝送システム１０-8は、デジタルインタフェースとしてＨＤＭＩを用いたＨＤＭＩ伝送システムである。この伝送システム１０-8は、送信装置としてのソース機器１１０-8と、受信装置としてのシンク機器３２０と、これらを接続するＨＤＭＩケーブル１３０-8を有している。この図５７において、図７と対応する部分には同一符号を付し、適宜、その詳細説明は省略する。
【０３０１】
図７の伝送システム１０-1においては、ＤＤＣラインのＩ２Ｃ（Inter-Integrated Circuit）を使って、ソース機器１１０-1がケーブル１３０-1内に用意されたレジスタ１３１を読み書きすることで、ケーブルＩＤ、回路特性調整用パラメータ、ケーブルが消費する電流量、伝送可能データレートなどといった情報を、ソース機器１１０-1とケーブル１３０-1の間でやり取りすることができるものであった。
【０３０２】
これに対して、伝送システム１０-8は、可変抵抗回路の抵抗値を変えてＵｔｉｌｉｔｙラインのバイアス電圧を変化させることで、ソース機器１１０-8とＨＤＭＩケーブル１３０-8の間で種々の情報をやり取りするものであり、ＤＤＣライン上にレジスタが不要になり、従って、レジスタのアクセス情報がＤＤＣラインを通じてシンク機器３２０に送信されることがなく、該当アドレスが定義されていないシンク機器３２０で誤動作を生じるということがなくなる。
【０３０３】
ＨＤＭＩケーブル１３０-8は、対応ケーブルである。このＨＤＭＩケーブル１３０-8は、制御部１３２、電圧モニタ部１３３，１３４、スイッチＳＷ４，ＳＷ６および可変抵抗回路１３５を有している。Ｕｔｉｌｉｔｙラインには、地点Ｐ２よりシンク機器３２０側に、スイッチＳＷ４が挿入されている。また、＋５Ｖ電源ラインには、地点Ｐ３よりシンク機器３２０側に、スイッチＳＷ６が挿入されている。
【０３０４】
電圧モニタ部１３３は、Ｕｔｉｌｉｔｙラインの地点Ｐ２の電圧をモニタし、そのモニタ結果を制御部１３２に送る。電圧モニタ部１３４は、＋５Ｖの電源ラインの地点Ｐ３の電圧をモニタし、そのモニタ結果を制御部１３２に送る。制御部１３２は、ＨＤＭＩケーブル１３０-8の各部の動作を制御する。
【０３０５】
Ｕｔｉｌｉｔｙラインの地点Ｐ２と接地（０Ｖ）との間には、可変抵抗回路１３５が接続されている。可変抵抗回路１３５は、抵抗とスイッチの直列回路が所定個数だけ並列に接続された構成とされている。図示の例においては、抵抗Ｒ２ｘとスイッチＳＷ３ｘの直列回路、抵抗Ｒ２ｙとスイッチＳＷ３ｙの直列回路、および抵抗Ｒ２ｚとスイッチＳＷ３ｚの直列回路が並列接続されている。
【０３０６】
ソース機器１１０-8は、対応ソース機器である。このソース機器１１０-8は、各部の動作を制御する制御部１１１の他に、電圧モニタ部１１２、スイッチＳＷ２および可変抵抗回路１１４を有している。Ｕｔｉｌｉｔｙラインには、地点Ｑ１より内部側に、スイッチＳＷ２が挿入されている。電圧モニタ部１１２は、Ｕｔｉｌｉｔｙラインの地点Ｑ２の電圧をモニタし、そのモニタ結果を制御部１１１に送る。
【０３０７】
＋５Ｖ電源ラインとＵｔｉｌｉｔｙラインの地点Ｑ１との間には、可変抵抗回路１１４が接続されている。可変抵抗回路１１４は、抵抗とスイッチの直列回路が所定個数だけ並列に接続された構成とされている。図示の例においては、抵抗Ｒ１ｘとスイッチＳＷ１ｘの直列回路、抵抗Ｒ１ｙとスイッチＳＷ１ｙの直列回路、および抵抗Ｒ１ｚとスイッチＳＷ１ｚの直列回路が並列接続されている。
【０３０８】
上述したＨＤＭＩケーブル１３０-8の抵抗Ｒ２ｘ，Ｒ２ｙ，Ｒ２ｚと、このソース機器１１０-8の抵抗Ｒ１ｘ，Ｒ１ｙ，Ｒ１ｚは、それぞれ、消費電流を少なくするためにはある程度大きな値であることが望ましい。この値に限定されるものではないが、以下、Ｒ１ｘ＝１００ｋΩ、Ｒ１ｙ＝２００ｋΩ、Ｒ１ｚ＝３００ｋΩ、Ｒ２ｘ＝４００ｋΩ、Ｒ２ｙ＝５００ｋΩ、Ｒ２ｚ＝６００ｋΩとして説明する。
【０３０９】
図５７に示す伝送システム１０-8において、ＨＤＭＩケーブル１３０-8は対応ケーブルであり、ソース機器１１０-8は対応ソース機器である。そのため、ソース機器１１０-8は、接続されているＨＤＭＩケーブルが対応ケーブルであると判断し、対応モードで動作する。同様に、ＨＤＭＩケーブル１３０-8は、接続されているソース機器が対応ソース機器であると判断し、対応モードで動作する。
【０３１０】
ソース機器１１０-8およびＨＤＭＩケーブル１３０-8の動作の詳細を説明する。図５７において、ソース機器１１０-8およびＨＤＭＩケーブル１３０-8は、初期状態を示している。ソース機器１１０-8において、初期状態では、スイッチＳＷ１ｘは短絡状態とされており、スイッチＳＷ１ｙ，ＳＷ１ｚ，ＳＷ２は開放状態とされている。一方、ＨＤＭＩケーブル１３０-8において、初期状態では、スイッチＳＷ３ｘは短絡状態とされており、スイッチＳＷ３ｙ，ＳＷ３ｚ，ＳＷ４，ＳＷ６は開放状態とされている。
【０３１１】
この初期状態では、スイッチＳＷ１ｘ，ＳＷ３ｘが短絡状態とされているので、ソース機器１１０-8の＋５Ｖ電源ラインとＨＤＭＩケーブル１３０-8の接地（０Ｖ）との間に、抵抗Ｒ１ｘ，Ｒ２ｘが直列に接続され、Ｕｔｉｌｉｔｙラインの地点Ｑ１，Ｐ２には、抵抗分圧により、４Ｖの電圧（バイアス電圧）が得られる。
【０３１２】
ソース機器１１０-8の電圧モニタ部１１２は地点Ｑ１の電圧が４Ｖであることをモニタし、そのモニタ結果を制御部１１１に送る。制御部１１１は、このモニタ結果に基づいて、接続されているＨＤＭＩケーブルが対応ケーブルであると判断し、対応モードで動作するように制御する。
【０３１３】
同様に、ＨＤＭＩケーブル１３０-8の電圧モニタ部１３３は地点Ｐ２の電圧が４Ｖであることをモニタし、そのモニタ結果を制御部１３２に送る。制御部１３２は、このモニタ結果に基づいて、接続されているソース機器が対応ソース機器であると判断し、対応モードで動作するように制御する。
【０３１４】
ここで、ソース機器１１０-8において、スイッチＳＷ２が開放状態とされているので、４Ｖの電圧はソース機器１１０-8内部に伝搬されず、ソース機器１１０-8内部に影響を及ぼすことがない。同様に、ＨＤＭＩケーブル１３０-8において、スイッチＳＷ４は開放状態とされているので、４Ｖの電圧はシンク機器３２０に伝搬されず、シンク機器３２０に影響を及ぼすことがない。
【０３１５】
ソース機器１１０-8とＨＤＭＩケーブル１３０-8ではそれぞれ対応モードでの動作が開始され、まず情報送受信が行われる。この場合、ソース機器１１０-8は、可変抵抗回路１１４の抵抗値を変えてＵｔｉｌｉｔｙラインのバイアス電圧を変化させることで、種々の情報をＨＤＭＩケーブル１３０-8に送信できる。ＨＤＭＩケーブル１３０-8側では、Ｕｔｉｌｉｔｙラインの地点Ｐ２におけるバイアス電圧のモニタ結果が電圧モニタ部１３３から制御部１３２に供給される。制御部１３２は、バイアス電圧値と情報との対応関係を示すテーブルを参照して、ソース機器１１０-8からの送信情報を理解し、取得する。
【０３１６】
また、この場合、ＨＤＭＩケーブル１３０-8は、可変抵抗回路１３５の抵抗値を変えてＵｔｉｌｉｔｙラインのバイアス電圧を変化させることで、種々の情報をソース機器１１０-8に送信できる。ソース機器１１０-8側では、Ｕｔｉｌｉｔｙラインの地点Ｑ１におけるバイアス電圧のモニタ結果が電圧モニタ部１１２から制御部１１１に供給される。制御部１１１は、バイアス電圧値と情報との対応関係を示すテーブルを参照して、ＨＤＭＩケーブル１３０-8からの送信情報を理解し、取得する。
【０３１７】
図５８は、ソース機器１１０-8とＨＤＭＩケーブル１３０-8との間における情報送受信時における可変抵抗回路１１４，１３５の動作の一例を示している。図５８（ａ）は、図５７と同じ初期状態を示している。ソース機器１１０-8とＨＤＭＩケーブル１３０-8が双方とも対応品と判断すると、まず、図５８（ｂ）に示すように、ソース機器１１０-8は可変抵抗回路１１４のスイッチ群を切り替え、抵抗分圧で発生するバイアス電圧を変えることで、ＨＤＭＩケーブル１３０-8へ情報を送信する。ソース機器１１０-8は、ＨＤＭＩケーブル１３０-8への情報送信が終了すると、図５８（ｃ）に示すように、可変抵抗回路１１４のスイッチ群を初期のスイッチ状態（図５８（ａ）参照）へと移行し、ＨＤＭＩケーブル１３０-8に情報送信が終了したことを知らせる。
【０３１８】
その後、図５８（ｄ）に示すように、ＨＤＭＩケーブル１３０-8は可変抵抗回路１３５のスイッチ群を切り替え、抵抗分圧で発生するバイアス電圧を変えることで、ソース機器１１０-8へ情報を送信する。ＨＤＭＩケーブル１３０-8は、ソース機器１１０-8への情報送信が終了すると、図５８（ｅ）に示すように、可変抵抗回路１３５のスイッチ群を初期のスイッチ状態（図５８（ａ）参照）へと移行し、ソース機器１１０-8に情報送信が終了したことを知らせる。
【０３１９】
なお、図５７の伝送システム１０-8においては、ソース機器１１０-8の可変抵抗回路１１４とＨＤＭＩケーブル１３０-8の可変抵抗回路１３５は３つの抵抗をパラレルに並べる例を示しているが、パラレルに並べる抵抗の数は３つに限定されない。
【０３２０】
例えば、図５９に示すように、重み付けされた抵抗を８つパラレルに並べることで２５６階調を表現することができる。この場合、ソース機器１１０-8とＨＤＭＩケーブル１３０-8は、例えば、図６０に示すようなテーブルを共通に持つものとされる。そして、この場合、例えばソース機器１１０-8からＨＤＭＩケーブル１３０-8へ情報を伝えるときは、テーブル内の決められたコードの電圧を発生させることで、そのコードの情報をソース機器１１０-8がサポートすることをＨＤＭＩケーブル１３０-8は検知できる。ただし、上記実装例の場合だと２階調は既に使用されている。
【０３２１】
スイッチを全て開放する階調０は次のシーケンスへ移行する条件となっており、また、ある階調はネゴシエーションの初期状態に使われる。この２階調は情報伝達として使えないため、２５６階調用意されている場合は２５４階調を自由に使えることになる。図６０の例の場合、ソース機器１１０-8からＨＤＭＩケーブル１３０-8へソースバージョンを伝えたい場合、階調２か３のいずれかの電圧を表現することで伝えることができる。階調を切り替える方法として、連続的に目的の階調へと切り替えても良いし、一度ある決められた階調へ必ず戻ることで次の階調へ移ることをソース機器１１０-8とＨＤＭＩケーブル１３０-8が認識できるようにしてもよい。
【０３２２】
また、図５７の伝送システム１０-8においては、ソース機器１１０-8の可変抵抗回路１１４とＨＤＭＩケーブル１３０-8の可変抵抗回路１３５は３つの抵抗をパラレルに並べる例を示し、スイッチ群内の各スイッチの短絡状態、開放状態を切り替えることで抵抗値を変えるものであるが、これらの可変抵抗回路１１４、１３５を、抵抗値を可変し得る１つの抵抗素子（可変抵抗素子）を用いて構成することも考えられる。
【０３２３】
ソース機器１１０-8とＨＤＭＩケーブル１３０-8との間の情報の送受信が終了すると、図６１に示すように、ソース機器１１０-8の制御部１１１は、スイッチＳＷ１群内の全てのスイッチを開放状態とする。そのため、Ｕｔｉｌｉｔｙラインの地点Ｐ２の電圧は０Ｖとなる。ＨＤＭＩケーブル１３０-8において、電圧モニタ部１３３は地点Ｐ２の電圧が０Ｖであることをモニタし、そのモニタ結果を制御部１３２に送る。
【０３２４】
制御部１３２は、このモニタ結果に基づいて、情報の送受信が終了したと判断し、図６２に示すように、スイッチＳＷ３群およびスイッチＳＷ４，ＳＷ６の状態を変更して、通常動作へと移行する。この場合、シンク機器３２０へ影響を与えないように、まずスイッチＳＷ３群内の全てのスイッチを開放状態とし、次にスイッチＳＷ４を短絡状態とし、最後にスイッチＳＷ６を短絡状態とする。
【０３２５】
スイッチＳＷ６が短絡状態とされることで、ソース機器１１０-8からシンク機器３２０に＋５Ｖ電源ラインを通じて５Ｖ電圧が送られ、それに伴ってシンク機器３２０からソース機器１１０-8にＨＰＤラインを介して５Ｖ電圧（接続検知信号）が送られる。これにより、ソース機器１１０-8の制御部１１１は、ケーブルの準備が完了したことを認識し、図６３に示すように、スイッチＳＷ２を短絡状態とし、通常動作へと移行する。
【０３２６】
このように図５７に示す伝送システム１０-8においては、可変抵抗回路１１４，１３５の抵抗値を変えてＵｔｉｌｉｔｙラインのバイアス電圧を変化させることで、ソース機器１１０-8とＨＤＭＩケーブル１３０-8の間で種々の情報の送受信を行うものであり、ＤＤＣライン上にレジスタが不要になる。そのため、レジスタのアクセス情報がＤＤＣラインを通じてシンク機器３２０に送信されることがなく、該当アドレスが定義されていないシンク機器３２０で誤動作を生じるということがなくなる。
【０３２７】
図６４は、伝送システム１０-8Aの構成例を示している。この伝送システム１０-8Aは、デジタルインタフェースとしてＨＤＭＩを用いたＨＤＭＩ伝送システムである。この伝送システム１０-8Aは、送信装置としてのソース機器３１０と、受信装置としてのシンク機器３２０と、これらを接続するＨＤＭＩケーブル１３０-8を有している。この図６４において、図１、図５７と対応する部分には同一符号を付し、適宜、その詳細説明は省略する。
【０３２８】
この伝送システム１０-8Aにおいては、ソース機器３１０はレガシーのような非対応ソース機器であり、ＨＤＭＩケーブル１３０-8は対応ケーブルである。この場合、ソース機器３１０は、通常動作をする（図６参照）。
【０３２９】
また、ＨＤＭＩケーブル１３０-8は、ソース機器が非対応ソース機器であると判断し、非対応モードで動作する。この場合、初期状態において、Ｕｔｉｌｉｔｙラインの地点Ｐ２の電圧は０Ｖとなる。ＨＤＭＩケーブル１３０-8の電圧モニタ部１３３は地点Ｐ２の電圧が０Ｖであることをモニタし、そのモニタ結果を制御部１３２に送る。制御部１３２は、このモニタ結果と＋５Ｖ電源ラインがハイレベル（５Ｖ）にあることに基づいてソース機器が非対応ソース機器であると判断し、非対応モードで動作するように制御する。
【０３３０】
この場合、制御部１３２は、各スイッチの状態を変更して、通常動作へと移行する。この場合、シンク機器３２０へ影響を与えないように、まずスイッチＳＷ３群内の全てのスイッチを開放状態とし、次にスイッチＳＷ４を短絡状態とし、最後にスイッチＳＷ６を短絡状態とする(図６３参照)。
【０３３１】
図６５は、伝送システム１０-8Bの構成例を示している。この伝送システム１０-8Bは、デジタルインタフェースとしてＨＤＭＩを用いたＨＤＭＩ伝送システムである。この伝送システム１０-8Bは、送信装置としてのソース機器１１０-8と、受信装置としてのシンク機器３２０と、これらを接続するＨＤＭＩケーブル３３０を有している。この図６５において、図１、図５７と対応する部分には同一符号を付し、適宜、その詳細説明は省略する。
【０３３２】
この伝送システム１０-8Bにおいては、ソース機器１１０-8は対応ソース機器であり、ＨＤＭＩケーブル３３０はレガシーのような非対応ケーブルある。この場合、ＨＤＭＩケーブル３３０は、通常動作をする（図６参照）。
【０３３３】
ソース機器１１０-8は、ＨＤＭＩケーブルが非対応ケーブルであると判断し、非対応モードで動作する。この場合、初期状態において、Ｕｔｉｌｉｔｙラインの地点Ｑ１の電圧は５Ｖとなる。ソース機器１１０-8の電圧モニタ部１１２は地点Ｑ１の電圧が５Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。
【０３３４】
この場合、制御部１１１は、各スイッチの状態を変更して、通常動作へと移行する。この場合、ソース機器１１０-8内部へ影響を与えないように、まずスイッチＳＷ１群内の全てのスイッチを開放状態とし、次にスイッチＳＷ２を短絡状態とする（図６３参照)。
【０３３５】
図６６は、対応ソース機器であるソース機器１１０-8のシーケンスの一例を示している。ステップＳＴ１６１において、例えば電源スイッチがオンとされて＋５Ｖが立ち上げられると、シーケンスが開始され、ステップＳＴ１６２に進む。このステップＳＴ１６２において、制御部１１１により、電圧モニタ部１１２で所定のバイアス電圧（４Ｖ）が検知されたか判断される。
【０３３６】
所定のバイアス電圧（４Ｖ）が検知されたとき、ステップＳＴ１６３において、制御部１１１により、ＨＤＭＩケーブルは対応ケーブルであると判断される。そして、ステップＳＴ１６４において、ＨＤＭＩケーブルとの間で抵抗値変化を用いた情報の送信および受信が行われる。
【０３３７】
次に、ステップＳＴ１６５において、情報の送受信が終了した後に、制御部１１１により、スイッチＳＷ１群内の全てのスイッチが開放状態とされる。その後、ステップＳＴ１６６において、制御部１１１により、ＨＰＤラインがハイレベル（５Ｖ）になったことが検知されると、ステップＳＴ１６７において、制御部１１１により、スイッチＳＷ２が開放状態から短絡状態に変更される。そして、ステップＳＴ１６８において、シーケンスが終了される。
【０３３８】
また、ステップＳＴ１６２で所定のバイアス電圧（４Ｖ）が検知されないとき、ステップＳＴ１６９において、制御部１１１により、ＨＰＤラインのハイレベル（５Ｖ）が検知されたか否かが判断される。ＨＰＤラインのハイレベル（５Ｖ）が検知されないとき、ステップＳＴ１６２に戻る。一方、ＨＰＤラインのハイレベル（５Ｖ）が検知されたとき、ステップＳＴ１７０において、制御部１１１により、ＨＤＭＩケーブルは非対応ケーブルであると判断される。
【０３３９】
そして、ステップＳＴ１７１において、スイッチＳＷ１群内の全てのスイッチが開放状態とされる。次に、ステップＳＴ１６７において、制御部１１１により、スイッチＳＷ２が開放状態から短絡状態に変更される。そして、ステップＳＴ１６８において、シーケンスが終了される。
【０３４０】
図６７は、対応ケーブルであるＨＤＭＩケーブル１３０-8のシーケンスの一例を示している。ステップＳＴ１８１において、電圧モニタ部１３４で５Ｖの電圧が検知されると、シーケンスが開始され、ステップＳＴ１８２に進む。このステップＳＴ１８２において、制御部１３２により、電圧モニタ部１３３で所定のバイアス電圧（４Ｖ）が検知されたか判断される。
【０３４１】
所定のバイアス電圧（４Ｖ）が検知されたとき、ステップＳＴ１８３において、制御部１３２により、ソース機器は対応ソース機器であると判断される。そして、ステップＳＴ１８４において、ソース機器との間で抵抗値変化を用いた情報の送信および受信が行われる。次に、ステップＳＴ１８５において、電圧モニタ部１３３で０Ｖが検知されると、ステップＳＴ１８６において、制御部１３２により、スイッチＳＷ３群内の全てのスイッチが開放状態とされる。
【０３４２】
次に、ステップＳＴ１８７において、制御部１３２により、スイッチＳＷ４が開放状態から短絡状態に変更され、次に、ステップＳＴ１８８において、制御部１３２により、スイッチＳＷ６が開放状態から短絡状態に変更される。そして、ステップＳＴ１８９において、シーケンスが終了される。
【０３４３】
また、ステップＳＴ１８２で所定のバイアス電圧（４Ｖ）が検知されないとき、ステップＳＴ１９０において、制御部１３２により、ソース機器は非対応ソース機器であると判断される。そして、ステップＳＴ１８６において、制御部１３２により、スイッチＳＷ３群内の全てのスイッチが開放状態とされる。
【０３４４】
次に、ステップＳＴ１８７において、制御部１３２により、スイッチＳＷ４が開放状態から短絡状態に変更され、次に、ステップＳＴ１８８において、制御部１３２により、スイッチＳＷ６が開放状態から短絡状態に変更される。そして、ステップＳＴ１８９において、シーケンスが終了される。
【０３４５】
なお、ソース機器１１０-8の各スイッチおよびＨＤＭＩケーブル１３０-8の各スイッチは、＋５Ｖ電源ラインの電圧が落ちたら、初期状態にリセットされる。
【０３４６】
「実施形態９」
図６８は、伝送システム１０-9の構成例を示している。この伝送システム１０-9は、デジタルインタフェースとしてＨＤＭＩを用いたＨＤＭＩ伝送システムである。この伝送システム１０-9は、送信装置としてのソース機器１１０-9と、受信装置としてのシンク機器３２０と、これらを接続するＡＯＣであるＨＤＭＩケーブル１３０-9を有している。この図６８において、図４２、図５７と対応する部分には同一符号を付し、適宜、その詳細説明は省略する。
【０３４７】
ＨＤＭＩケーブル１３０-9は、変換回路３３１Ａ，３３１Ｂ、ＬＤＯレギュレータ３３２Ａ，３３２Ｂ、電流駆動部３３３ＢなどのＡＯＣ構成回路の他に、制御部１３２、電圧モニタ部１３３，１３４、スイッチＳＷ４４，ＳＷ４６および可変抵抗回路１３５を有している。
【０３４８】
Ｕｔｉｌｉｔｙラインには、地点Ｐ４２よりシンク機器３２０側に、スイッチＳＷ４４が挿入されている。Ｕｔｉｌｉｔｙラインの地点Ｐ４２と＋５Ｖ電源ラインとの間には、可変抵抗回路１３５が接続されている。これにより、Ｕｔｉｌｉｔｙラインの地点Ｐ４２には、５Ｖが可変抵抗回路１３５を介して印加される。この可変抵抗回路１３５は、抵抗Ｒ２ｘとスイッチＳＷ３ｘの直列回路、抵抗Ｒ２ｙとスイッチＳＷ３ｙの直列回路、および抵抗Ｒ２ｚとスイッチＳＷ３ｚの直列回路が並列接続されて構成されている。
【０３４９】
電圧モニタ部１３３は、Ｕｔｉｌｉｔｙラインの地点Ｐ４２の電圧をモニタし、そのモニタ結果を制御部１３２に送る。電圧モニタ部１３４は、＋５Ｖの電源ラインのスイッチＳＷ４６の挿入位置より端子側の地点Ｐ４３の電圧をモニタし、そのモニタ結果を制御部１３２に送る。ＬＤＯレギュレータ３３２Ａ、３３２Ｂには、＋５Ｖの電源ラインのスイッチＳＷ４６の挿入位置よりシンク機器３２０側の地点から電源が供給される。制御部１３２は、ＨＤＭＩケーブル１３０-9の各部の動作を制御する。
【０３５０】
ソース機器１１０-9は、対応ソース機器である。このソース機器１１０-9は、各部の動作を制御する制御部１１１の他に、電圧モニタ部１１２、ＳＷ４２，ＳＷ４７，ＳＷ４８、分圧用の抵抗Ｒ３および可変抵抗回路１１４を有している。
【０３５１】
接地とＵｔｉｌｉｔｙラインの地点Ｑ４１との間には、可変抵抗回路１１４が接続されている。これにより、Ｕｔｉｌｉｔｙラインの地点Ｑ４１には、可変抵抗回路１１４を介して０Ｖが印加される。この可変抵抗回路１１４は、抵抗Ｒ１ｘとスイッチＳＷ１ｘの直列回路、抵抗Ｒ１ｙとスイッチＳＷ１ｙの直列回路、および抵抗Ｒ１ｚとスイッチＳＷ１ｚの直列回路が並列接続されて構成されている。
【０３５２】
上述したＨＤＭＩケーブル１３０-9の抵抗Ｒ２ｘ，Ｒ２ｙ，Ｒ２ｚと、このソース機器１１０-9の抵抗Ｒ１ｘ，Ｒ１ｙ，Ｒ１ｚ，Ｒ３は、それぞれ、消費電流を少なくするためにはある程度大きな値であることが望ましい。この値に限定されるものではないが、以下、Ｒ１ｘ＝４００ｋΩ、Ｒ１ｙ＝５００ｋΩ、Ｒ１ｚ＝６００ｋΩ、Ｒ２ｘ＝１００ｋΩ、Ｒ２ｙ＝２００ｋΩ、Ｒ２ｚ＝３００ｋΩ、Ｒ３＝５００ｋΩとして説明する。
【０３５３】
Ｕｔｉｌｉｔｙラインの地点Ｑ４１の端子側とは反対側にスイッチＳＷ４２が挿入されている。電圧モニタ部１１２は、Ｕｔｉｌｉｔｙラインの地点Ｑ４１の電圧をモニタし、そのモニタ結果を制御部１１１に送る。また、＋５Ｖ電源ラインの地点Ｑ４２には、５Ｖの電圧が抵抗Ｒ３およびスイッチＳＷ４７の直列回路を介して印加される。＋５Ｖ電源ラインの地点Ｑ４２の端子側とは反対側にスイッチＳＷ４８が挿入されている。
【０３５４】
図６８に示す伝送システム１０-9において、ＨＤＭＩケーブル１３０-9は対応ケーブルであり、ソース機器１１０-9は対応ソース機器である。そのため、ソース機器１１０-9は、接続されているＨＤＭＩケーブルが対応ケーブルであると判断し、対応モードで動作する。同様に、ＨＤＭＩケーブル１３０-9は、接続されているソース機器が対応ソース機器であると判断し、対応モードで動作する。
【０３５５】
ソース機器１１０-9およびＨＤＭＩケーブル１３０-9の動作の詳細を説明する。図６８において、ソース機器１１０-9およびＨＤＭＩケーブル１３０-9は、初期状態を示している。ソース機器１１０-9において、スイッチＳＷ１ｘ，ＳＷ４８は短絡状態とされており、スイッチＳＷ１ｙ，ＳＷ１ｚ，ＳＷ４２，ＳＷ４７は開放状態とされている。一方、ＨＤＭＩケーブル１３０-9において、初期状態では、スイッチＳＷ３ｘは短絡状態とされており、スイッチＳＷ３ｙ，ＳＷ３ｚ，ＳＷ４４，ＳＷ４６は開放状態とされている。
【０３５６】
この初期状態では、ＳＷ１ｘ，ＳＷ３ｘが短絡状態とされているので、ソース機器１１０-9の接地（０Ｖ）とＨＤＭＩケーブル１３０-9の＋５Ｖ電源ラインとの間に、抵抗Ｒ１ｘ，Ｒ２ｘが直列に接続され、Ｕｔｉｌｉｔｙラインの地点Ｑ４１，Ｐ４２には、抵抗分圧により、４Ｖの電圧が得られる。
【０３５７】
ソース機器１１０-9の電圧モニタ部１１２は地点Ｑ４１の電圧が４Ｖであることをモニタし、そのモニタ結果を制御部１１１に送る。制御部１１１は、このモニタ結果に基づいて、対応ケーブルであるＨＤＭＩケーブルの接続があると判断する。
【０３５８】
同様に、ＨＤＭＩケーブル１３０-9の電圧モニタ部１３３は地点Ｐ４２の電圧が４Ｖであることをモニタし、そのモニタ結果を制御部１３２に送る。制御部１３２は、このモニタ結果に基づいて、対応ソース機器であるソース機器の接続があると判断する。
【０３５９】
ここで、ソース機器１１０-9において、スイッチＳＷ４２が開放状態とされているので、４Ｖの電圧はソース機器１１０-9内部に伝搬されず、ソース機器１１０-9内部に影響を及ぼすことがない。同様に、ＨＤＭＩケーブル１３０-9において、スイッチＳＷ４４は開放状態とされているので、４Ｖの電圧はシンク機器３２０に伝搬されず、シンク機器３２０に影響を及ぼすことがない。
【０３６０】
ソース機器１１０-9の制御部１１１は、電圧モニタ部１１２による４Ｖのモニタ結果に基づいて、図６９に示すように、スイッチＳＷ４７を短絡状態とし、その後にスイッチＳＷ４８を開放状態とする。ここで、抵抗Ｒ１ｘ，Ｒ２ｘに直列に抵抗Ｒ３が接続され、Ｕｔｉｌｉｔｙラインの地点Ｑ４１，Ｐ４２には、抵抗分圧により、２Ｖの電圧が得られる。
【０３６１】
このとき、ソース機器１１０-9とＨＤＭＩケーブル１３０-9の間にリピータ１４０等のように＋５Ｖ電源ラインを分離する中継機器が接続されている場合（後述する図７５でスイッチＳＷ４７を短絡状態とし、スイッチＳＷ４８を開放状態とした場合を参照）、ソース機器１１０-9とＨＤＭＩケーブル１３０-9の間でリピータ１４０によって電源ラインが分離された状態となるので、抵抗Ｒ３による発生電圧の変化は起きない。よって、Ｕｔｉｌｉｔｙラインの地点Ｑ４１，Ｐ４２に２Ｖの電圧が得られるということは、リピータ等の中継機器が接続されていないことを意味する。
【０３６２】
ソース機器１１０-9の電圧モニタ部１１２は地点Ｑ４１の電圧が２Ｖになったことをモニタし、そのモニタ結果を制御部１１１に送る。制御部１１１は、このモニタ結果に基づいて、対応ケーブルとの間に＋５Ｖ電源ラインを分離するリピータ等の中継機器の接続はないと判断し、対応モードで動作するように制御する。
【０３６３】
同様に、ＨＤＭＩケーブル１３０-9の電圧モニタ部１３３は地点Ｐ４２の電圧が２Ｖになったことをモニタし、そのモニタ結果を制御部１３２に送る。制御部１３２は、このモニタ結果に基づいて、対応ソース機器との間に＋５Ｖ電源ラインを分離するリピータ等の中継機器の接続はないと判断し、対応モードで動作するように制御する。
【０３６４】
ソース機器１１０-９とＨＤＭＩケーブル１３０-９ではそれぞれ対応モードでの動作が開始され、まず情報の送受信が行われる。この場合、ソース機器１１０-9は、可変抵抗回路１１４の抵抗値を変えてＵｔｉｌｉｔｙラインのバイアス電圧を変化させることで、種々の情報をＨＤＭＩケーブル１３０-9に送信できる。ＨＤＭＩケーブル１３０-9側では、Ｕｔｉｌｉｔｙラインの地点Ｐ４２におけるバイアス電圧のモニタ結果が電圧モニタ部１３３から制御部１３２に供給される。制御部１３２は、バイアス電圧値と情報との対応関係を示すテーブルを参照して、ソース機器１１０-9からの送信情報を理解し、取得する。
【０３６５】
また、この場合、ＨＤＭＩケーブル１３０-9は、可変抵抗回路１３５の抵抗値を変えてＵｔｉｌｉｔｙラインのバイアス電圧を変化させることで、種々の情報をソース機器１１０-9に送信できる。ソース機器１１０-9側では、Ｕｔｉｌｉｔｙラインの地点Ｑ４１におけるバイアス電圧のモニタ結果が電圧モニタ部１１２から制御部１１１に供給される。制御部１１１は、バイアス電圧値と情報との対応関係を示すテーブルを参照して、ＨＤＭＩケーブル１３０-9からの送信情報を理解し、取得する。
【０３６６】
ソース機器１１０-9とＨＤＭＩケーブル１３０-9との間の情報の送受信が終了すると、図７０に示すように、ソース機器１１０-9の制御部１１１は、スイッチＳＷ４８を短絡状態とし、スイッチＳＷ４７を開放状態とし、さらにスイッチＳＷ１群内の全てのスイッチを開放状態とする。そのため、Ｕｔｉｌｉｔｙラインの地点Ｐ４２の電圧は５Ｖとなる。ＨＤＭＩケーブル１３０-9において、電圧モニタ部１３３は地点Ｐ４２の電圧が５Ｖであることをモニタし、そのモニタ結果を制御部１３２に送る。
【０３６７】
制御部１３２は、このモニタ結果に基づいて、情報の送受信が終了したと判断し、図７１に示すように、スイッチＳＷ３群およびスイッチＳＷ４４，ＳＷ４６の状態を変更して、通常動作へと移行する。この場合、シンク機器３２０へ影響を与えないように、まずスイッチＳＷ３群内の全てのスイッチを開放状態とし、次にスイッチＳＷ４４を短絡状態とし、最後にスイッチＳＷ４６を短絡状態とする。
【０３６８】
スイッチＳＷ４６が短絡状態とされることで、ソース機器１１０-9からシンク機器３２０に＋５Ｖ電源ラインを通じて５Ｖ電圧が送られ、それに伴ってシンク機器３２０からソース機器１１０-9にＨＰＤラインを介して５Ｖ電圧（接続検知信号）が送られる。これにより、ソース機器１１０-9の制御部１１１は、ケーブルの準備が完了したことを認識し、図７２に示すように、スイッチＳＷ４２を短絡状態とし、通常動作へと移行する。
【０３６９】
なお、図６９の時点で、Ｕｔｉｌｉｔｙラインの地点Ｑ４１，Ｐ４２に４Ｖの電圧が得られたままである場合、ソース機器１１０-9およびＨＤＭＩケーブル１３０-9は、それぞれ、以下のように動作する。この場合、ソース機器１１０-9の制御部１１１は＋５Ｖ電源ラインを分離するリピータ等の中継機器の介在があると判断し、非対応モードで動作するように制御する。すなわち、制御部１１１は、スイッチＳＷ４８を短絡状態とし、スイッチＳＷ４７を開放状態とし、スイッチＳＷ１群の全てのスイッチを開放状態とし、さらにスイッチＳＷ４２を短絡状態として、通常動作へと移行する。
【０３７０】
また、この場合、ＨＤＭＩケーブル１３０-9の制御部１１１は＋５Ｖ電源ラインを分離するリピータ等の中継機器の介在があると判断し、非対応モードで動作するように制御する。すなわち、制御部１３２は、スイッチＳＷ３群の全てのスイッチを開放状態とし、スイッチＳＷ４４を短絡状態とし、さらにスイッチＳＷ４６を短絡状態として、通常動作へと移行する。
【０３７１】
なお、ソース機器１１０-9は常に＋５Ｖ電源ラインによる供給可能電流が５５ｍＡ以上であって対応ケーブルであるＨＤＭＩケーブル１３０-9のアクティブ回路に電流を供給可能に構成されていてもよいが、ソース機器１１０-9の制御部１１１は、接続されたＨＤＭＩケーブルが対応ケーブルであると共に＋５Ｖ電源ラインを分離するリピータ等の中継機器の介在はないと判断したとき、＋５Ｖ電源ラインによる供給可能電流を５５ｍＡ以上とするモードに変更するようにされてもよい。電流供給量のモードを切り替えることで、ソース機器１１０-9は電源回路部の電力削減を図ることができる。例えば、制御部１１１は、上述したようにスイッチＳＷ１群内の全てのスイッチを開放状態とする前に、供給可能電流を５５ｍＡ以上とするモードに変更する。
【０３７２】
このように図６８に示す伝送システム１０-9においては、上述の図５７に示す伝送システム１０-8と同様に、可変抵抗回路１１４，１３５の抵抗値を変えてＵｔｉｌｉｔｙラインのバイアス電圧を変化させることで、ソース機器１１０-9とＨＤＭＩケーブル１３０-9の間で種々の情報の送受信を行うものであり、ＤＤＣライン上にレジスタが不要になる。そのため、レジスタのアクセス情報がＤＤＣラインを通じてシンク機器３２０に送信されることがなく、該当アドレスが定義されていないシンク機器３２０で誤動作を生じるということがなくなる。
【０３７３】
また、図６８に示す伝送システム１０-９においては、図４２に示す伝送システム１０-６と同様に、対応ケーブルであるＨＤＭＩケーブル１３０-9は、接続されたソース機器が、自身のアクティブ回路に十分に電流を供給し得る対応ソース機器であると判断すると共に＋５Ｖ電源ラインを分離するリピータ等の中継機器の介在はないと判断した場合に、自身のアクティブ回路を動作状態とする。そのため、ＨＤＭＩケーブル１３０-9のアクティブ回路では適切な動作が可能となり、また、ソース機器やリピータ等の中継機器が過電流に耐えられず故障を起こすことを回避できる。
【０３７４】
図７３は、伝送システム１０-9Aの構成例を示している。この伝送システム１０-9Aは、デジタルインタフェースとしてＨＤＭＩを用いたＨＤＭＩ伝送システムである。この伝送システム１０-9Aは、送信装置としてのソース機器３１０と、受信装置としてのシンク機器３２０と、これらを接続するＨＤＭＩケーブル１３０-9を有している。この図７３において、図４、図６８と対応する部分には同一符号を付し、適宜、その詳細説明は省略する。
【０３７５】
この伝送システム１０-9Aにおいては、ソース機器３１０はレガシーのような非対応ソース機器であり、ＨＤＭＩケーブル１３０-9は対応ケーブルである。この場合、ソース機器３１０は、通常動作をする（図４１参照）。
【０３７６】
また、ＨＤＭＩケーブル１３０-9は、ソース機器が非対応ソース機器であると判断し、非対応モードで動作する。この場合、初期状態において、Ｕｔｉｌｉｔｙラインの地点Ｐ４２の電圧は５Ｖとなる。ＨＤＭＩケーブル１３０-6の電圧モニタ部１３３は地点Ｐ４２の電圧が５Ｖであることをモニタし、そのモニタ結果を制御部１３２に送る。制御部１３２は、電圧モニタ部１３４で５Ｖが検知されているにもかかわらず、地点Ｐ４２の電圧が５Ｖのままであるときは、非対応ソース機器が繋がったと判断し、非対応モードで動作するように制御する。
【０３７７】
この場合、制御部１３２は、各スイッチの状態を変更して、通常動作へと移行する。この場合、シンク機器３２０へ影響を与えないように、まずスイッチＳＷ３群の全てのスイッチを開放状態とし、次にスイッチＳＷ４４を短絡状態とし、最後にスイッチＳＷ４６を短絡状態とする。また、この場合、制御部１３２は、＋５Ｖ電源ラインから５５ｍＡ以上電流を引かないようにアクティブ回路を制御する。例えば、ＬＤＯレギュレータ３３２Ａ，３３２Ｂをオフのままとし、アクティブ回路である変換回路３３１Ａ，３３１Ｂを非動作状態（Disable）のままとする。これにより、ＨＤＭＩケーブル１３０-9はソース機器３１０から５５ｍＡ以上の電流を引くということがなく、ソース機器３１０が過電流に耐えられず故障を起こすことを回避できる。
【０３７８】
なお、上述では、対応ケーブルであるＨＤＭＩケーブル１３０-9は、ソース機器が対応機器であるか非対応機器であるかによってＬＤＯレギュレータ３３２Ａ，３３２Ｂのオンオフを制御するものであった。しかし、この場合、ソース機器が非対応機器である場合にはＬＤＯレギュレータ３３２Ａ，３３２Ｂがオフとなってアクティブ回路が非動作状態となるので、データ送信ができない状態となる。
【０３７９】
従って、ソース機器が非対応ソース機器である場合、ＨＤＭＩケーブル１３０-9は、ＬＤＯレギュレータ３３２Ａ，３３２Ｂをオフの状態におくのではなく、データレートを落とすことで、ソース機器から引く電流を５５ｍＡ以下に保証する、ようにされてもよい。これにより、ソース機器が非対応ソース機器であっても、データ送信が可能となる。
【０３８０】
図７４は、伝送システム１０-9Bの構成例を示している。この伝送システム１０-9Bは、デジタルインタフェースとしてＨＤＭＩを用いたＨＤＭＩ伝送システムである。この伝送システム１０-9Bは、送信装置としてのソース機器１１０-9と、受信装置としてのシンク機器３２０と、これらを接続するＨＤＭＩケーブル３３０Ｃを有している。この図７４において、図４、図６８と対応する部分には同一符号を付し、適宜、その詳細説明は省略する。
【０３８１】
この伝送システム１０-9Bにおいては、ソース機器１１０-9は対応ソース機器であり、ＨＤＭＩケーブル３３０Ｃはレガシーのような非対応ケーブルある。この場合、ＨＤＭＩケーブル３３０Ｃは、通常動作をする（図４１参照）。
【０３８２】
ソース機器１１０-9は、ＨＤＭＩケーブルが非対応ケーブルであると判断し、非対応モードで動作する。この場合、初期状態において、Ｕｔｉｌｉｔｙラインの地点Ｑ４１の電圧は０Ｖとなる。ソース機器１１０-9の電圧モニタ部１１２は地点Ｑ４１の電圧が０Ｖであることをモニタし、そのモニタ結果を制御部１１１に送る。制御部１１１は、このモニタ結果とＨＰＤラインがハイレベル（５Ｖ）にあることに基づいてＨＤＭＩケーブルが非対応ケーブルであると判断し、非対応モードで動作するように制御する。
【０３８３】
この場合、制御部１１１は、各スイッチの状態を変更して、通常動作へと移行する。この場合、ソース機器１１０-9内部へ影響を与えないように、まずスイッチＳＷ１群内の全てのスイッチを開放状態とし、次にスイッチＳＷ４２を短絡状態とする。
【０３８４】
図７５は、詳細説明は省略するが、ソース機器１１０-9とＨＤＭＩケーブル１３０-9の間に、＋５Ｖ電源ラインを分離するリピータ１４０が接続された伝送システム１０-9Cの構成例を示している。この伝送システム１０-9Cでは、ソース機器１１０-9とＨＤＭＩケーブル１３０-9の間にＨＤＭＩケーブル３３０およびリピータ１４０が直列に挿入されている。なお、制御ラインは、リピータ１４０内でインとアウトが接続された状態にある。
【０３８５】
このような伝送システム１０-9Cにおいて、上述したように、ソース機器１１０-9およびＨＤＭＩケーブル１３０-9は、リピータ１４０が介在されていることを検知でき、例えば、ＨＤＭＩケーブル１３０-9はリピータ１４０から誤って５５ｍＡ以上電流を引くことを回避でき、リピータ１４０の故障を未然に防ぐことが可能となる。
【０３８６】
図７６は、対応ソース機器であるソース機器１１０-9のシーケンスの一例を示している。ステップＳＴ１９１において、例えば電源スイッチがオンとされて＋５Ｖが立ち上げられると、シーケンスが開始され、ステップＳＴ１９２に進む。このステップＳＴ１９２において、制御部１１１により、電圧モニタ部１１２で第１のバイアス電圧（４Ｖ）が検知されたか判断される。
【０３８７】
第１のバイアス電圧（４Ｖ）が検知されたとき、ステップＳＴ１９３において、制御部１１１により、対応ケーブルであるＨＤＭＩケーブルの接続があると判断される。そして、ステップＳＴ１９４において、制御部１１１により、スイッチＳＷ４７が開放状態から短絡状態に変更され、その後にスイッチＳＷ４８が短絡状態から開放状態に変更される。
【０３８８】
次に、ステップＳＴ１９５において、制御部１１１により、電圧モニタ部１１２で第２のバイアス電圧（２Ｖ）が検知されたか判断される。第２のバイアス電圧（２Ｖ）が検知されたとき、制御部１１１により、ＨＤＭＩケーブルとの間に＋５Ｖ電源ラインを分離するリピータ等の中継機器の介在はないと判断され、ステップＳＴ１９６に進む。このステップＳＴ１９６において、ＨＤＭＩケーブルとの間で抵抗値変化を用いた情報の送信および受信が行われる。
【０３８９】
次に、ステップＳＴ１９７において、制御部１１１により、スイッチＳＷ４８が開放状態から短絡状態に変更され、スイッチＳＷ４７が短絡状態から開放状態に変更され、さらに、スイッチＳＷ１群内の全てのスイッチが開放状態とされる。
【０３９０】
次に、ステップＳＴ１９８において、制御部１１１により、ＨＰＤラインがハイレベル（５Ｖ）になったことが検知されると、ステップＳＴ１９９において、制御部１１１により、スイッチＳＷ４２が開放状態から短絡状態に変更される。そして、ステップＳＴ２００において、シーケンスが終了される。
【０３９１】
また、ステップＳＴ１９５で第２のバイアス電圧（２Ｖ）が検知されないとき、制御部１１１により、ＨＤＭＩケーブルとの間に＋５Ｖ電源ラインを分離するリピータ等の中継機器の介在があると判断され、ステップＳＴ２０１に進む。このステップＳＴ２０１において、制御部１１１により、スイッチＳＷ４８が開放状態から短絡状態に変更され、スイッチＳＷ４７が短絡状態から開放状態に変更され、さらに、スイッチＳＷ１群内の全てのスイッチが開放状態とされる。そして、ステップＳＴ１９９において、制御部１１１により、スイッチＳＷ４２が開放状態から短絡状態に変更される。そして、ステップＳＴ２００において、シーケンスが終了される。
【０３９２】
また、ステップＳＴ１９２で第１のバイアス電圧（４Ｖ）が検知されないとき、ステップＳＴ２０２において、制御部１１１により、ＨＰＤラインのハイレベル（５Ｖ）が検知されたか否かが判断される。ＨＰＤラインのハイレベル（５Ｖ）が検知されないとき、ステップＳＴ１９２に戻る。一方、ＨＰＤラインのハイレベル（５Ｖ）が検知されたとき、ステップＳＴ２０３において、制御部１１１により、非対応ケーブルであるＨＤＭＩケーブルの接続があると判断される。
【０３９３】
そして、ステップＳＴ２０４において、スイッチＳＷ１群内の全てのスイッチが開放状態に変更される。次に、ステップＳＴ１９９において、制御部１１１により、スイッチＳＷ４２が開放状態から短絡状態に変更される。そして、ステップＳＴ２００において、シーケンスが終了される。
【０３９４】
図７７は、対応ケーブルであるＨＤＭＩケーブル１３０-9のシーケンスの一例を示している。ステップＳＴ２１１において、電圧モニタ部１３４で５Ｖの電圧が検知されると、シーケンスが開始され、ステップＳＴ２１２に進む。このステップＳＴ２１２において、制御部１３２により、電圧モニタ部１３３で第１のバイアス電圧（４Ｖ）が検知されたか判断される。
【０３９５】
第１のバイアス電圧（４Ｖ）が検知されたとき、ステップＳＴ２１３において、制御部１３２により、対応ソース機器であるソース機器の接続があると判断される。そして、ステップＳＴ２１４において、制御部１３２により、電圧モニタ部１３３で第２のバイアス電圧（２Ｖ）が検知されたか判断される。
【０３９６】
第２のバイアス電圧（２Ｖ）が検知されたとき、制御部１３２により、ソース機器との間に＋５Ｖ電源ラインを分離するリピータ等の中継機器の介在はないと判断され、ステップＳＴ２１５に進む。このステップＳＴ２１５において、ソース機器との間で抵抗値変化を用いた情報の送信および受信が行われる。
【０３９７】
次に、ステップＳＴ２１６において、電圧モニタ部１３３で５Ｖが検知されると、ステップＳＴ２１７において、制御部１３２により、スイッチＳＷ３群内の全てのスイッチが開放状態とされ、スイッチＳＷ４４が開放状態から短絡状態に変更され、さらにスイッチＳＷ４６が開放状態から短絡状態に変更される。
【０３９８】
次に、ステップＳＴ２１８において、ＬＤＯレギュレータ３３２Ａ，３３２Ｂがオンとされてアクティブ回路が動作状態（Enable）とされた後に、ステップＳＴ２１９において、シーケンスが終了される。
【０３９９】
また、ステップＳＴ２１４で第２のバイアス電圧（２Ｖ）が検知されないとき、制御部１３２により、ソース機器との間に＋５Ｖ電源ラインを分離するリピータ等の中継機器の介在があると判断され、ステップＳＴ２２０に進む。このステップＳＴ２２０において、制御部１３２により、スイッチＳＷ３群内の全てのスイッチが開放状態とされ、スイッチＳＷ４４が開放状態から短絡状態に変更され、さらにスイッチＳＷ４６が開放状態から短絡状態に変更される。そして、ステップＳＴ２１９において、シーケンスが終了される。
【０４００】
また、ステップＳＴ２１２で第１のバイアス電圧（４Ｖ）が検知されないとき、ステップＳＴ２２１において、制御部１３２により、非対応ソース機器であるソース機器の接続があると判断される。そして、ステップＳＴ２２０において、制御部１３２により、スイッチＳＷ３群内の全てのスイッチが開放状態とされ、スイッチＳＷ４４が開放状態から短絡状態に変更され、さらにスイッチＳＷ４６が開放状態から短絡状態に変更される。そして、ステップＳＴ２１９において、シーケンスが終了される。
【０４０１】
なお、ソース機器１１０-9の各スイッチおよびＨＤＭＩケーブル１３０-9の各スイッチは、＋５Ｖ電源ラインの電圧が落ちたら、初期状態にリセットされる。
【０４０２】
「実施形態１０」
例えば、上述の図６８に示した伝送システム１０-9において、アクティブ回路への給電を、ソース機器１１０-9から＋５Ｖ電源ラインを介して行うのではなく、例えばＨＤＭＩに規定されているピン以外に給電端子を用意し、外部から行う場合が考えられる。この外部給電はアクティブ回路だけに繋がり、アクティブ回路への電流供給だけに使われる場合は問題ない。
【０４０３】
しかし、例えば、図７８に示す伝送システム１０-9Dに示すように、＋５Ｖ電源ラインに直接接続された場合、ＨＰＤがソース機器１１０-9に戻るタイミングを制御できず、上記で説明したシーケンスが成り立たなくなる。なお、詳細説明は省略するが、伝送システム１０-9Dは、送信装置としてのソース機器１１０-9と、受信装置としてのシンク機器３２０と、これらを接続する、外部給電端子を持つＨＤＭＩケーブル１３０-9Dを有している。
【０４０４】
上記不都合を回避するために、図７９の伝送システム１０-10に示すように、外部給電端子と＋５Ｖ電源ラインとの間にスイッチＳＷ４９を設け、シーケンスが全て終了した後に当該スイッチＳＷ４９を閉じることで対応可能である。または外部給電端子と＋５Ｖ電源ラインとの間にスイッチを設けるのではなく、外部給電端子と＋５Ｖとの接続点からシンク機器３２０側にスイッチを設けても良い。なお、詳細説明は省略するが、伝送システム１０-10は、送信装置としてのソース機器１１０-9と、受信装置としてのシンク機器３２０と、これらを接続する、外部給電端子を持つと共にスイッチＳＷ４９が設けられたＨＤＭＩケーブル１３０-10を有している。
【０４０５】
「実施形態１０」
図８０は、伝送システム１０-10の構成例を示している。この伝送システム１０-10は、デジタルインタフェースとしてＨＤＭＩを用いたＨＤＭＩ伝送システムである。この伝送システム１０-10は、送信装置としてのソース機器１１０-10と、受信装置としてのシンク機器３２０と、これらを接続するＨＤＭＩケーブル１３０-10を有している。この図８０において、図４２、図７と対応する部分には同一符号を付し、適宜、その詳細説明は省略する。
【０４０６】
ＨＤＭＩケーブル１３０-10は、レジスタ１３１を有する対応ケーブルである。このＨＤＭＩケーブル１３０-10は、レジスタ１３１の他に、制御部１３２、電圧モニタ部１３３，１３４、スイッチＳＷ３，ＳＷ４，ＳＷ５、ＳＷ６および分圧用の抵抗Ｒ２を有している。
【０４０７】
レジスタ１３１は、ＤＤＣラインの地点Ｐ１に接続されている。このＤＤＣラインの地点Ｐ１よりシンク機器３２０側に、スイッチＳＷ５が挿入されている。Ｕｔｉｌｉｔｙラインの地点Ｐ２と＋５Ｖ電源ラインの地点Ｐ３との間には、抵抗Ｒ２およびスイッチＳＷ３の直列回路が接続されている。これにより、Ｕｔｉｌｉｔｙラインの地点Ｐ２には、５Ｖが、抵抗Ｒ２およびスイッチＳＷ３の直列回路を介して印加される。このＵｔｉｌｉｔｙラインの地点Ｐ２よりシンク機器３２０側に、スイッチＳＷ４が挿入されている。また、＋５Ｖ電源ラインの地点Ｐ３よりシンク機器３２０側に、スイッチＳＷ６が挿入されている。
【０４０８】
電圧モニタ部１３３は、Ｕｔｉｌｉｔｙラインの地点Ｐ２の電圧をモニタし、そのモニタ結果を制御部１３２に送る。電圧モニタ部１３４は、＋５Ｖの電源ラインの地点Ｐ３の電圧をモニタし、そのモニタ結果を制御部１３２に送る。制御部１３２は、ＨＤＭＩケーブル１３０-10の各部の動作を制御する。
【０４０９】
ソース機器１１０-10は、対応ソース機器である。このソース機器１１０-10は、各部の動作を制御する制御部１１１の他に、電圧モニタ部１１２、スイッチＳＷ１，ＳＷ２，ＳＷ７，ＳＷ８および分圧用の抵抗Ｒ１，Ｒ３を有している。上述したＨＤＭＩケーブル１３０-10の抵抗Ｒ２とこのソース機器１１０-10の抵抗Ｒ１，Ｒ３は、それぞれ、消費電流を少なくするためにはある程度大きな値であることが望ましい。以下、Ｒ１＝４００ｋΩ、Ｒ２＝１００ｋΩ、Ｒ３＝５００ｋΩとして説明する。
【０４１０】
接地とＵｔｉｌｉｔｙラインの地点Ｑ１との間には、抵抗Ｒ１およびスイッチＳＷ１の直列回路が接続されている。これにより、Ｕｔｉｌｉｔｙラインの地点Ｑ１には、接地電圧である０Ｖが抵抗Ｒ１およびスイッチＳＷ１の直列回路を介して印加される。Ｕｔｉｌｉｔｙラインの地点Ｑ１の端子側とは反対側にスイッチＳＷ２が挿入されている。電圧モニタ部１１２は、Ｕｔｉｌｉｔｙラインの地点Ｑ１の電圧をモニタし、そのモニタ結果を制御部１１１に送る。また、＋５Ｖ電源ラインの地点Ｑ２には、５Ｖ電源が抵抗Ｒ３およびスイッチＳＷ７の直列回路を介して印加される。＋５Ｖ電源ラインの地点Ｑ２の端子側とは反対側にスイッチＳＷ８が挿入されている。
【０４１１】
図８０に示す伝送システム１０-10において、ＨＤＭＩケーブル１３０-10は対応ケーブルであり、ソース機器１１０-10は対応ソース機器である。そのため、ソース機器１１０-10は、接続されているＨＤＭＩケーブルが対応ケーブルであると判断し、対応モードで動作する。同様に、ＨＤＭＩケーブル１３０-10は、接続されているソース機器が対応ソース機器であると判断し、対応モードで動作する。
【０４１２】
ソース機器１１０-10およびＨＤＭＩケーブル１３０-10の動作の詳細を説明する。図８０において、ソース機器１１０-10およびＨＤＭＩケーブル１３０-10は、初期状態を示している。ソース機器１１０-10において、初期状態では、スイッチＳＷ１，ＳＷ８は短絡状態とされており、スイッチＳＷ２，ＳＷ７は開放状態とされている。一方、ＨＤＭＩケーブル１３０-10において、初期状態では、スイッチＳＷ３，ＳＷ４，ＳＷ５，ＳＷ６は開放状態とされている。
【０４１３】
ＨＤＭＩケーブル１３０-10の制御部１３２は、電圧モニタ部１３４のモニタ結果を受けて、＋５Ｖの電源ラインの地点Ｐ３の電圧、つまり＋５Ｖの電源ラインの電圧が５Ｖに安定したことを検知すると、スイッチＳＷ３を、図８１に示すように、短絡状態にする。このように電源ラインの電圧が５Ｖに安定した状態となってからスイッチＳＷ３を短絡状態とすることで、ケーブル挿入時の電源ラインの電圧が不安定な状態が原因でソース機器１１０-10およびＨＤＭＩケーブル１３０-10のネゴシエーションの開始タイミングがずれることを避けることができる。
【０４１４】
スイッチＳＷ３が短絡状態になると、ソース機器１１０-10の接地（０Ｖ）とＨＤＭＩケーブル１３０-10の＋５Ｖ電源ラインとの間に、抵抗Ｒ１，Ｒ２が直列に接続され、Ｕｔｉｌｉｔｙラインの地点Ｑ１，Ｐ２には、抵抗分圧により、４Ｖの電圧が得られる。
【０４１５】
ソース機器１１０-10の電圧モニタ部１１２は地点Ｑ１の電圧が４Ｖであることをモニタし、そのモニタ結果を制御部１１１に送る。制御部１１１は、このモニタ結果に基づいて、対応ケーブルであるＨＤＭＩケーブルの接続があると判断する。同様に、ＨＤＭＩケーブル１３０-10の電圧モニタ部１３３は地点Ｐ２の電圧が４Ｖであることをモニタし、そのモニタ結果を制御部１３２に送る。制御部１３２は、このモニタ結果に基づいて、対応ソース機器であるソース機器の接続があると判断する。
【０４１６】
ここで、ソース機器１１０-10において、スイッチＳＷ２が開放状態とされているので、４Ｖの電圧はソース機器１１０-10内部に伝搬されず、ソース機器１１０-10内部に影響を及ぼすことがない。同様に、ＨＤＭＩケーブル１３０-10において、スイッチＳＷ４は開放状態とされているので、４Ｖの電圧はシンク機器３２０に伝搬されず、シンク機器３２０に影響を及ぼすことがない。
【０４１７】
ソース機器１１０-10の制御部１１１は、電圧モニタ部１１２による４Ｖのモニタ結果に基づいて、図８２に示すように、スイッチＳＷ７を短絡状態とし、その後にスイッチＳＷ８を開放状態とする。ここで、抵抗Ｒ１，Ｒ２に直列に抵抗Ｒ３が接続され、Ｕｔｉｌｉｔｙラインの地点Ｑ１，Ｐ２には、抵抗分圧により、２Ｖの電圧が得られる。
【０４１８】
ここで、ソース機器１１０-10とＨＤＭＩケーブル１３０-10の間に、リピータ１４０（図５０参照）等のように＋５Ｖ電源ラインを分離する中継機器が接続されている場合、抵抗Ｒ３による発生電圧の変化は起きない。よって、Ｕｔｉｌｉｔｙラインの地点Ｑ１，Ｐ２に２Ｖの電圧が得られるということは、リピータ等の中継機器が接続されていないこととなる。
【０４１９】
ソース機器１１０-10の電圧モニタ部１１２は地点Ｑ１の電圧が２Ｖになったことをモニタし、そのモニタ結果を制御部１１１に送る。制御部１１１は、このモニタ結果に基づいて、対応ケーブルとの間に＋５Ｖ電源ラインを分離するリピータ等の中継機器の接続はないと判断し、対応モードで動作するように制御する。
【０４２０】
同様に、ＨＤＭＩケーブル１３０-10の電圧モニタ部１３３は地点Ｐ２の電圧が２Ｖになったことをモニタし、そのモニタ結果を制御部１３２に送る。制御部１３２は、このモニタ結果に基づいて、対応ソース機器との間に＋５Ｖ電源ラインを分離するリピータ等の中継機器の接続はないと判断し、対応モードで動作するように制御する。
【０４２１】
なお、ソース機器１１０-10とＨＤＭＩケーブル１３０-10の間にリピータ等の中継機器の接続がある場合、スイッチＳＷ７を短絡状態とし、スイッチＳＷ８を開放状態としても、Ｕｔｉｌｉｔｙラインの地点Ｑ１，Ｐ２の電圧は４Ｖのままに置かれる。この場合、ソース機器１１０-10の制御部１１１は、自身でスイッチＳＷ７，ＳＷ８の状態切り替えを制御しているので、スイッチＳＷ７，ＳＷ８の状態切り替えを行っても地点Ｑ１の電圧が４Ｖのままにあることから、ソース機器１１０-10とＨＤＭＩケーブル１３０-10の間にリピータ等の中継機器の接続があると判断できる。
【０４２２】
しかし、ＨＤＭＩケーブル１３０-10の制御部１３２は、ソース機器１１０-10のスイッチＳＷ７，ＳＷ８の状態切り替えが行われるタイミングが不明であるので、地点Ｐ２の電圧のモニタ結果では、ソース機器１１０-10とＨＤＭＩケーブル１３０-10の間にリピータ等の中継機器の接続があると判断できない。そこで、この場合、ソース機器１１０-10の制御部１１１は、スイッチＳＷ１を開放状態として、Ｕｔｉｌｉｔｙラインの地点Ｐ２の電圧は５Ｖとし、ソース機器１１０-10とＨＤＭＩケーブル１３０-10の間にリピータ等の中継機器の接続があることを、ＨＤＭＩケーブル１３０-10の制御部１３２に知らせる。
【０４２３】
このようにソース機器１１０-10とＨＤＭＩケーブル１３０-10の間にリピータ等の中継機器の接続がある場合、ソース機器１１０-10とＨＤＭＩケーブル１３０-10は、所定の手順を踏んで通常動作へ移行する。
【０４２４】
ソース機器１１０-10とＨＤＭＩケーブル１３０-10の間にリピータ等の中継機器の接続がない場合、ソース機器１１０-10は対応モードで動作するように制御される。そのため、制御部１１１は、ＤＤＣラインを介して、ＨＤＭＩケーブル１３０-10のレジスタ１３１にアクセス（リード/ライト）する。この場合、制御部１１１は、レジスタ１３１に存在するＨＤＭＩケーブル１３０-10の仕様情報等を読み出して利用でき、また、ソース機器１１０-10の電流供給能力の情報を書き込むことができる。ＨＤＭＩケーブル１３０-10の制御部１３２は、通常動作に移行した後に、レジスタ１３１に書き込まれたソース機器１１０-10の電流供給能力の情報を読み出して利用できる。
【０４２５】
なお、制御部１１１がＤＤＣラインを介してレジスタ１３１にアクセス（リード/ライト）する場合、スイッチＳＷ５が開放状態にあるので、シンク機器３２０にレジスタ１３１のアクセス情報が送信されることを防止でき、該当アドレスが定義されていないシンク機器３２０で誤動作を生じてしまうことが回避される。
【０４２６】
ソース機器１１０-10の制御部１１１は、上述したレジスタ１３１へのアクセス（リード/ライト）が終了した後に、図８３に示すように、スイッチＳＷ８を短絡状態とし、スイッチＳＷ７を開放状態とする。そのため、Ｕｔｉｌｉｔｙラインの地点Ｐ２の電圧は、再び４Ｖとなる。ＨＤＭＩケーブル１３０-10において、電圧モニタ部１３３は地点Ｐ２の電圧が４Ｖとなることをモニタし、そのモニタ結果を制御部１３２に送る。
【０４２７】
制御部１３２は、このモニタ結果に基づいて、図８４に示すように、スイッチＳＷ６を短絡状態とする。このようにスイッチＳＷ６が短絡状態とされることで、ソース機器１１０-10からシンク機器３２０に＋５Ｖ電源ラインを通じて５Ｖ電圧が送られた場合、それに伴ってシンク機器３２０からソース機器１１０-10にＨＰＤラインを介して５Ｖ電圧（接続検知信号）を送ることが可能な状態となる。
【０４２８】
この場合、ソース機器１１０-10のスイッチＳＷ１は短絡状態にあると共に、ＨＤＭＩケーブル１３０-10のスイッチＳＷ３も短絡状態にあるので、Ｕｔｉｌｉｔｙラインの地点Ｑ１の電圧は４Ｖとなっている。そのため、ソース機器１１０-10の制御部１１１は、ソース機器１１０-10からＨＤＭＩケーブル１３０-10が抜去された場合に、そのことを電圧モニタ部１１２のモニタ結果から検知でき、誤動作を起こさないようにスイッチを初期状態に戻す等の対処をすることが可能となる。
【０４２９】
例えば、図８５に示すように、ＨＤＭＩケーブル１３０-10に対してシンク機器３２０が非接続の状態にあった場合、シンク機器３２０からソース機器１１０-10にＨＰＤラインを介して５Ｖ電圧（接続検知信号）が送られない状態が続く。この状態で、ソース機器１１０-10からＨＤＭＩケーブル１３０-10が抜去された場合、Ｕｔｉｌｉｔｙラインの地点Ｑ１の電圧は４Ｖから０Ｖに変化する。これにより、ソース機器１１０-10の制御部１１１は、ソース機器１１０-10からＨＤＭＩケーブル１３０-10が抜去されたことを検知できる。
【０４３０】
ソース機器１１０-10の制御部１１１は、シンク機器３２０からソース機器１１０-6にＨＰＤラインを介して５Ｖ電圧（接続検知信号）が送られてくるとき、ケーブルの準備が完了したことを認識し、図８６に示すように、スイッチＳＷ１を開放状態とする。そのため、Ｕｔｉｌｉｔｙラインの地点Ｐ２の電圧は５Ｖとなる。
【０４３１】
ＨＤＭＩケーブル１３０-10において、電圧モニタ部１３３は地点Ｐ２の電圧が５Ｖであることをモニタし、そのモニタ結果を制御部１３２に送る。
【０４３２】
制御部１３２は、このモニタ結果に基づいて、図８７に示すように、各スイッチの状態を変更して、通常動作へと移行する。この場合、シンク機器３２０へ影響を与えないように、まずスイッチＳＷ３を開放状態とし、次にスイッチＳＷ４を短絡状態とし、また、スイッチＳＷ５を短絡状態とする。また、ソース機器１１０-10の制御部１１１は、スイッチＳＷ１を開放状態としてから一定時間待機後に、図８８に示すように、スイッチＳＷ２を短絡状態とし、通常動作へと移行する。
【０４３３】
上述では、ＨＤＭＩケーブル１３０-10にレジスタ１３１が存在する場合について説明したが、ソース機器１１０-10からのレジスタアクセスが無いことが分かっている場合は、ＨＤＭＩケーブル１３０-10はレジスタ１３１およびスイッチＳＷ５を持たなくてもよい。なお、ソース機器１１０-10からのレジスタアクセスがあるか否かわからない場合は、ＨＤＭＩケーブル１３０-10がレジスタ１３１を持たなくても、スイッチＳＷ５を設けておくことで、シンク機器３２０への未定義アドレスの送信を防ぐことができ、シンク機器３２０における誤動作の発生を未然に回避できる。
【０４３４】
このように図８０に示す伝送システム１０-10においては、＋５Ｖの電源ラインの電圧が５Ｖに安定した後に、ＨＤＭＩケーブル１３０-10のスイッチＳＷ３が短絡状態とされ、ソース機器１１０-10の接地（０Ｖ）とＨＤＭＩケーブル１３０-10の＋５Ｖ電源ラインとの間に、抵抗Ｒ１，Ｒ２が直列に接続され、Ｕｔｉｌｉｔｙラインの地点Ｑ１，Ｐ２に４Ｖの電圧が得られる。そのため、ソース機器１１０-10では対応ＨＤＭＩケーブルの接続があると判断することが可能となり、ＨＤＭＩケーブル１３０-10では対応ソース機器の接続があると判断することが可能となる。
【０４３５】
また、図８０に示す伝送システム１０-10においては、スイッチＳＷ７が短絡状態とされ、スイッチＳＷ８を開放状態とされ、ソース機器１１０-10の接地（０Ｖ）と５Ｖ電源との間に、抵抗Ｒ１，Ｒ２，Ｒ３が直列に接続され、Ｕｔｉｌｉｔｙラインの地点Ｑ１，Ｐ２に２Ｖの電圧が得られる。そのため、ソース機器１１０-10とＨＤＭＩケーブル１３０-10はそれぞれ間に＋５Ｖ電源ラインを分離するリピータ等の中継機器の介在はないと判断することが可能となる。
【０４３６】
また、図８０に示す伝送システム１０-10においては、ソース機器１１０-10で、ＨＰＤラインを介してシンク機器３２０から接続検知信号を受け取るまでは、スイッチＳＷ１は短絡状態とされ、Ｕｔｉｌｉｔｙラインの地点Ｑ１に４Ｖの電圧が得られた状態におかれる。そのため、ソース機器１１０-10からＨＤＭＩケーブル１３０-10が抜去された場合、Ｕｔｉｌｉｔｙラインの地点Ｑ１の電圧が４Ｖから０Ｖに変化することから、ソース機器１１０-10は当該抜去を検知でき、誤動作を起こさないようにスイッチを初期状態に戻す等の対処をすることが可能となる。
【０４３７】
図８９は、対応ソース機器であるソース機器１１０-10のシーケンスの一例を示している。ステップＳＴ２３１において、例えば電源スイッチがオンとされて＋５Ｖが立ち上げられると、シーケンスが開始され、ステップＳＴ２３２に進む。このステップＳＴ２３２において、制御部１１１により、電圧モニタ部１１２で第１のバイアス電圧（４Ｖ）が検知されたか判断される。
【０４３８】
第１のバイアス電圧（４Ｖ）が検知されたとき、ステップＳＴ２３３において、制御部１１１により、対応ケーブルであるＨＤＭＩケーブルの接続があると判断される。そして、ステップＳＴ２３４において、制御部１１１により、スイッチＳＷ７が開放状態から短絡状態に変更され、その後にスイッチＳＷ８が短絡状態から開放状態に変更される。
【０４３９】
次に、ステップＳＴ２３５において、制御部１１１により、電圧モニタ部１１２で第２のバイアス電圧（２Ｖ）が検知されたか判断される。第２のバイアス電圧（２Ｖ）が検知されたとき、制御部１１１により、ＨＤＭＩケーブルとの間に＋５Ｖ電源ラインを分離するリピータ等の中継機器の介在はないと判断され、ステップＳＴ２３６に進む。このステップ２３６において、制御部１１１により、ＨＤＭＩケーブルのレジスタへのアクセス（リード/ライト）が行われる。
【０４４０】
そして、ＨＤＭＩケーブルのレジスタへのアクセスが終了した後、ステップＳＴ２３７において、制御部１１１により、スイッチＳＷ８が開放状態から短絡状態に変更され、スイッチＳＷ７が短絡状態から開放状態に変更される。
【０４４１】
次に、ステップＳＴ２３８において、制御部１１１により、ＨＰＤラインがハイレベル（５Ｖ）になったことが検知されると、ステップＳＴ２３９において、制御部１１１により、スイッチＳＷ１が短絡状態から開放状態に変更される。そして、一定時間待機後に、ステップＳＴ２４０において、制御部１１１により、スイッチＳＷ２が開放状態から短絡状態に変更され、その後、ステップＳＴ２４１において、シーケンスが終了される。
【０４４２】
また、ステップＳ２３５で第２のバイアス電圧（２Ｖ）が検知されないとき、制御部１１１により、ＨＤＭＩケーブルとの間に＋５Ｖ電源ラインを分離するリピータ等の中継機器の介在があると判断され、ステップＳＴ２４２に進む。このステップＳＴ２４２において、制御部１１１により、スイッチＳＷ８が開放状態から短絡状態に変更され、スイッチＳＷ７が短絡状態から開放状態に変更され、さらに、スイッチＳＷ１が短絡状態から開放状態に変更される。そして、ステップＳＴ２４０において、制御部１１１により、スイッチＳＷ２が開放状態から短絡状態に変更される。そして、ステップＳＴ２４１において、シーケンスが終了される。
【０４４３】
また、ステップＳＴ２３２で第１のバイアス電圧（４Ｖ）が検知されないとき、ステップＳＴ２４３において、制御部１１１により、ＨＰＤラインのハイレベル（５Ｖ）が検知されたか否かが判断される。ＨＰＤラインのハイレベル（５Ｖ）が検知されないとき、ステップＳＴ２３２に戻る。一方、ＨＰＤラインのハイレベル（５Ｖ）が検知されたとき、ステップＳＴ２４４において、制御部１１１により、非対応ケーブルであるＨＤＭＩケーブルの接続があると判断される。
【０４４４】
そして、ステップＳＴ２４５において、スイッチＳＷ１が短絡状態から開放状態に変更される。次に、ステップＳＴ２４０において、制御部１１１により、スイッチＳＷ２が開放状態から短絡状態に変更される。そして、ステップＳＴ２４１において、シーケンスが終了される。
【０４４５】
図９０は、対応ケーブルであるＨＤＭＩケーブル１３０-10のシーケンスの一例を示している。ステップＳＴ２５１において、電圧モニタ部１３４で５Ｖの電圧が検知されると、シーケンスが開始され、ステップＳＴ２５２に進む。このステップＳＴ２５２において、制御部１３２により、＋５Ｖ電源ラインの５Ｖの電圧が安定してから、スイッチＳＷ３が開放状態から短絡状態に変更される。
【０４４６】
次に、ステップＳＴ２５３において、制御部１３２により、電圧モニタ部１３３で第１のバイアス電圧（４Ｖ）が検知されたか判断される。第１のバイアス電圧（４Ｖ）が検知されたとき、ステップＳＴ２５４において、制御部１３２により、対応ソース機器であるソース機器の接続があると判断される。
【０４４７】
次に、ステップＳＴ２５５において、制御部１３２により、電圧モニタ部１３３で第２のバイアス電圧（２Ｖ）が検知されたか判断される。第２のバイアス電圧（２Ｖ）が検知されたとき、制御部１３２により、ソース機器との間に＋５Ｖ電源ラインを分離するリピータ等の中継機器の介在はないと判断され、ステップＳＴ２５６に進む。このステップＳＴ２５６において、電圧モニタ部１３３で第１のバイアス電圧（４Ｖ）が検知されると、ステップＳＴ２５７に進む。
【０４４８】
このステップＳＴ２５７において、制御部１３２により、スイッチＳＷ６が開放状態から短絡状態に変更される。次に、ステップＳＴ２５８において、電圧モニタ部１３３で５Ｖが検知されると、ステップＳＴ２５９において、制御部１３２により、スイッチＳＷ３が短絡状態から開放状態に変更され、スイッチＳＷ４が開放状態から短絡状態に変更され、さらにスイッチＳＷ５が開放状態から短絡状態に変更される。そして、ステップＳＴ２６０において、シーケンスが終了される。
【０４４９】
また、ステップＳＴ２５５で第２のバイアス電圧（２Ｖ）が検知されないとき、電圧モニタ部１３３で５Ｖが検知された後に、制御部１３２により、ソース機器との間に＋５Ｖ電源ラインを分離するリピータ等の中継機器の介在があると判断され、ステップＳＴ２６１に進む。このステップＳＴ２６１において、制御部１３２により、スイッチＳＷ３が短絡状態から開放状態に変更され、スイッチＳＷ４が開放状態から短絡状態に変更され、スイッチＳＷ５が開放状態から短絡状態に変更され、さらにスイッチＳＷ６が開放状態から短絡状態に変更される。そして、ステップＳＴ２６０において、シーケンスが終了される。
【０４５０】
また、ステップＳＴ２５３で第１のバイアス電圧（４Ｖ）が検知されないとき、ステップＳＴ２６２において、制御部１３２により、非対応ソース機器であるソース機器の接続があると判断される。そして、ステップＳＴ２６１において、制御部１３２により、スイッチＳＷ３が短絡状態から開放状態に変更され、スイッチＳＷ４が開放状態から短絡状態に変更され、スイッチＳＷ５が開放状態から短絡状態に変更され、さらにスイッチＳＷ６が開放状態から短絡状態に変更される。そして、ステップＳＴ２６０において、シーケンスが終了される。
【０４５１】
なお、ソース機器１１０-10のスイッチＳＷ１，ＳＷ２，ＳＷ７，ＳＷ８およびＨＤＭＩケーブル１３０-10のスイッチＳＷ３，ＳＷ４，ＳＷ５，ＳＷ６は、＋５Ｖ電源ラインの電圧が落ちたら、初期状態にリセットされる。
【０４５２】
「実施形態１１」
図９１は、伝送システム１０-11の構成例を示している。この伝送システム１０-11は、デジタルインタフェースとしてＨＤＭＩを用いたＨＤＭＩ伝送システムである。この伝送システム１０-11は、送信装置としてのソース機器１１０-11と、受信装置としてのシンク機器３２０と、これらを接続するＨＤＭＩケーブル１３０-11を有している。この図９１において、図８０、図３９と対応する部分には同一符号を付し、適宜、その詳細説明は省略する。
【０４５３】
ソース機器１１０-11は、図８０の伝送システム１０-10におけるソース機器１１０-10と同様の構成とされる。ＨＤＭＩケーブル１３０-11は、図８０の伝送システム１０-10におけるＨＤＭＩケーブル１３０-10が通常のＨＤＭＩケーブルであるのに対して、ＡＯＣ(Active Optical Cable)である。
【０４５４】
そのため、ＨＤＭＩケーブル１３０-11は、レジスタ１３１、制御部１３２、電圧モニタ部１３３，１３４、スイッチＳＷ３，ＳＷ４，ＳＷ５，ＳＷ６の他に、変換回路３３１Ａ，３３１Ｂ、ＬＤＯレギュレータ３３２Ａ，３３２Ｂ、電流駆動部３３３ＢなどのＡＯＣ構成回路を有している。
【０４５５】
この伝送システム１０-11においても、詳細説明は省略するが、図８０の伝送システム１０-10と同様に動作し、同様の効果を得ることができる。
【０４５６】
なお、この伝送システム１０-11においては、ＨＤＭＩケーブル１３０-11の制御部１３２は、ソース機器１１０-11からレジスタ１３１を通して通達される電流供給能力情報、つまり自身が５５ｍＡ以上電流を引いても良いという情報に基づいて、ＬＤＯレギュレータ３３２Ａ，３３２Ｂをオンとして、＋５Ｖの電源ラインから５５ｍＡ以上を引くように制御できる。この場合、例えば、図９０のＨＤＭＩケーブルのシーケンスにおいて、ステップＳＴ２５９の処理の後に、ＬＤＯレギュレータ３３２Ａ，３３２Ｂがオンとされてアクティブ回路が動作状態（Enable）とされる。これにより、ＨＤＭＩケーブル１３０-11のアクティブ回路では適切な動作が可能となり、また、ソース機器が過電流に耐えられず故障を起こすことを回避できる。
【０４５７】
また、ＨＤＭＩケーブル１３０-11がレジスタ１３１を備えていない場合、ＨＤＭＩケーブル１３０-11の制御部１３２は、ソース機器１１０-11が対応ケーブルであるとの判断に基づいて、ソース機器１１０-11が十分な電流供給能力情報を有しているものとし、ＬＤＯレギュレータ３３２Ａ，３３２Ｂをオンとして、＋５Ｖの電源ラインから５５ｍＡ以上を引くように制御することも考えられる。
【０４５８】
「実施形態１２」
図９２は、伝送システム１０-12の構成例を示している。この伝送システム１０-12は、デジタルインタフェースとしてＨＤＭＩを用いたＨＤＭＩ伝送システムである。この伝送システム１０-12は、送信装置としてのソース機器１１０-12と、受信装置としてのシンク機器３２０と、これらを接続するＨＤＭＩケーブル１３０-12を有している。この図９２において、図８０と対応する部分には同一符号を付し、適宜、その詳細説明は省略する。
【０４５９】
ＨＤＭＩケーブル１３０-12は、図８０の伝送システム１０-10におけるＨＤＭＩケーブル１３０-10と同様の構成とされる。ソース機器１１０-12は、図８０の伝送システム１０-10におけるソース機器１１０-10がスイッチＳＷ７を備えているのに対して、このスイッチＳＷ７が除かれており、その他は同様の構成とされ、同様の動作をする。
【０４６０】
この伝送システム１０-12においても、詳細説明は省略するが、図８０の伝送システム１０-10と同様に動作し、同様の効果を得ることができる。
【０４６１】
「実施形態１３」
図９３は、伝送システム１０-13の構成例を示している。この伝送システム１０-13は、デジタルインタフェースとしてＨＤＭＩを用いたＨＤＭＩ伝送システムである。この伝送システム１０-13は、送信装置としてのソース機器１１０-13と、受信装置としてのシンク機器３２０と、これらを接続するＨＤＭＩケーブル１３０-13を有している。この図９３において、図９１と対応する部分には同一符号を付し、適宜、その詳細説明は省略する。
【０４６２】
ＨＤＭＩケーブル１３０-13は、図９１の伝送システム１０-11におけるＨＤＭＩケーブル１３０-11と同様の構成とされる。ソース機器１１０-13は、図９１の伝送システム１０-11におけるソース機器１１０-11がスイッチＳＷ７を備えているのに対して、このスイッチＳＷ７が除かれており、その他は同様の構成とされ、同様の動作をする。
【０４６３】
この伝送システム１０-13においても、詳細説明は省略するが、図９１の伝送システム１０-11と同様に動作し、同様の効果を得ることができる。
「実施形態１４」
図９４は、伝送システム１０-14の構成例を示している。この伝送システム１０-14は、デジタルインタフェースとしてＨＤＭＩを用いたＨＤＭＩ伝送システムである。この伝送システム１０-14は、送信装置としてのソース機器１１０-14と、受信装置としてのシンク機器３２０と、これらを接続するＨＤＭＩケーブル１３０-14を有している。この図９４において、図８０、図９２と対応する部分には同一符号を付し、適宜、その詳細説明は省略する。
【０４６４】
ＨＤＭＩケーブル１３０-14は、図９２の伝送システム１０-12におけるＨＤＭＩケーブル１３０-12と同様の構成とされる。ソース機器１１０-14は、図９２の伝送システム１０-12におけるソース機器１１０-12が抵抗Ｒ３を備えているのに対して、これに代えてＬＤＯ（Low Drop Out）レギュレータ１１５が配置されている。このＬＤＯレギュレータ１１５は、制御部１１１によって制御され、スイッチＳＷ８が開放状態とされるタイミングで３Ｖの電圧を発生し、スイッチＳＷ８が短絡状態にある場合は、５Ｖの電圧を発生するように制御される。
【０４６５】
このようにＬＤＯレギュレータ１１５は、スイッチＳＷ８が開放状態とされるタイミングで３Ｖの電圧を発生するので、ソース機器１１０-14の接地（０Ｖ）と３Ｖ電源との間に、抵抗Ｒ１，Ｒ２が直列に接続された状態となり、Ｕｔｉｌｉｔｙラインの地点Ｑ１，Ｐ２に２Ｖの電圧が得られる。これにより、図８０、図９２の伝送システム１０-10，１０-12と同様に、ソース機器１１０-14とＨＤＭＩケーブル１３０-14はそれぞれの間に＋５Ｖ電源ラインを分離するリピータ等の中継機器の介在はないと判断することが可能となる。
【０４６６】
この伝送システム１０-14においても、詳細説明は省略するが、図８０、図９２の伝送システム１０-10，１０-12と同様に動作し、同様の効果を得ることができる。また、この伝送システム１０-14においては、抵抗Ｒ３の代わりにＬＤＯレギュレータ１１５を用いることで、スイッチＳＷ８を開放状態としたときに、＋５Ｖ電源ラインに安定した３Ｖの電圧を印加し、Ｕｔｉｌｉｔｙラインの地点Ｑ１，Ｐ２に２Ｖの電圧を精度よく発生させることができ、リピータ等の中継機器の介在はないとの判断を精度よく行うことが可能となる。因みに、抵抗Ｒ３による電圧降下を利用する場合には、この抵抗Ｒ３を介してＲ１とＲ２のシリーズ抵抗に流れる電流以外に大きな電流が引かれる場合には、この抵抗Ｒ３における電圧降下が大きくなり、＋５Ｖ電源ラインに３Ｖに満たない電圧が印加される可能性がある。
【０４６７】
「実施形態１５」
図９５は、伝送システム１０-15の構成例を示している。この伝送システム１０-15は、デジタルインタフェースとしてＨＤＭＩを用いたＨＤＭＩ伝送システムである。この伝送システム１０-15は、送信装置としてのソース機器１１０-15と、受信装置としてのシンク機器３２０と、これらを接続するＨＤＭＩケーブル１３０-15を有している。この図９５において、図９３、図９４と対応する部分には同一符号を付し、適宜、その詳細説明は省略する。
【０４６８】
ＨＤＭＩケーブル１３０-15は、図９３の伝送システム１０-13におけるＨＤＭＩケーブル１３０-13と同様の構成とされる。ソース機器１１０-15は、図９３の伝送システム１０-13におけるソース機器１１０-13が抵抗Ｒ３を備えているのに対して、これに代えてＬＤＯ（Low Drop Out）レギュレータ１１５が配置されている。このＬＤＯレギュレータ１１５は、制御部１１１によって制御され、スイッチＳＷ８が開放状態とされるタイミングで３Ｖの電圧を発生し、スイッチＳＷ８が短絡状態にある場合は、５Ｖの電圧を発生するように制御される。
【０４６９】
この伝送システム１０-15においても、詳細説明は省略するが、図９３、図９４の伝送システム１０-13，１０-14と同様に動作し、同様の効果を得ることができる。
「実施形態１６」
図９６は、伝送システム１０-16の構成例を示している。この伝送システム１０-16は、デジタルインタフェースとしてＨＤＭＩを用いたＨＤＭＩ伝送システムである。この伝送システム１０-16は、送信装置としてのソース機器１１０-16と、受信装置としてのシンク機器３２０と、これらを接続するＨＤＭＩケーブル１３０-16を有している。この図９６において、図８０、図９２、図９４と対応する部分には同一符号を付し、適宜、その詳細説明は省略する。
【０４７０】
ＨＤＭＩケーブル１３０-14は、図９４の伝送システム１０-14におけるＨＤＭＩケーブル１３０-14と同様の構成とされる。ソース機器１１０-16は、図９４の伝送システム１０-14におけるソース機器１１０-14がＬＤＯレギュレータ１１５およびスイッチＳＷ８を備えているのに対して、これらに代えて＋５Ｖ電源ラインの電圧を設定するＬＤＯレギュレータ１１６が配置されている。このＬＤＯレギュレータ１１６は、制御部１１１によって制御され、図９４の伝送システム１０-14でスイッチＳＷ８が開放状態とされると同様のタイミングで３Ｖの電圧を発生し、その他のタイミングでは５Ｖの電圧を発生するように制御される。
【０４７１】
このようにＬＤＯレギュレータ１１６は、図９４の伝送システム１０-14でスイッチＳＷ８が開放状態とされると同様のタイミングで３Ｖの電圧を発生するので、ソース機器１１０-16の接地（０Ｖ）と３Ｖ電源との間に、抵抗Ｒ１，Ｒ２が直列に接続された状態となり、Ｕｔｉｌｉｔｙラインの地点Ｑ１，Ｐ２に２Ｖの電圧が得られる。これにより、図８０、図９２、図９４の伝送システム１０-10，１０-12，１０-14と同様に、ソース機器１１０-16とＨＤＭＩケーブル１３０-16はそれぞれの間に＋５Ｖ電源ラインを分離するリピータ等の中継機器の介在はないと判断することが可能となる。
【０４７２】
この伝送システム１０-16においても、詳細説明は省略するが、図８０、図９２、図９４の伝送システム１０-10，１０-12，１０-14と同様に動作し、同様の効果を得ることができる。また、この伝送システム１０-16においては、スイッチＳＷ８を用いないので、このスイッチＳＷ８の開放、短絡の切り替え時に発生するリップルで動作の不安定となることを回避できる。
【０４７３】
「実施形態１７」
図９７は、伝送システム１０-17の構成例を示している。この伝送システム１０-17は、デジタルインタフェースとしてＨＤＭＩを用いたＨＤＭＩ伝送システムである。この伝送システム１０-17は、送信装置としてのソース機器１１０-17と、受信装置としてのシンク機器３２０と、これらを接続するＨＤＭＩケーブル１３０-17を有している。この図９７において、図９５、図９６と対応する部分には同一符号を付し、適宜、その詳細説明は省略する。
【０４７４】
ＨＤＭＩケーブル１３０-17は、図９５の伝送システム１０-15におけるＨＤＭＩケーブル１３０-15と同様の構成とされる。ソース機器１１０-17は、図９５の伝送システム１０-15におけるソース機器１１０-15がＬＤＯレギュレータ１１５およびスイッチＳＷ８を備えているのに対して、これらに代えて＋５Ｖ電源ラインの電圧を設定するＬＤＯレギュレータ１１６が配置されている。このＬＤＯレギュレータ１１６は、制御部１１１によって制御され、図９５の伝送システム１０-15でスイッチＳＷ８が開放状態とされると同様のタイミングで３Ｖの電圧を発生し、その他のタイミングでは５Ｖの電圧を発生するように制御される。
【０４７５】
この伝送システム１０-17においても、詳細説明は省略するが、図９５、図９６の伝送システム１０-15，１０-16と同様に動作し、同様の効果を得ることができる。
【０４７６】
＜２．変形例＞
なお、上述の実施形態１０から実施形態１７においては、ソース機器で、ＨＰＤラインを介してシンク機器から接続検知信号を受け取るまでは、スイッチＳＷ１を短絡状態とし、Ｕｔｉｌｉｔｙラインの地点Ｑ１に４Ｖの電圧が得られる状態にして、ソース機器からＨＤＭＩケーブルが抜去された場合に、ソース機器でそのことを検知可能にしている。詳細説明は省略するが、その他の実施の形態においても、同様の構成として、同様の効果を得るようにすることも考えられる。
【０４７７】
また、上述実施の形態においては、Ｕｔｉｌｉｔｙラインや電源ラインを用いてソース機器とＨＤＭＩケーブルが対応品か否かを判断する例を示したが、使用するラインはこれに限定されるものではなく、その他のラインを使用することも考えられる。
【０４７８】
また、上述実施の形態においては、ソース機器とシンク機器をＨＤＭＩケーブルで接続する伝送システムを例にとって説明した。しかし、本技術は、送信装置と受信装置とを“VESA Plug and Display(P&D) Specification”で定義されている仕組みを使うケーブルにも同様に適用可能なため、ＤＶＩ、ＭＨＬ、Ｄｉｓｐｌａｙ  Ｐｏｒｔ等にも適用できる。また、本技術は、ＡＯＣやＡＣＣに限らず、無線通信等に応用することも可能である。さらに、本技術は、ＵＳＢケーブルなどにも同様に適用し得ることは勿論である。
【０４７９】
例えば、「Ｄｉｓｐｌａｙ  Ｐｏｒｔ」を使った場合の構成について簡単に説明する。図９８（ａ）は、「Ｄｉｓｐｌａｙ  Ｐｏｒｔ」におけるピン配置を示している。ＡｕＸ＋/−はＨＤＭＩのＤＤＣに対応し、３．３ＶはＨＤＭＩの＋５Ｖに対応する。ホットプラグ検出はＨＤＭＩのＨＰＤに対応している。
【０４８０】
図１５に記載した構成であれば＋５Ｖ電源ラインの代わりに３．３Ｖ電源ラインを用いれば可能である。図７の構成の場合、Ｕｔｉｌｉｔｙラインの代わりに、１４ピンのＧＮＤを用いてもよい。片方がレガシーのような非対応品であった場合、図７に示すスイッチＳＷ２またはスイッチＳＷ４が存在しないため、ＧＮＤとショートすることになるが、図１１のようにソース機器が非対応の場合は、ケーブル側も０Ｖのため問題はない。図１２のようにケーブルが非対応の場合も、３．３Ｖが１００ｋΩを介してＧＮＤに接続されるため、漏れ電流としては３３μＡと非常に小さいため問題はない。
【０４８１】
また、本技術は、「Ｔｈｕｎｄｅｒｂｏｌｔ」へも適用可能である。図９８（ｂ）は、「Ｔｈｕｎｄｅｒｂｏｌｔ」におけるピン配置を示している。「Ｔｈｕｎｄｅｒｂｏｌｔ」の場合、＋５Ｖラインに相当するのが「ＤＰＰＷＲ」である。ＨＰＤはもとから用意されている。ＨＤＭＩではＵｔｉｌｉｔｙラインを使って抵抗分圧をソースとケーブル間で行う例を記載したが、「Ｔｈｕｎｄｅｒｂｏｌｔ」の場合、Ｎｏ．１０あるいはＮｏ．１２のリザーブを使えばよい。
【０４８２】
また、本技術は、以下のような構成を取ることもできる。
（１）第１の電子機器と第２の電子機器の間に接続されるケーブルであって、
上記第１の電子機器が対応電子機器であるか否かを判断する判断部と、
上記判断部の判断結果に基づき、上記第１の電子機器が対応電子機器であるときは対応モードで動作し、上記第１の電子機器が対応電子機器でないときは非対応モードで動作するように制御する制御部を備える
ケーブル。
（２）上記判断部は、所定電圧が分圧用抵抗を介して印加されている所定ラインの電圧モニタ結果に基づき上記第１の電子機器が対応電子機器であるか否かを判断する
前記（１）に記載のケーブル。
（３）上記分圧用抵抗と直列に第１のスイッチが接続されており、
上記第１のスイッチは、上記判断が行われるときは短絡状態とされる
前記（２）に記載のケーブル。
（４）上記所定ラインの上記電圧モニタを行う地点より上記第２の電子機器側に第２のスイッチが挿入されており、
上記第２のスイッチは、上記判断が行われるときは開放状態とされる
前記（３）に記載のケーブル。
（５）上記制御部は、上記対応モードでは、上記電圧モニタで上記所定ラインの電圧が上記所定電圧となったとき、上記第１のスイッチを短絡状態から開放状態にした後に、上記第２のスイッチを開放状態から短絡状態にする
前記（４）に記載のケーブル。
（６）通信ラインに接続されたレジスタをさらに備え、
上記通信ラインの上記レジスタが接続されている地点より上記第２の電子機器側に第３のスイッチが接続されており、
上記制御部は、上記対応モードでは、上記第１の電子機器から上記レジスタがアクセスされたことを確認した後に、上記第３のスイッチを開放状態から短絡状態にする
前記（１）から（５）のいずれかに記載のケーブル。
（７）上記制御部は、所定電圧が分圧用抵抗を介して印加されている所定ラインの電圧モニタ結果に基づき、上記第１の電子機器から上記レジスタがアクセスされたことを確認する
前記（６）に記載のケーブル。
（８）電源ラインに第４のスイッチが挿入されており、
上記制御部は、上記対応モードでは、上記第３のスイッチを開放状態から短絡状態にした後に、上記第４のスイッチを開放状態から短絡状態にする
前記（６）または（７）に記載のケーブル。
（９）上記制御部は、上記非対応モードでは、上記第１の電子機器から上記レジスタがアクセスされたことを確認することなく、上記第３のスイッチを開放状態から短絡状態にする
前記（６）から（８）のいずれかに記載のケーブル。
（１０）電源ラインに第４のスイッチが挿入されており、
上記制御部は、上記非対応モードでは、上記第３のスイッチを開放状態から短絡状態にした後に、上記第４のスイッチを開放状態から短絡状態にする
前記（９）に記載のケーブル。
（１１）電源ラインに接続された電流消費部をさらに備え、
上記制御部は、上記対応モードでは、上記第１の電子機器で自身のケーブルが対応ケーブルであると判断されたことを確認した後に、上記電流消費部を電流非消費状態から電流消費状態にする
前記（１）から（５）のいずれかに記載のケーブル。
（１２）上記電源ラインに第５のスイッチが挿入されており、
上記制御部は、上記対応モードでは、上記第１の電子機器で自身のケーブルが対応ケーブルであると判断されたことを確認した後に、上記第５のスイッチを開放状態から短絡状態にする
前記（１１）に記載のケーブル。
（１３）上記制御部は、所定電圧が分圧用抵抗を介して印加されている所定ラインの電圧モニタ結果に基づき、上記第１の電子機器で自身のケーブルが対応ケーブルであると判断されたことを確認する
前記（１１）に記載のケーブル。
（１４）上記制御部は、上記非対応モードでは、上記第１の電子機器で自身のケーブルが対応ケーブルであると判断されたことを確認することなく、上記第５のスイッチを開放状態から短絡状態にする
前記（１２）に記載のケーブル。
（１５）上記制御部は、上記第１の電子機器が対応電子機器であって、さらに上記第１の電子機器との間に電源ラインを分離する中継機器の介在がないとき、上記対応モードで動作するように制御する
前記（１）または（２）に記載のケーブル。
（１６）上記制御部は、所定電圧が分圧用抵抗を介して印加されている所定ラインの電圧が第１の電圧となることで上記第１の電子機器が対応電子機器であると判断し、その後上記所定ラインの電圧が第２の電圧に変化することで上記第１の電子機器との間に上記中継機器の介在がないと判断する
前記（１５）に記載のケーブル。
（１７）上記対応モードで動作するときに機能する、上記第１の電子機器との間で情報伝送を行う情報伝送部をさらに備える
前記（１）または（２）に記載のケーブル。
（１８）上記情報伝送部は、
所定ラインに接続された可変抵抗回路を有し、
上記可変抵抗回路の抵抗値を変化させることで上記第１の電子機器に任意の情報を送信する
前記（１７）に記載のケーブル。
（１９）上記情報伝送部は、
上記可変抵抗回路の抵抗値を所定値に固定した状態で上記所定ラインの電圧をモニタすることで上記第１の電子機器から所定の情報を受信する
前記（１８）に記載のケーブル。
（２０）第１の電子機器と第２の電子機器の間に接続されるケーブルの制御方法であって、
判断部が、上記第１の電子機器が対応電子機器であるか否かを判断する判断ステップと、
制御部が、上記判断部の判断結果に基づき、上記第１の電子機器が対応電子機器であるときは対応モードで動作し、上記第１の電子機器が対応電子機器でないときは非対応モードで動作するように制御する制御ステップを有する
ケーブルの制御方法。
（２１）第１の電子機器と第２の電子機器の間に接続される接続装置であって、
上記第１の電子機器が対応電子機器であるか否かを判断する判断部と、
上記判断部の判断結果に基づき、上記第１の電子機器が対応電子機器であるときは対応モードで動作し、上記第１の電子機器が対応電子機器でないときは非対応モードで動作するように制御する制御部を備える
接続装置。
（２２）ケーブルを介して外部機器に接続される電子機器であって、
上記ケーブルが対応ケーブルであるか否かを判断する判断部と、
上記判断部の判断結果に基づき、上記ケーブルが対応ケーブルであるときは対応モードで動作し、上記ケーブルが対応ケーブルでないときは非対応モードで動作するように制御する制御部を備える
電子機器。
（２３）上記判断部は、所定電圧が分圧用抵抗を介して印加されている所定ラインの電圧モニタ結果に基づき上記ケーブルが対応ケーブルであるか否かを判断する
前記（２２）に記載の電子機器。
（２４）上記分圧用抵抗と直列に第１のスイッチが接続されており、
上記第１のスイッチは、上記判断が行われるときは短絡状態とされる
前記（２３）に記載の電子機器。
（２５）上記所定ラインの上記電圧モニタを行う地点の端子側とは反対側に第２のスイッチが挿入されており、
上記第２のスイッチは、上記判断が行われるときは開放状態とされる
前記（２４）に記載の電子機器。
（２６）上記制御部は、上記対応モードでは、接続検知ラインがハイレベルになったことを検知した後に、上記第１のスイッチを短絡状態から開放状態にする
前記（２４）または（２５）に記載の電子機器。
（２７）上記制御部は、上記非対応モードでは、上記第１のスイッチを短絡状態から開放状態にする
前記（２４）に記載の電子機器。
（２８）上記制御部は、上記対応モードでは、上記第１のスイッチを短絡状態から開放状態にする前に、通信ラインを通じて上記ケーブルのレジスタにアクセスする
前記（２４）から（２６）のいずれかに記載の電子機器。
（２９）上記制御部は、上記対応モードでは、上記第１のスイッチを短絡状態から開放状態にする前に、電源ラインによる供給可能電流を第１の電流から該第１より高い第２の電流に変更する
前記（２４）から（２６）のいずれかに記載の電子機器。
（３０）上記制御部は、上記ケーブルが対応ケーブルであって、さらに上記ケーブルとの間に電源ラインを分離する中継機器の介在がないとき、上記対応モードで動作するように制御する
前記（２２）または（２３）に記載の電子機器。
（３１）上記制御部は、所定電圧が分圧用抵抗を介して印加されている所定ラインの電圧が第１の電圧となることで上記ケーブルが対応ケーブルであると判断し、その後上記所定ラインの電圧が第２の電圧に変化することで上記ケーブルとの間に上記中継機器の介在がないと判断する
前記（３０）に記載の電子機器。
（３２）上記対応モードで動作するときに機能する、上記ケーブルとの間で情報伝送を行う情報伝送部をさらに備える
前記（２２）または（２３）に記載の電子機器。
（３３）上記情報伝送部は、
所定ラインに接続された可変抵抗回路を有し、
上記可変抵抗回路の抵抗値を変化させることで上記ケーブルに任意の情報を送信する
前記（３２）に記載の電子機器。
（３４）上記情報伝送部は、
上記可変抵抗回路の抵抗値を所定値に固定した状態で上記所定ラインの電圧をモニタすることで上記ケーブルから所定の情報を受信する
前記（３３）に記載の電子機器。
（３５）ケーブルを介して外部機器に接続される電子機器の制御方法であって、
判断部が、上記ケーブルが対応ケーブルであるか否かを判断する判断ステップと、
制御部が、上記判断部の判断結果に基づき、上記ケーブルが対応ケーブルであるときは対応モードで動作し、上記ケーブルが対応ケーブルでないときは非対応モードで動作するように制御する制御ステップを有する
電子機器の制御方法。
（３６）接続装置を介して外部機器に接続される電子機器であって、
上記接続装置が対応接続装置であるか否かを判断する判断部と、
上記判断部の判断結果に基づき、上記接続装置が対応接続装置であるときは対応モードで動作し、上記接続装置が対応接続装置でないときは非対応モードで動作するように制御する制御部を備える
電子機器。
【符号の説明】
【０４８３】
１０-1〜１０-17，１０-１A〜１０-4A,１０-1B〜１０-4B,１０-6B〜１０-6C，１０-8A〜１０-8B，１０-9A〜１０-9D・・・伝送システム
１１０-1〜１１０-17・・・ソース機器
１１１・・・制御部
１１２・・・電圧モニタ部
１１３・・・電流計
１１４，１３５・・・可変抵抗回路
１１５，１１６・・・ＬＤＯレギュレータ
１３０-1〜１３０-17，１３０-9D，３３０，３３０Ｃ・・・ＨＤＭＩケーブル
１３１・・・レジスタ
１３２・・・制御部
１３３，１３４・・・電圧モニタ部
１４０・・・リピータ
１４１・・・増幅器
３１０・・・ソース機器
３１１・・・制御部
３２０・・・シンク機器
３２１・・・ＥＤＩＤ  ＲＯＭ
３２２・・・制御部
３３１Ａ，３３１Ｂ・・・変換回路
３３２Ａ，３３２Ｂ・・・ＬＤＯレギュレータ
３３３Ｂ・・・電流駆動部
ＳＷ１〜ＳＷ８，ＳＷ１１〜ＳＷ１５，ＳＷ２１〜ＳＷ２４，ＳＷ２６，ＳＷ３１〜ＳＷ３３，ＳＷ３５，ＳＷ４１〜ＳＷ４４，ＳＷ４６〜ＳＷ４９・・・スイッチ
Ｒ１，Ｒ２，Ｒ３・・・分圧用の抵抗
【図１】
2019059151.tif 000003
【図２】
2019059151.tif 000004
【図３】
2019059151.tif 000005
【図４】
2019059151.tif 000006
【図５】
2019059151.tif 000007
【図６】
2019059151.tif 000008
【図７】
2019059151.tif 000009
【図８】
2019059151.tif 000010
【図９】
2019059151.tif 000011
【図１０】
2019059151.tif 000012
【図１１】
2019059151.tif 000013
【図１２】
2019059151.tif 000014
【図１３】
2019059151.tif 000015
【図１４】
2019059151.tif 000016
【図１５】
2019059151.tif 000017
【図１６】
2019059151.tif 000018
【図１７】
2019059151.tif 000019
【図１８】
2019059151.tif 000020
【図１９】
2019059151.tif 000021
【図２０】
2019059151.tif 000022
【図２１】
2019059151.tif 000023
【図２２】
2019059151.tif 000024
【図２３】
2019059151.tif 000025
【図２４】
2019059151.tif 000026
【図２５】
2019059151.tif 000027
【図２６】
2019059151.tif 000028
【図２７】
2019059151.tif 000029
【図２８】
2019059151.tif 000030
【図２９】
2019059151.tif 000031
【図３０】
2019059151.tif 000032
【図３１】
2019059151.tif 000033
【図３２】
2019059151.tif 000034
【図３３】
2019059151.tif 000035
【図３４】
2019059151.tif 000036
【図３５】
2019059151.tif 000037
【図３６】
2019059151.tif 000038
【図３７】
2019059151.tif 000039
【図３８】
2019059151.tif 000040
【図３９】
2019059151.tif 000041
【図４０】
2019059151.tif 000042
【図４１】
2019059151.tif 000043
【図４２】
2019059151.tif 000044
【図４３】
2019059151.tif 000045
【図４４】
2019059151.tif 000046
【図４５】
2019059151.tif 000047
【図４６】
2019059151.tif 000048
【図４７】
2019059151.tif 000049
【図４８】
2019059151.tif 000050
【図４９】
2019059151.tif 000051
【図５０】
2019059151.tif 000052
【図５１】
2019059151.tif 000053
【図５２】
2019059151.tif 000054
【図５３】
2019059151.tif 000055
【図５４】
2019059151.tif 000056
【図５５】
2019059151.tif 000057
【図５６】
2019059151.tif 000058
【図５７】
2019059151.tif 000059
【図５８】
2019059151.tif 000060
【図５９】
2019059151.tif 000061
【図６０】
2019059151.tif 000062
【図６１】
2019059151.tif 000063
【図６２】
2019059151.tif 000064
【図６３】
2019059151.tif 000065
【図６４】
2019059151.tif 000066
【図６５】
2019059151.tif 000067
【図６６】
2019059151.tif 000068
【図６７】
2019059151.tif 000069
【図６８】
2019059151.tif 000070
【図６９】
2019059151.tif 000071
【図７０】
2019059151.tif 000072
【図７１】
2019059151.tif 000073
【図７２】
2019059151.tif 000074
【図７３】
2019059151.tif 000075
【図７４】
2019059151.tif 000076
【図７５】
2019059151.tif 000077
【図７６】
2019059151.tif 000078
【図７７】
2019059151.tif 000079
【図７８】
2019059151.tif 000080
【図７９】
2019059151.tif 000081
【図８０】
2019059151.tif 000082
【図８１】
2019059151.tif 000083
【図８２】
2019059151.tif 000084
【図８３】
2019059151.tif 000085
【図８４】
2019059151.tif 000086
【図８５】
2019059151.tif 000087
【図８６】
2019059151.tif 000088
【図８７】
2019059151.tif 000089
【図８８】
2019059151.tif 000090
【図８９】
2019059151.tif 000091
【図９０】
2019059151.tif 000092
【図９１】
2019059151.tif 000093
【図９２】
2019059151.tif 000094
【図９３】
2019059151.tif 000095
【図９４】
2019059151.tif 000096
【図９５】
2019059151.tif 000097
【図９６】
2019059151.tif 000098
【図９７】
2019059151.tif 000099
【図９８】
2019059151.tif 000100
【国際調査報告】
2019059151.tif 000101
2019059151.tif 000102
2019059151.tif 000103
2019059151.tif 000104